(57)【特許請求の範囲】
【請求項１】
ユーザ機器により、サービングセルの基地局に要求メッセージを送信する段階であって、前記要求メッセージは、少なくとも１つの候補周波数リソース、および、Ｄ２Ｄ通信のためのリソースの数量を示す、段階と、
前記基地局により送信される応答メッセージを前記ユーザ機器により受信する段階であって、前記応答メッセージは、Ｄ２Ｄ通信周波数リソースを示し、前記Ｄ２Ｄ通信周波数リソースは、第１セルのリソースであり、前記第１セルは、前記ユーザ機器の非サービングセルである、段階と、
前記ユーザ機器により、前記第１セルによるＤ２Ｄ通信を実行する段階と
を備える
リソース割り当て方法。
【請求項２】
前記候補周波数リソースは、前記第１セルのリソースである、請求項１に記載のリソース割り当て方法。
【請求項３】
前記Ｄ２Ｄ通信（ＰｒｏＳｅ  ｓｅｒｖｉｃｅ）は、
Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む、請求項１または２に記載のリソース割り当て方法。
【請求項４】
前記第１セルおよびサービングセルは、異なるＰＬＭＮに属する、または、同じＰＬＭＮに属する、請求項３に記載のリソース割り当て方法。
【請求項５】
前記ユーザ機器は、前記第１セルにおいてＤ２Ｄ通信の実行を許可されている、または、
前記ユーザ機器は、前記Ｄ２Ｄ通信周波数リソースを用いてＤ２Ｄ通信を実行することを許可されている、請求項４に記載のリソース割り当て方法。
【請求項６】
サービングセルの基地局に要求メッセージを送信する送信ユニットであって、前記要求メッセージは、少なくとも１つの候補周波数リソース、および、Ｄ２Ｄ通信のためのリソースの数量を示す、送信ユニットと、
前記基地局により送信される応答メッセージを受信する受信ユニットであって、前記応答メッセージは、Ｄ２Ｄ通信周波数リソースを示し、前記Ｄ２Ｄ通信周波数リソースは第１セルのリソースであり、前記第１セルは、ユーザ機器の非サービングセルである、受信ユニットと、を備え、
前記送信ユニットおよび前記受信ユニットの少なくともいずれかは、前記第１セルにおいてＤ２Ｄ通信を実行する、
ユーザ機器。
【請求項７】
前記候補周波数リソースは、前記第１セルのリソースである、請求項６に記載のユーザ機器。
【請求項８】
前記Ｄ２Ｄ通信（ＰｒｏＳｅ  ｓｅｒｖｉｃｅ）は、
Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む、請求項６または７に記載のユーザ機器。
【請求項９】
前記第１セルおよびサービングセルは、異なるＰＬＭＮに属する、または、同じＰＬＭＮに属する、請求項８に記載のユーザ機器。
【請求項１０】
前記ユーザ機器は、Ｄ２Ｄ通信を実行するために前記第１セルの前記Ｄ２Ｄ通信周波数リソースを用いることを許可されている、請求項６に記載のユーザ機器。
【発明の詳細な説明】
【技術分野】
【０００１】
本発明は、通信技術分野に関し、特に、リソース割り当て方法、デバイス、およびシステムに関する。
【背景技術】
【０００２】
デバイスツーデバイス（英語表記：ｄｅｖｉｃｅ  ｔｏ  ｄｅｖｉｃｅ、略してＤ２Ｄ）通信は、データ送信が、ユーザ機器（英語表記：ｕｓｅｒ  ｅｑｕｉｐｍｅｎｔ、略してＵＥ）間で直接実行されることを可能にする新たな技術である。
【０００３】
現在、Ｄ２Ｄ通信規格において、ユーザ機器がＤ２Ｄ発見（ｄｉｓｃｏｖｅｒｙ）メッセージをユーザ機器のプライマリセルのみにおいて送信できることが、要求されている。つまり、基地局は、プライマリセルのリソースをＤ２Ｄデバイス、すなわち、ユーザ機器に提供し、これにより、ユーザ機器は、該リソースを便利に用いてＤ２Ｄ発見メッセージを送信する。通常、１つのプライマリセルにおいて、多くのユーザ機器が存在する。この場合、多数のユーザ機器が、プライマリセルのリソースを同時に用いてＤ２Ｄ発見メッセージを送信するとき、プライマリセル上のリソースが不十分となり、プライマリセル上の負荷が増大する。
【発明の概要】
【０００４】
本発明の実施形態は、既存のプライマリセルの増大する負荷の問題を解決するように、Ｄ２Ｄユニキャストリソース割り当て方法、デバイス、およびシステムを提供する。
【０００５】
前述の目的を実現するために、以下の技術的解決手段が本発明の実施形態において用いられる。
【０００６】
第１態様によれば、本発明の実施形態は、リソース割り当て方法を提供し、該方法は、第１基地局により、ユーザ機器が第１セルにおいてＤ２Ｄ通信を実行できるかを決定する段階であって、第１セルは、ユーザ機器のセカンダリセルまたは非サービングセルである、段階と、ユーザ機器が第１セルにおいてＤ２Ｄ通信を実行できると第１基地局が決定したとき、ユーザ機器が第１セルにおいてＤ２Ｄ通信を実行するように、第１基地局によりユーザ機器に応答メッセージを送信する段階であって、応答メッセージは、第１セルのＤ２Ｄ通信リソースをユーザ機器に提供するために用いられる、段階、または、ユーザ機器が第１セルにおいてＤ２Ｄ通信を実行できないと第１基地局が決定したとき、ユーザ機器が第１セルにおいてＤ２Ｄ通信を実行できないことを通知するべく、第１基地局により、ユーザ機器に返信メッセージを送信する段階とを備える。
【０００７】
第１態様に関連して、可能な実装方式において、第１基地局は、第２セルの基地局であり、第２セルは、ユーザ機器のプライマリセルまたはサービングセルである。
【０００８】
第１態様または前述の可能な実装方式に関連して、別の可能な実装方式において、ユーザ機器が第１セルにおいてＤ２Ｄ通信を実行できるかを決定する段階は、第１基地局により、ユーザ機器が第１セルにおいてＤ２Ｄ通信の実行を許可されているかを決定する段階であって、ユーザ機器が第１セルにおいてＤ２Ｄ通信の実行を許可されていると決定された場合、ユーザ機器が第１セルにおいてＤ２Ｄ通信を実行できると決定する、または、ユーザ機器が第１セルにおいてＤ２Ｄ通信の実行を許可されていないと決定された場合、ユーザ機器が第１セルにおいてＤ２Ｄ通信を実行できないと決定する、段階、または、第１基地局により、第１セルにおいてユーザ機器に割り当てられるべきリソースが存在するかを決定する段階であって、第１セルまたは第１キャリアにおいてユーザ機器に割り当てられるべきリソースが存在すると決定された場合、ユーザ機器が第１セルにおいてＤ２Ｄ通信を実行できると決定する、または、第１セルまたは第１キャリアにおいてユーザ機器に割り当てられるべきリソースが存在しないと決定された場合、ユーザ機器が第１セルにおいてＤ２Ｄ通信を実行できないと決定する、段階、または、第１基地局により、第１セルにおけるユーザ機器の信号品質が予め設定された閾値を満たすかを決定する段階であって、第１セルにおけるユーザ機器の信号品質が予め設定された閾値を満たすと決定された場合、ユーザ機器が第１セルにおいてＤ２Ｄ通信を実行できると決定する、または、第１セルにおけるユーザ機器の信号品質が予め設定された閾値を満たさないと決定された場合、ユーザ機器が第１セルにおいてＤ２Ｄ通信を実行できないと決定する、段階を含む。
【０００９】
第１態様または前述の可能な実装方式に関連して、別の可能な実装方式において、第１基地局により、第１セルにおけるユーザ機器の信号品質が予め設定された閾値を満たすかを決定する段階の前に、方法は、ユーザ機器により報告される隣接セル測定報告を第１基地局により受信する段階であって、隣接セル測定報告は、第１セルにおけるユーザ機器により測定される信号品質を含む、段階をさらに備える。
【００１０】
第１態様または前述の可能な実装方式に関連して、別の可能な実装方式において、方法は、ユーザ機器により送信される第１要求メッセージを第１基地局により受信する段階をさらに備え、第１要求メッセージは、Ｄ２Ｄ通信を実行するためにユーザ機器により用いられるリソースを決定するよう要求するために用いられ、リソースは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み、ここで、Ｍは正の整数である。
【００１１】
第１態様または前述の可能な実装方式に関連して、別の可能な実装方式において、候補セルは、第１セルであり、第１セルの基地局は、第１基地局であり、または、第１セルの基地局は、第２基地局である。
【００１２】
第１態様または前述の可能な実装方式に関連して、別の可能な実装方式において、第１セルの基地局が第２基地局である場合、ユーザ機器により送信される要求メッセージを第１基地局により受信する段階の前に、方法は、第１基地局により、第２基地局に第２要求メッセージを送信する段階であって、第２要求メッセージは、Ｄ２Ｄ通信を実行するためのリソースを要求するために、または、Ｄ２Ｄ通信を実行するために用いられる第２基地局のセルリソースを提供するよう要求するために用いられる、段階と、第２基地局により送信される第１応答メッセージを第１基地局により受信する段階であって、応答メッセージは、第２基地局のセルのリソースを提供し、リソースは、Ｄ２Ｄ通信のために用いられ、または、応答メッセージは、第１セルにおける、Ｄ２Ｄ通信のために用いられるリソースを含む、段階、または、第２基地局により送信される第１返信メッセージを第１基地局により受信する段階であって、第１返信メッセージは、Ｄ２Ｄ通信のために提供されるリソースが存在しないことを表すために用いられる、段階とをさらに備える。
【００１３】
第１態様または前述の可能な実装方式に関連して、別の可能な実装方式において、方法は、第１基地局により、第２基地局に第３要求メッセージを送信する段階であって、第３要求メッセージは、ユーザ機器がＤ２Ｄ通信を実行するためのリソースを要求するために用いられる、段階、および／または、第２基地局により送信される応答メッセージを第１基地局により受信する段階であって、応答メッセージは、ユーザ機器が第１セルにおいてＤ２Ｄ通信を実行できると決定されたことを表すために用いられ、応答メッセージは、端末ユーザが第１セルにおいてＤ２Ｄ通信を実行するためのリソースを含む、段階、または、第２基地局により送信される返信メッセージを第１基地局により受信する段階であって、返信メッセージは、ユーザ機器が第１セルにおいてＤ２Ｄ通信を実行できないことを表すために用いられる、段階をさらに備える。
【００１４】
第１態様または前述の可能な実装方式に関連して、別の可能な実装方式において、応答メッセージは、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌであって、Ｌは正の整数である、数量Ｌ、および／または、専用リソース設定およびリソースプール設定である、第１セルのＤ２Ｄ通信リソースの設定を含む。
【００１５】
第１態様または前述の可能な実装方式に関連して、別の可能な実装方式において、応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み、ここで、Ｌは正の整数である。
【００１６】
第１態様または前述の可能な実装方式に関連して、別の可能な実装方式において、応答メッセージは、セルインデックスＳｃｅｌｌｉｎｄｅｘを含み、ここで、セルインデックスは、第１セルを示すために用いられる。
【００１７】
第１態様または前述の可能な実装方式に関連して、別の可能な実装方式において、Ｄ２Ｄ通信（ＰｒｏＳｅ  ｓｅｒｖｉｃｅ）は、Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む。
【００１８】
第１態様または前述の可能な実装方式に関連して、別の可能な実装方式において、第１基地局が第２セルおよび第１セルの基地局である。
【００１９】
第１態様または前述の可能な実装方式に関連して、別の可能な実装方式において、ユーザ機器により送信される第１要求メッセージを第１基地局により受信する段階は、ユーザ機器により送信される第１要求メッセージを第２セルにおいて第１基地局により受信する段階を含む。
【００２０】
第２態様によれば、本発明の実施形態は、リソース割り当て方法を提供し、該方法は、第２基地局により、ユーザ機器が第１セルにおいてＤ２Ｄ通信を実行できるかを決定する段階であって、第１セルは、ユーザ機器のセカンダリセルまたは非サービングセルであり、第２基地局は、第１セルの基地局である、段階と、ユーザ機器が第１セルにおいてＤ２Ｄ通信を実行できると第２基地局が決定したとき、第２基地局により第１基地局に応答メッセージを送信する段階であって、応答メッセージは、第１セルのＤ２Ｄ通信リソースをユーザ機器に提供するために用いられ、第１基地局は、ユーザ機器の第２セルの基地局であり、第２セルは、ユーザ機器のプライマリセルまたはサービングセルである、段階、または、ユーザ機器が第１セルにおいてＤ２Ｄ通信を実行できないと第２基地局が決定したとき、第２基地局により、第１基地局に返信メッセージを送信する段階であって、返信メッセージは、ユーザ機器が第１セルにおいてＤ２Ｄ通信を実行できないことを通知するために用いられる、段階、または、ユーザ機器が第１セルにおいてＤ２Ｄ通信を実行できると第２基地局が決定したとき、第２基地局により第１基地局に応答メッセージを送信する段階であって、これにより、第１基地局は、ユーザ機器が第１セルにおいてＤ２Ｄ通信を実行することを通知し、応答メッセージは、第１セルのＤ２Ｄ通信リソースをユーザ機器に提供するために用いられ、第１基地局は、ユーザ機器の第２セルの基地局であり、第２セルは、ユーザ機器のプライマリセルまたはサービングセルである、段階、および／または、ユーザ機器が第１セルにおいてＤ２Ｄ通信を実行できないと第２基地局が決定したとき、第２基地局により第１基地局に返信メッセージを送信する段階であって、これにより、第１基地局および第２基地局は、ユーザ機器が第１セルにおいて、Ｄ２Ｄ通信を実行できないことを通知する、段階とを備える。
【００２１】
第２態様に関連して、可能な実装方式において、ユーザ機器が第１セルにおいてＤ２Ｄ通信を実行できるかを決定する段階は、第２基地局により、ユーザ機器が第１セルにおいてＤ２Ｄ通信の実行を許可されているかを決定する段階であって、ユーザ機器が第１セルにおいてＤ２Ｄ通信の実行を許可されていると決定された場合、ユーザ機器が第１セルにおいてＤ２Ｄ通信を実行できると決定する、または、ユーザ機器が第１セルにおいてＤ２Ｄ通信の実行を許可されていないと決定されたとき、ユーザ機器が第１セルにおいてＤ２Ｄ通信を実行できないと決定する、段階、または、第２基地局により、第１セルにおいてユーザ機器に割り当てられるべきリソースが存在するかを決定する段階であって、第１セルまたは第１キャリアにおいてユーザ機器に割り当てられるべきリソースが存在すると決定された場合、ユーザ機器が第１セルにおいてＤ２Ｄ通信を実行できると決定する、または、第１セルまたは第１キャリアにおいてユーザ機器に割り当てられるべきリソースが存在しないと決定された場合、ユーザ機器が第１セルにおいてＤ２Ｄ通信を実行できないと決定する、段階、または、第２基地局により、第１セルにおけるユーザ機器の信号品質が予め設定された閾値を満たすかを決定する段階であって、第１セルにおけるユーザ機器の信号品質が予め設定された閾値を満たすと決定された場合、ユーザ機器が第１セルにおいてＤ２Ｄ通信を実行できると決定する、または、第１セルにおけるユーザ機器の信号品質が予め設定された閾値を満たさないと決定された場合、ユーザ機器が第１セルにおいてＤ２Ｄ通信を実行できないと決定する、段階を含む。
【００２２】
第２態様または前述の可能な実装方式に関連して、別の可能な実装方式において、第２基地局により、ユーザ機器が第１セルにおいてＤ２Ｄ通信を実行できるかを決定する段階の前に、方法は、第１基地局により送信される要求メッセージを第２基地局により受信する段階であって、要求メッセージは、Ｄ２Ｄ通信を実行するためのリソースをユーザ機器に提供するよう要求するために用いられる、段階をさらに備える。
【００２３】
第２態様または前述の可能な実装方式に関連して、別の可能な実装方式において、要求メッセージは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み、ここで、Ｍは正の整数である。
【００２４】
第２態様または前述の可能な実装方式に関連して、別の可能な実装方式において、候補セルは、第１セルである。
【００２５】
第２態様または前述の可能な実装方式に関連して、別の可能な実装方式において、方法は、第１基地局により送信される第１要求メッセージを第２基地局により受信する段階であって、第１要求メッセージは、Ｄ２Ｄ通信を実行するためのリソースを要求するために、またはＤ２Ｄ通信を実行するために用いられる第２基地局のセルリソースを提供するよう要求するために用いられる、段階と、第２基地局により、第１基地局に第１応答メッセージを送信する段階であって、応答メッセージは、第２基地局のセルのリソースを提供し、リソースは、Ｄ２Ｄ通信のために用いられ、または、応答メッセージあ、は、第１セルにおける、Ｄ２Ｄ通信のために用いられるリソースを含む、段階、または、第２基地局により、第１基地局に第１返信メッセージを送信する段階であって、第１返信メッセージは、Ｄ２Ｄ通信のために提供されるべきリソースが存在しないことを表すために用いられる、段階とをさらに備える。
【００２６】
第２態様または前述の可能な実装方式に関連して、別の可能な実装方式において、Ｄ２Ｄ通信（ＰｒｏＳｅ  ｓｅｒｖｉｃｅ）は、Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む。
【００２７】
第３態様によれば、本発明の実施形態は、リソース割り当て方法を提供し、該方法は、基地局により送信される応答メッセージをユーザ機器により受信される段階であって、応答メッセージは、第１セルのＤ２Ｄ通信リソースをユーザ機器に提供するために用いられ、第１セルは、ユーザ機器のセカンダリセルまたは非サービングセルである、段階と、ユーザ機器により、第１セルにおいてＤ２Ｄ通信を実行する段階とを備える。
【００２８】
第３態様に関連して、可能な実装方式において、基地局により送信される応答メッセージをユーザ機器により受信する段階の前に、方法は、ユーザ機器により、基地局に要求メッセージを送信段階であって、要求メッセージは、ユーザ機器によりＤ２Ｄ通信を実行するために用いられるリソースを要求するために用いられる、段階をさらに備える。
【００２９】
第３態様または前述の可能な実装方式に関連して、別の可能な実装方式において、方法は、ユーザ機器により、基地局に隣接セル測定報告を報告し、これにより、基地局は、隣接セル測定報告に従って、ユーザ機器が第１セルにおいてＤ２Ｄ通信を実行できると決定する段階であって、隣接セル測定報告は、第１セルにおけるユーザ機器により測定される第信号品質を含む、段階をさらに備える。
【００３０】
第３態様または前述の可能な実装方式に関連して、別の可能な実装方式において、基地局は、第２セルおよび第１セルの基地局であり、第２セルは、ユーザ機器のサービングセルまたはプライマリセルであり、または、基地局は、第２セルの基地局であり、第２セルは、ユーザ機器のサービングセルまたはプライマリセルである。
【００３１】
第３態様または前述の可能な実装方式に関連して、別の可能な実装方式において、要求メッセージは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み、ここで、Ｍは正の整数である。
【００３２】
第３態様または前述の可能な実装方式に関連して、別の可能な実装方式において、候補セルは、第１セルである。
【００３３】
第３態様または前述の可能な実装方式に関連して、別の可能な実装方式において、応答メッセージは、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌを含み、ここで、Ｌは正の整数である。
【００３４】
第３態様または前述の可能な実装方式に関連して、別の可能な実装方式において、応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み、ここで、Ｌは正の整数である。
【００３５】
第３態様または前述の可能な実装方式に関連して、別の可能な実装方式において、応答メッセージは、セルインデックスＳｃｅｌｌｉｎｄｅｘをさらに含み、ここで、セルインデックスは、第１セルを示すために用いられる。
【００３６】
第３態様または前述の可能な実装方式に関連して、別の可能な実装方式において、Ｄ２Ｄ通信（ＰｒｏＳｅ  ｓｅｒｖｉｃｅ）は、Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む。
【００３７】
第３態様または前述の可能な実装方式に関連して、別の可能な実装方式において、第１セルおよび第２セルは、異なるＰＬＭＮに属する、または、同じＰＬＭＮに属する。
【００３８】
第３態様または前述の可能な実装方式に関連して、別の可能な実装方式において、第１セルは、ユーザ機器のセカンダリセルまたは非サービングセルであり、ユーザ機器は、第１セルにおいてＤ２Ｄ通信の実行を許可されている、または、第１セルは、ユーザ機器のセカンダリセルまたは非サービングセルであり、ユーザ機器は、Ｄ２Ｄ通信を実行するために第１セルのリソースを用いることを許可されている。
【００３９】
第４態様によれば、本発明の実施形態は、リソース割り当て方法を提供し、該方法は、第１基地局により、ユーザ機器にシステムメッセージを送信する段階であって、システムメッセージは、第１セルにおいて発見メッセージを送信またはリッスンするリソース設定を含む、段階を備え、これにより、ユーザ機器は、リソース設定に従って、第１セルにおいて発見メッセージを送信またはリッスンし、ここで、第１セルは、ユーザ機器のセカンダリセルまたは非サービングセルである。
【００４０】
第４態様に関連して、可能な実装方式において、第１基地局によりユーザ機器にシステムメッセージを送信する段階は、第１基地局により、第２セルにおいてユーザ機器にシステムメッセージを送信する段階を含む。
【００４１】
第４態様または前述の可能な実装方式に関連して、別の可能な実装方式において、方法は、第２基地局により送信されるリソース設定メッセージを第１基地局により受信する段階であって、リソース設定メッセージは、第１セルにおいてＤ２Ｄ発見メッセージを受信または送信するリソース設定を含む、段階をさらに備え、ここで、第２基地局は、第１セルの基地局である。
【００４２】
第４態様または前述の可能な実装方式に関連して、別の可能な実装方式において、第１基地局によりユーザ機器にシステムメッセージを送信する段階は、第１基地局により、第１セルにおいてユーザ機器にシステムメッセージを送信する段階を含む。
【００４３】
第５態様によれば、本発明の実施形態は、リソース割り当て方法を提供し、該方法は、第１基地局により送信されるシステムメッセージをユーザ機器によりリッスンする段階であって、システムメッセージは、第１セルにおいて発見メッセージを送信またはリッスンするリソース設定を含み、第１セルは、ユーザ機器のセカンダリセルまたは非サービングセルである、段階と、ユーザ機器により、発見メッセージを送信またはリッスンするリソース設定に従って、第１セルにおいて発見メッセージを送信またはリッスンする段階とを備える。
【００４４】
第５態様に関連して、可能な実装方式において、第１セルにおいて発見メッセージを送信またはリッスンする段階は、ユーザ機器により、許可されている第１セルにおいて発見メッセージを送信またはリッスンする段階、または、ユーザ機器が第１セルにおいて発見メッセージを送信またはリッスンすることを許可されていると決定された後に、第１セルにおいて発見メッセージを送信またはリッスンする段階を含む。
【００４５】
第５態様または前述の可能な実装方式に関連して、別の可能な実装方式において、ユーザ機器により、システムメッセージをリッスンする段階は、ユーザ機器により、第１セルまたは第２セルにおいてシステムメッセージをリッスンする段階を含み、ここで、第２セルは、ユーザ機器のプライマリセルまたはサービングセルである。
【００４６】
第６態様によれば、本発明の実施形態は、基地局を提供し、該基地局は、ユーザ機器が第１セルにおいてＤ２Ｄ通信を実行できるかを決定するよう構成される決定ユニットであって、第１セルは、ユーザ機器のセカンダリセルまたは非サービングセルである、決定ユニットと、ユーザ機器が第１セルにおいてＤ２Ｄ通信を実行できると決定ユニットが決定したとき、ユーザ機器が第１セルにおいてＤ２Ｄ通信を実行するように、第１基地局により、ユーザ機器に応答メッセージを送信するよう構成される送信ユニットであって、応答メッセージは、第１セルのＤ２Ｄ通信リソースをユーザ機器に提供するために用いられる、送信ユニット、または、ユーザ機器が第１セルにおいてＤ２Ｄ通信を実行できないと決定ユニットが決定したとき、ユーザ機器が第１セルにおいてＤ２Ｄ通信を実行できないことを通知するべく、第１基地局により、ユーザ機器に返信メッセージを送信するよう構成される送信ユニットとを備える。
【００４７】
第６態様に関連して、可能な実装方式において、基地局は、第２セルの基地局であり、第２セルは、ユーザ機器のプライマリセルまたはサービングセルである。
【００４８】
第６態様または前述の可能な実装方式に関連して、別の可能な実装方式において、決定ユニットは、ユーザ機器が第１セルにおいてＤ２Ｄ通信の実行を許可されているかを決定し、ユーザ機器が第１セルにおいてＤ２Ｄ通信の実行を許可されていると決定された場合、ユーザ機器が第１セルにおいてＤ２Ｄ通信を実行できると決定する、または、ユーザ機器が第１セルにおいてＤ２Ｄ通信の実行を許可されていないと決定された場合、ユーザ機器が第１セルにおいてＤ２Ｄ通信を実行できないと決定する、または、第１セルにおいてユーザ機器に割り当てられるべきリソースが存在するかを決定し、第１セルまたは第１キャリアにおいてユーザ機器に割り当てられるべきリソースが存在すると決定された場合、ユーザ機器が第１セルにおいてＤ２Ｄ通信を実行できると決定する、または、第１セルまたは第１キャリアにおいてユーザ機器に割り当てられるべきリソースが存在しないと決定された場合、ユーザ機器が第１セルにおいてＤ２Ｄ通信を実行できないと決定する、または、第１セルにおけるユーザ機器の信号品質が予め設定された閾値を満たすかを決定し、第１セルにおけるユーザ機器の信号品質が予め設定された閾値を満たすと決定された場合、ユーザ機器が第１セルにおいてＤ２Ｄ通信を実行できると決定する、または、第１セルにおけるユーザ機器の信号品質が予め設定された閾値を満たさないと決定された場合、ユーザ機器が第１セルにおいてＤ２Ｄ通信を実行できないと決定するよう具体的に構成される。
【００４９】
第６態様または前述の可能な実装方式に関連して、別の可能な実装方式において、基地局は、受信ユニットをさらに備え、受信ユニットは、第１セルにおけるユーザ機器の信号品質が予め設定された閾値を満たすかを決定する前に、ユーザ機器により報告される隣接セル測定報告を受信するよう構成され、隣接セル測定報告は、第１セルにおけるユーザ機器により測定される信号品質を含む。
【００５０】
第６態様または前述の可能な実装方式に関連して、別の可能な実装方式において、受信ユニットは、ユーザ機器により送信される第１要求メッセージを受信するようさらに構成され、第１要求メッセージは、ユーザ機器によりＤ２Ｄ通信を実行するために用いられるリソースを決定するよう要求するために用いられ、リソースは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み、ここで、Ｍは正の整数である。
【００５１】
第６態様または前述の可能な実装方式に関連して、別の可能な実装方式において、候補セルは、第１セルであり、第１セルの基地局は第１基地局であり、または、第１セルの基地局は、第２基地局である。
【００５２】
第６態様または前述の可能な実装方式に関連して、別の可能な実装方式において、第１セルの基地局が第２基地局である場合、送信ユニットは、ユーザ機器により送信される要求メッセージを第１基地局が受信する前に、第２基地局に第２要求メッセージを送信するようさらに構成され、第２要求メッセージは、Ｄ２Ｄ通信を実行するためのリソースを要求するために、または、Ｄ２Ｄ通信を実行するために用いられる第２基地局のセルリソースを提供するよう要求するために用いられ、受信ユニットは、第２基地局により送信される第１応答メッセージを受信するようさらに構成され、応答メッセージは、第２基地局のセルのリソースを提供し、リソースは、Ｄ２Ｄ通信のために用いられ、または、応答メッセージは、第１セルにおいてＤ２Ｄ通信のために用いられるリソースを含む、または、第２基地局により送信される第１返信メッセージを受信するようさらに構成され、返信メッセージは、Ｄ２Ｄ通信のために提供されるべきリソースが存在しないことを表すために用いられる。
【００５３】
第６態様または前述の可能な実装方式に関連して、別の可能な実装方式において、送信ユニットは、第２基地局に第３要求メッセージを送信するようさらに構成され、第３要求メッセージは、ユーザ機器がＤ２Ｄ通信を実行するためのリソースを要求するために用いられ、および／または、受信ユニットは、第２基地局により送信される応答メッセージを受信するようさらに構成され、応答メッセージは、ユーザ機器が第１セルにおいてＤ２Ｄ通信を実行できると決定されたことを表すために用いられ、応答メッセージは、端末ユーザが第１セルにおいてＤ２Ｄ通信を実行するためのリソースを含む、または、第２基地局により送信される返信メッセージを受信するようさらに構成され、返信メッセージは、ユーザ機器が第１セルにおいてＤ２Ｄ通信を実行できないことを表すために用いられる。
【００５４】
第６態様または前述の可能な実装方式に関連して、別の可能な実装方式において、応答メッセージは、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌであって、Ｌは正の整数である、数量Ｌ、および／または、専用リソース設定およびリソースプール設定である、第１セルのＤ２Ｄ通信リソースの設定を含む。
【００５５】
第６態様または前述の可能な実装方式に関連して、別の可能な実装方式において、応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み、ここで、Ｌは正の整数である。
【００５６】
第６態様または前述の可能な実装方式に関連して、別の可能な実装方式において、応答メッセージは、セルインデックスＳｃｅｌｌｉｎｄｅｘを含み、ここで、セルインデックスは、第１セルを示すために用いられる。
【００５７】
第６態様または前述の可能な実装方式に関連して、別の可能な実装方式において、Ｄ２Ｄ通信（ＰｒｏＳｅ  ｓｅｒｖｉｃｅ）は、Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む。
【００５８】
第６態様または前述の可能な実装方式に関連して、別の可能な実装方式において、第１基地局が第２セルおよび第１セルの基地局である。
【００５９】
第６態様または前述の可能な実装方式に関連して、別の可能な実装方式において、受信ユニットは、第２セルにおいて、ユーザ機器により送信される第１要求メッセージを受信するよう具体的に構成される。
【００６０】
第７態様によれば、本発明の実施形態は、基地局を提供し、該基地局は、ユーザ機器が第１セルにおいてＤ２Ｄ通信を実行できるかを決定するよう構成される決定ユニットであって、第１セルは、ユーザ機器のセカンダリセルまたは非サービングセルであり、第２基地局は、第１セルの基地局である、決定ユニットと、送信ユニットであって、ユーザ機器が第１セルにおいてＤ２Ｄ通信を実行できると決定ユニットが決定したとき、第１基地局に応答メッセージを送信するよう構成され、応答メッセージは、第１セルのＤ２Ｄ通信リソースをユーザ機器に提供するために用いられ、第１基地局は、ユーザ機器の第２セルの基地局であり、第２セルは、ユーザ機器のプライマリセルまたはサービングセルである、または、ユーザ機器が第１セルにおいてＤ２Ｄ通信を実行できないと決定ユニットが決定したとき、第１基地局に返信メッセージを送信するよう構成され、返信メッセージは、ユーザ機器が第１セルにおいてＤ２Ｄ通信を実行できないことを通知するために用いられる、または、ユーザ機器が第１セルにおいてＤ２Ｄ通信を実行できると決定ユニットが決定したとき、第１基地局に応答メッセージを送信するよう構成され、これにより、第１基地局は、ユーザ機器が第１セルにおいてＤ２Ｄ通信を実行することを通知し、応答メッセージは、第１セルのＤ２Ｄ通信リソースをユーザ機器に提供するために用いられ、第１基地局は、ユーザ機器の第２セルの基地局であり、第２セルは、ユーザ機器のプライマリセルまたはサービングセルである、および／または、ユーザ機器が第１セルにおいてＤ２Ｄ通信を実行できないと決定ユニットが決定したとき、第１基地局に返信メッセージを送信するよう構成され、これにより、第１基地局および第２基地局は、ユーザ機器が第１セルにおいてＤ２Ｄ通信を実行できないことを通知する、送信ユニットとを備える。
【００６１】
第７態様に関連して、可能な実装方式において、決定ユニットは、ユーザ機器が第１セルにおいてＤ２Ｄ通信の実行を許可されているかを決定し、ユーザ機器が第１セルにおいてＤ２Ｄ通信の実行を許可されていると決定された場合、ユーザ機器が第１セルにおいてＤ２Ｄ通信を実行できると決定する、または、ユーザ機器が第１セルにおいてＤ２Ｄ通信の実行を許可されていないと決定された場合、ユーザ機器が第１セルにおいてＤ２Ｄ通信を実行できないと決定する、または、第１セルにおいてユーザ機器に割り当てられるべきリソースが存在するかを決定し、第１セルまたは第１キャリアにおいてユーザ機器に割り当てられるべきリソースが存在すると決定された場合、ユーザ機器が第１セルにおいてＤ２Ｄ通信を実行できると決定する、または、第１セルまたは第１キャリアにおいてユーザ機器に割り当てられるべきリソースが存在しないと決定された場合、ユーザ機器が第１セルにおいてＤ２Ｄ通信を実行できないと決定する、または、第１セルにおけるユーザ機器の信号品質が予め設定された閾値を満たすかを決定し、第１セルにおけるユーザ機器の信号品質が予め設定された閾値を満たすと決定された場合、ユーザ機器が第１セルにおいてＤ２Ｄ通信を実行できると決定する、または、第１セルにおけるユーザ機器の信号品質が予め設定された閾値を満たさないと決定された場合、ユーザ機器が第１セルにおいてＤ２Ｄ通信を実行できないと決定するよう具体的に構成される。
【００６２】
第７態様に関連して、可能な実装方式において、基地局は、ユーザ機器が第１セルにおいてＤ２Ｄ通信を実行できるかを第２基地局が決定する前に、第１基地局により送信される要求メッセージを受信するよう構成される受信ユニットをさらに備え、ここで、要求メッセージは、Ｄ２Ｄ通信を実行するためのリソースをユーザ機器に提供するよう要求するために用いられる。
【００６３】
第７態様または前述の可能な実装方式に関連して、別の可能な実装方式において、要求メッセージは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み、ここで、Ｍは正の整数である。
【００６４】
第７態様または前述の可能な実装方式に関連して、別の可能な実装方式において、候補セルは、第１セルである。
【００６５】
第７態様または前述の可能な実装方式に関連して、別の可能な実装方式において、受信ユニットは、第１基地局により送信される第１要求メッセージを受信するようさらに構成され、第１要求メッセージは、Ｄ２Ｄ通信を実行するためのリソースを要求するために、または、Ｄ２Ｄ通信を実行するために用いられる第２基地局のセルリソースを提供するよう要求するために用いられ、送信ユニットは、第１基地局に第１応答メッセージを送信するようさらに構成され、応答メッセージは、第２基地局のセルのリソースを提供し、リソースは、Ｄ２Ｄ通信のために用いられ、または、応答メッセージは、第１セルにおいてＤ２Ｄ通信のために用いられるリソースを含む、または、第１基地局に第１返信メッセージを送信するようさらに構成され、返信メッセージは、Ｄ２Ｄ通信のために提供されるべきリソースが存在しないことを表すために用いられる。
【００６６】
第７態様または前述の可能な実装方式に関連して、別の可能な実装方式において、Ｄ２Ｄ通信（ＰｒｏＳｅ  ｓｅｒｖｉｃｅ）は、Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む。
【００６７】
第８態様によれば、本発明の実施形態は、ユーザ機器を提供し、該ユーザ機器は、基地局により送信される応答メッセージを受信するよう構成される受信ユニットであって、応答メッセージは、第１セルのＤ２Ｄ通信リソースをユーザ機器に提供するために用いられ、第１セルは、ユーザ機器のセカンダリセルまたは非サービングセルである、受信ユニットと、第１セルにおいてＤ２Ｄ通信を実行するよう構成される送信ユニットとを備える。
【００６８】
第８態様に関連して、可能な実装方式において、送信ユニットは、基地局により送信される応答メッセージをユーザ機器が受信する前に、基地局に要求メッセージを送信するようさらに構成され、要求メッセージは、ユーザ機器によりＤ２Ｄ通信を実行するために用いられるリソースを要求するために用いられる。
【００６９】
第８態様または前述の可能な実装方式に関連して、別の可能な実装方式において、送信ユニットは、基地局に隣接セル測定報告を報告するようさらに構成され、これにより、基地局は、隣接セル測定報告に従って、ユーザ機器が第１セルにおいてＤ２Ｄ通信を実行できると決定し、ここで、隣接セル測定報告は、第１セルにおけるユーザ機器により測定される信号品質を含む。
【００７０】
第８態様または前述の可能な実装方式に関連して、別の可能な実装方式において、基地局は、第２セルおよび第１セルの基地局であり、第２セルは、ユーザ機器のサービングセルまたはプライマリセルであり、または、基地局は、第２セルの基地局であり、第２セルは、ユーザ機器のサービングセルまたはプライマリセルである。
【００７１】
第８態様または前述の可能な実装方式に関連して、別の可能な実装方式において、要求メッセージは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み、ここで、Ｍは正の整数である。
【００７２】
第８態様または前述の可能な実装方式に関連して、別の可能な実装方式において、候補セルは、第１セルである。
【００７３】
第８態様または前述の可能な実装方式に関連して、別の可能な実装方式において、応答メッセージは、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌを含み、ここで、Ｌは正の整数である。
【００７４】
第８態様または前述の可能な実装方式に関連して、別の可能な実装方式において、応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み、ここで、Ｌは正の整数である。
【００７５】
第８態様または前述の可能な実装方式に関連して、別の可能な実装方式において、応答メッセージは、セルインデックスＳｃｅｌｌｉｎｄｅｘをさらに含み、ここで、セルインデックスは、第１セルを示すために用いられる。
【００７６】
第８態様または前述の可能な実装方式に関連して、別の可能な実装方式において、Ｄ２Ｄ通信（ＰｒｏＳｅ  ｓｅｒｖｉｃｅ）は、Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む。
【００７７】
第８態様または前述の可能な実装方式に関連して、別の可能な実装方式において、第１セルおよび第２セルは、異なるＰＬＭＮに属する、または、同じＰＬＭＮに属する。
【００７８】
第８態様または前述の可能な実装方式に関連して、別の可能な実装方式において、第１セルは、ユーザ機器のセカンダリセルまたは非サービングセルであり、ユーザ機器は、第１セルにおいてＤ２Ｄ通信の実行を許可されている、または、第１セルは、ユーザ機器のセカンダリセルまたは非サービングセルであり、ユーザ機器は、Ｄ２Ｄ通信を実行するために第１セルのリソースを用いることを許可されている。
【００７９】
第９態様によれば、本発明の実施形態は、基地局を提供し、該基地局は、ユーザ機器にシステムメッセージを送信するよう構成される送信ユニットであって、システムメッセージは、第１セルにおいて発見メッセージを送信またはリッスンするリソース設定を含み、これにより、ユーザ機器は、リソース設定に従って、第１セルにおいて発見メッセージを送信またはリッスンする、送信ユニットを備え、ここで、第１セルは、ユーザ機器のセカンダリセルまたは非サービングセルである。
【００８０】
第９態様に関連して、可能な実装方式において、送信ユニットは、第２セルにおいてユーザ機器にシステムメッセージを送信するよう具体的に構成される。
【００８１】
第９態様または前述の可能な実装方式に関連して、別の可能な実装方式において、基地局は、受信ユニットをさらに備え、該受信ユニットは、第２基地局により送信されるリソース設定メッセージを受信するよう構成され、リソース設定メッセージは、第１セルにおいてＤ２Ｄ発見メッセージを受信または送信するリソース設定を含み、第２基地局は、第１セルに基地局である。
【００８２】
第９態様または前述の可能な実装方式に関連して、別の可能な実装方式において、送信ユニットは、第１セルにおいてユーザ機器にシステムメッセージを送信するよう具体的に構成される。
【００８３】
第１０態様によれば、本発明の実施形態は、ユーザ機器を提供し、該ユーザ機器は、第１基地局により送信されるシステムメッセージをリッスンするよう構成されるリッスンユニットであって、システムメッセージは、第１セルにおいて発見メッセージを送信またはリッスンするリソース設定を含み、第１セルは、ユーザ機器のセカンダリセルまたは非サービングセルである、リッスンユニットと、発見メッセージを送信またはリッスンするリソース設定に従って、第１セルにおいて発見メッセージを送信またはリッスンするよう構成される送信ユニットとを備える。
【００８４】
第１０態様に関連して、可能な実装方式において、送信ユニットは、許可されている第１セルにおいて発見メッセージを送信またはリッスンする、または、ユーザ機器が第１セルにおいて発見メッセージを送信またはリッスンすることを許可されていると決定された後に、第１セルにおいて発見メッセージを送信またはリッスンするよう具体的に構成される。
【００８５】
第１０態様または前述の可能な実装方式に関連して、別の可能な実装方式において、リッスンユニットは、第１セルまたは第２セルにおいてシステムメッセージをリッスンするよう具体的に構成され、第２セルは、ユーザ機器のプライマリセルまたはサービングセルである。
【００８６】
上記から分かるように、本発明の実施形態は、リソース割り当て方法、デバイス、およびシステムを提供する。ユーザ機器のプライマリセルまたはサービングセルの基地局が、第１セルのＤ２Ｄ通信リソースをユーザ機器に提供し、ここで、第１セルは、セカンダリセルまたは非サービングセルである。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【図面の簡単な説明】
【００８７】
本発明の実施形態または従来技術における技術的解決手段をより明確に説明するために、以下では、実施形態または従来技術を説明するために必要な添付の図面を簡潔に説明する。明らかに、以下の説明における添付の図面は単に、本発明のいくつかの実施形態を示しており、当業者は、創造努力なく、これらの添付の図面から他の図面をさらに導き出し得る。
【００８８】
【図１】本発明の実施形態に係るリソース割り当て方法のフローチャートである。
【００８９】
【図２】本発明の実施形態に係るリソース割り当て方法のフローチャートである。
【００９０】
【図３】本発明の実施形態に係るリソース割り当て方法のフローチャートである。
【００９１】
【図４】本発明の実施形態に係るリソース割り当て方法のフローチャートである。
【００９２】
【図５】本発明の実施形態に係るリソース割り当て方法のフローチャートである。
【００９３】
【図６】本発明の実施形態に係るリソース割り当て方法のフローチャートである。
【００９４】
【図７】本発明の実施形態に係るリソース割り当て方法のフローチャートである。
【００９５】
【図８】本発明の実施形態に係るリソース割り当て方法のフローチャートである。
【００９６】
【図９】本発明の実施形態に係る通信方法のフローチャートである。
【００９７】
【図１０】本発明の実施形態に係る通信方法のフローチャートである。
【００９８】
【図１１】本発明の実施形態に係る通信方法のフローチャートである。
【００９９】
【図１２】本発明の実施形態に係る通信方法のフローチャートである。
【０１００】
【図１３】本発明の実施形態に係る基地局の構造図である。
【０１０１】
【図１３Ａ】本発明の実施形態に係る基地局の構造図である。
【０１０２】
【図１４】本発明の実施形態に係る基地局の構造図である。
【０１０３】
【図１４Ａ】本発明の実施形態に係る基地局の構造図である。
【０１０４】
【図１５】本発明の実施形態に係るユーザ機器の構造図である。
【０１０５】
【図１６】本発明の実施形態に係るリソース割り当てシステムの構造図である。
【０１０６】
【図１７】本発明の実施形態に係る基地局の構造図である。
【０１０７】
【図１７Ａ】本発明の実施形態に係る基地局の構造図である。
【０１０８】
【図１８】本発明の実施形態に係るユーザ機器の構造図である。
【０１０９】
【図１９】本発明の実施形態に係るリソース割り当てシステムの構造図である。
【０１１０】
【図２０】本発明の実施形態に係る基地局の構造図である。
【０１１１】
【図２０Ａ】本発明の実施形態に係る基地局の構造図である。
【０１１２】
【図２１】本発明の実施形態に係る基地局の構造図である。
【０１１３】
【図２１Ａ】本発明の実施形態に係る基地局の構造図である。
【０１１４】
【図２２】本発明の実施形態に係るリソース割り当てシステムの構造図である。
【０１１５】
【図２３】本発明の実施形態に係る基地局の構造図である。
【０１１６】
【図２４】本発明の実施形態に係る基地局の構造図である。
【０１１７】
【図２５】本発明の実施形態に係るユーザ機器の構造図である。
【０１１８】
【図２６】本発明の実施形態に係るリソース割り当てシステムの構造図である。
【０１１９】
【図２７】本発明の実施形態に係る基地局の構造図である。
【０１２０】
【図２８】本発明の実施形態に係るユーザ機器の構造図である。
【０１２１】
【図２９】本発明の実施形態に係るリソース割り当てシステムの構造図である。
【０１２２】
【図３０】本発明の実施形態に係る基地局の構造図である。
【０１２３】
【図３１】本発明の実施形態に係る基地局の構造図である。
【０１２４】
【図３２】本発明の実施形態に係るリソース割り当てシステムの構造図である。
【発明を実施するための形態】
【０１２５】
以下では、本発明の実施形態における添付の図面に関連して、本発明の実施形態における技術的解決手段を明確かつ完全に説明する。明らかに、説明される実施形態は、本発明の実施形態の一部に過ぎず、全部ではない。当業者により、創造努力なく、本発明の実施形態に基づき取得される全ての他の実施形態は、本発明の保護範囲に含まれるものとする。
【０１２６】
本発明の実施形態において、アイドル（ｉｄｌｅ）状態におけるユーザ機器（Ｕｓｅｒ  Ｅｑｕｉｐｍｅｎｔ、ＵＥ）に対して、サービングセルは、ユーザ機器が留まるセルであることに留意すべきである。接続されている状態におけるユーザ機器について、サービングセルは、サービスをユーザ機器に提供するセルである。例えば、プライマリセルまたはセカンダリセルが、ＵＥのサービングセルである。
【０１２７】
具体的には、プライマリセルは、ＵＥがキャリアアグリゲーション（ＣＡ）を用いるよう構成されたとき、ＵＥとネットワークとの間には１つのＲＲＣ接続のみが存在することを指し得る。ＲＲＣ接続確立／再確立／ハンドオーバーでは、ＵＥの１つのサービングセルが、ＮＡＳのモビリティ情報をＵＥに提供する。ＲＲＣ接続再確立／ハンドオーバーでは、１つのサービングセルが、セキュリティ入力をＵＥに提供する。このサービングセルは、ＵＥのプライマリセルである。（ＣＡが構成されたとき、ＵＥは、ネットワークとは１つのみのＲＲＣ接続を有する。ＲＲＣ接続確立／再確立／ハンドオーバーでは、１つのサービングセルが、ＮＡＳのモビリティ情報（例えば、ＴＡＩ）を提供し、ＲＲＣ接続再確立／ハンドオーバーでは、１つのサービングセルが、セキュリティ入力を提供する。このセルは、プライマリセル（ＰＣｅｌｌ）と称される。あるいは、以下の通りである。
【０１２８】
具体的には、プライマリセルは、マルチキャリアのシナリオにおいて、ＲＲＣ接続確立／再確立／ハンドオーバーでは、ＵＥの１つのサービングセルが、ＮＡＳのモビリティ情報をＵＥに提供することを指し得る。ＲＲＣ接続再確立／ハンドオーバーでは、１つのサービングセルが、セキュリティ入力をＵＥに提供する。このサービングセルは、ＵＥのプライマリセルである。
【０１２９】
具体的には、プライマリセルは、二重接続のシナリオにおいては、マスタ基地局（ＰＣｅｌｌ）のセルを指し得る。マスタ基地局（例えば、マスタｅＮＢ）は、二重接続のシナリオにおいては、Ｓ１−ＭＭＥインターフェースに接続される基地局を指し得る（マスタｅＮＢ：二重接続において、少なくともＳ１−ＭＭＥを終了させるｅＮＢである）。
【０１３０】
具体的には、プライマリセルは、ユーザ機器の二次基地局が端末にサービスを提供する複数のセルを有する場合、セルのうちの１つがプライマリセルであることを指し得る。プライマリセルは、ＵＥに、ＰＵＣＣＨを提供する、またはアップリンク送信リソースを提供する。もちろん、プライマリセルは、別の定義をさらに有し得る。このことは、本発明において限定されない。
【０１３１】
具体的には、セカンダリセル（Ｓｅｃｏｎｄａｒｙ  ｃｅｌｌ）は、ＵＥにサービスを提供するセルを指してよいが、該セルは、プライマリセルではない。代わりに、セカンダリセル（Ｓｅｃｏｎｄａｒｙ  ｃｅｌｌ）は、データ送信をユーザ機器に提供するセル、またはＤＲＢ送信をユーザ機器に提供するセル、またはＰＤＳＣＨに関する情報の送信をユーザ機器に提供するセルである。
【０１３２】
具体的には、二次基地局は、ＵＥのセカンダリセルの基地局または二重接続のシナリオにおいて、さらなるリソースをＵＥに提供する基地局を指し得るが、マスタ基地局ではない（二次ｅＮＢ：二重接続において、マスタｅＮＢではないＵＥのためのさらなる無線リソースを提供しているｅＮＢである）。
【０１３３】
具体的には、非サービングセルは、ユーザ機器にサービスを提供しないセル、またはユーザ機器に接続されていないセルであってよい。
【０１３４】
本発明の全ての実施形態において、プライマリセルは、主要キャリアと同等であってよい。セカンダリセルは、セカンダリキャリアと同等であってよい。非サービングセルは、非サービングキャリアと同等であってよい。セル周波数は、セルにより用いられる中心周波数である。セル周波数は、キャリア周波数と同等である。本発明の実施形態において、セルは、発明の内容を説明するための例として、主に用いられている。本発明において、全てのセルは、キャリアと同等であってよい。例えば、非サービングセルは、非サービングキャリアと同等である。詳細は、ここではこれ以上説明されない。
【０１３５】
本発明の全ての実施形態において、「第１セルにおいてＤ２Ｄ通信を実行する」は、第１セルのリソースを用いることにより、Ｄ２Ｄ通信を実行することと同等であってよい。詳細は、ここではこれ以上説明されない。
【０１３６】
［実施形態１］
図１は、本発明の実施形態に係るリソース割り当て方法のフローチャートである。図１に示されているように、方法は、以下の段階を備え得る。
【０１３７】
１０１：第１基地局は、ユーザ機器が第１セルにおいてＤ２Ｄ通信を実行できるかを決定し、ユーザ機器が第１セルにおいてＤ２Ｄ通信を実行できる場合、処理は、段階１０２Ａに移り、または、ユーザ機器が第１セルにおいてＤ２Ｄ通信を実行できない場合、処理は、段階１０２Ｂに移る。
【０１３８】
第１基地局は、第２セルの第１基地局であってよく、第２セルは、ユーザ機器のプライマリセルまたはサービングセルであってよい。
【０１３９】
ユーザ機器が第１セルにおいてＤ２Ｄ通信を実行できるかは、ユーザ機器が第１セルにおいてＤ２Ｄ通信の実行を許可されているかを指し得る。第１セルは、ユーザ機器のセカンダリセルまたは非サービングセルであってよい。
【０１４０】
Ｄ２Ｄ通信は、ＰｒｏＳｅ  ｓｅｒｖｉｃｅと具体的に同等であってよく、以下の通信の１つまたは複数を含んでよい：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、または、Ｄ２Ｄ発見メッセージのリッスン。
【０１４１】
任意選択的に、第１基地局は、以下の（１）、（２）、または（３）のうちの任意の方式、または複数の方式を用いることにより、ユーザ機器が第１セルにおいてＤ２Ｄ通信を実行できるかを決定し得る。
【０１４２】
（１）第１基地局は、ユーザ機器が第１セルにおいてＤ２Ｄ通信の実行を許可されているかを決定し、ユーザ機器が第１セルにおいてＤ２Ｄ通信の実行を許可されていると決定された場合、ユーザ機器が第１セルにおいてＤ２Ｄ通信を実行できると決定する、または、ユーザ機器がＤ２Ｄ通信の実行を許可されていないと決定された場合、ユーザ機器が第１セルにおいてＤ２Ｄ通信を実行できないと決定する。
【０１４３】
具体的には、第１基地局は、第１セル情報とＰＬＭＮ（Ｐｕｂｌｉｃ  Ｌａｎｄ  Ｍｏｂｉｌｅ  Ｎｅｔｗｏｒｋ、公衆陸上移動体ネットワーク）情報とに従って、ユーザ機器が第１セルにおいてＤ２Ｄ通信の実行を許可されているかを決定してよく、ＰＬＭＮ情報において提供される許可されているＰＬＭＮ  ＩＤが第１セルに対応するＰＬＭＮ  ＩＤを含む場合、ＵＥがＤ２Ｄ通信の実行を許可されていると決定してよく、もしくは、第１セルが、ユーザ機器がＤ２Ｄ通信の実行を許可され得るセルであると決定してよく、または、ＰＬＭＮ情報において提供される許可されているＰＬＭＮ  ＩＤが第１セルに対応するＰＬＭＮ  ＩＤを含まない場合、ＵＥがＤ２Ｄ通信の実行を許可されていないと決定してよく、もしくは、第１セルが、ユーザ機器がＤ２Ｄ通信の実行を許可され得るセルではないと決定してよい。
【０１４４】
第１セル情報は、第１セルに対応するＰＬＭＮ  ＩＤを決定するために用いられる。ＰＬＭＮ  ＩＤは、以下のうち少なくとも１つを含む：第１セルの識別子ＥＣＧＩ（Ｅｖｏｌｖｅｄ  Ｃｅｌｌ  Ｇｌｏｂａｌ  Ｉｄｅｎｔｉｆｉｅｒ，例えば、Ｅ−ＵＴＲＡにおけるセルのグローバルに一意のＩＤである）、第１セルに対応するＰＬＭＮ  ＩＤ、または第１セルの物理レイヤＩＤ  ＰＣＩ（ｐｈｙｓｉｃａｌ  ｌａｙｅｒ  ｉｄｅｎｔｉｔｙ）、または第１セルの周波数。
【０１４５】
ＰＬＭＮ情報は、ＰＬＭＮの許可状態に関する情報を提供するために用いられ、ここで、許可されているＰＬＭＮは、ユーザ機器によりＤ２Ｄ通信を実行するために用いられ（ＰＬＭＮ情報は、ＰｒｏＳｅ  ｓｅｒｖｉｃｅｓについてＰＬＭＮの許可状態に関する情報を提供するために用いられる）、または、ユーザ機器がどのＰＬＭＮにおいてＤ２Ｄ通信の実行を許可されているかを示すために用いられ（ユーザ機器がどのＰＬＭＮにおいてＰｒｏＳｅ  ｓｅｒｖｉｃｅｓについて許可されているかを示す）、または、ユーザ機器がどのＰＬＭＮに対応するセルにおいてＤ２Ｄ通信の実行を許可されているかを示すために用いられる。ＰＬＭＮ情報は、以下のうちの１つまたは複数を含み得る：少なくとも１つの許可されているＰＬＭＮのＰＬＭＮ  ＩＤ、少なくとも１つの許可されていないＰＬＭＮのＰＬＭＮ  ＩＤ、ユーザ機器によりサポートされるＰＬＭＮ、または各ＰＬＭＮの許可状態。各ＰＬＭＮの許可状態は、真（ｔｒｕｅ）または偽（ｆａｌｓｅ）を含む。「真（ｔｒｕｅ）」は、ＰＬＭＮは、ＵＥが許可されているＰＬＭＮであること、またはＰＬＭＮは、ＵＥがＤ２Ｄ通信の実行を許可されているＰＬＭＮであることを表す。「偽（ｆａｌｓｅ）」は、ＰＬＭＮは、ＵＥが許可されていないＰＬＭＮであること、またはＰＬＭＮは、ＵＥがＤ２Ｄ通信の実行を許可されていないＰＬＭＮであることを表す。
【０１４６】
（２）第１基地局は、第１セルにおいてユーザ機器に割り当てられるべきリソースが存在するかを決定する。第１セルにおいてユーザ機器に割り当てられるべきリソースが存在すると決定された場合、ユーザ機器が第１セルにおいてＤ２Ｄ通信を実行できると決定する。または、第１セルにおいてユーザ機器に割り当てられるべきリソースが存在しないと決定された場合、ユーザ機器が第１セルにおいてＤ２Ｄ通信を実行できないと決定する。
【０１４７】
（３）第１基地局は、第１セルにおけるユーザ機器の信号品質が予め設定された閾値を満たすかを決定し、以下のことを含む。第１セルにおけるユーザ機器の信号品質が予め設定された閾値を満たすと決定された場合、ユーザ機器が第１セルにおいてＤ２Ｄ通信を実行できると決定する段階、または、第１セルにおけるユーザ機器の信号品質が予め設定された閾値を満たさないと決定された場合、ユーザ機器が第１セルにおいてＤ２Ｄ通信を実行できないと決定する段階。
【０１４８】
予め設定された閾値は、要求に従って、設定され得る。このことは、本発明のこの実施形態において限定されない。
【０１４９】
任意選択的に、第３方式が実行される前に、第１基地局はさらに、ユーザ機器により報告される隣接セル測定を受信することを必要とし、ここで、隣接セル測定報告は、第１セルにおけるユーザ機器により測定される信号品質を含む。
【０１５０】
１０２Ａ：第１基地局は、ユーザ機器に応答メッセージを送信し、これにより、ユーザ機器は、第１セルにおいてＤ２Ｄ通信を実行する。
【０１５１】
応答メッセージは、第１セルにおけるＤ２Ｄ通信リソースをユーザ機器に提供するために用いられ、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌであって、Ｌは正の整数である、数量Ｌ、および／または、専用リソース設定およびリソースプール設定（ａ  ｒｅｓｏｕｒｃｅ  ｐｏｏｌ  ｃｏｎｆｉｇｕｒａｔｉｏｎ）である、第１セルのＤ２Ｄ通信リソースの設定を含み得る。
【０１５２】
ＵＥは、リソースプール設定に従って、リソースプールから、リソースを自律的に選択する。リソースは、ＵＥがＤ２Ｄ通信を実行するために用いられる（例えば、発見メッセージの送信は、発見メッセージアナウンスメント（ｄｉｓｃｏｖｅｒｙ  ｍｅｓｓａｇｅ  ａｎｎｏｕｎｃｅｍｅｎｔ）である）。
【０１５３】
代わりに、ＵＥは、リソースプール上の専用リソースからリソースを自律的に選択する。リソースは、ＵＥがＤ２Ｄ通信を実行するために用いられる（例えば、発見メッセージの送信は、発見メッセージアナウンスメントである）。
【０１５４】
代わりに、リソースプール設定に従って、ＵＥは、リソースプール上の専用リソースを用いてＤ２Ｄ通信を実行する。具体的には、ｅＮＢは、リソースプールの専用リソースを提供し、ＵＥがＤ２Ｄ通信を実行するための専用リソースを構成する（ｅＮＢは、例えば、発見メッセージアナウンスメントなどのＰｒｏＳｅ  ｓｅｒｖｉｃｅのための時間及び周波数インデックスの形式において専用リソースと共にリソースプールを構成し得る）。
【０１５５】
応答メッセージは、第２セルのセル識別子、第２セルの物理セル識別子ＰＣＩおよび第２セル周波数、または第２セルが属するＰＬＭＮのＩＤのうちの１つまたは複数、および／または、ユーザ機器がＤ２Ｄ通信を実行するためのリソースの数量Ｌをさらに含み得て、ここで、Ｌは正の整数である。
【０１５６】
リソースの数量Ｌについて、Ｌは正の整数であり、ＵＥにより要求されてＤ２Ｄメッセージを送信するために用いられるリソースの数量を示すために用いられてよく、ＵＥが各周期において送信を望むメッセージの数量を含んでよい。例えば、Ｌは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０１５７】
加えて、応答メッセージは、セルインデックス（Ｓｃｅｌｌｉｎｄｅｘ）をさらに含み得る。セルインデックスは、第１セルを示すために用いられる。
【０１５８】
１０２Ｂ：第１基地局は、ユーザ機器に返信メッセージを送信し、ここで、返信メッセージは、ユーザ機器が第１セルにおいてＤ２Ｄ通信を実行できないことを通知するために用いられる。
【０１５９】
任意選択的に、第１セルおよび第２セルは、同じＰＬＭＮまたは異なるＰＬＭＮに属してよい。
【０１６０】
任意選択的に、第１基地局は、第２セルおよび第１セルの基地局である。
【０１６１】
任意選択的に、第１基地局は、第２セルの基地局であり、第２基地局は、第１セルの基地局である。
【０１６２】
それに対応して、第１基地局が前述の方法を用いることによりＤ２Ｄ通信リソースをユーザ機器に能動的に提供することに加えて、第１基地局は、ユーザ機器の要求で前述の工程をさらに実行し得る。詳細は以下の通りである。ユーザ機器により送信される第１要求メッセージを第１基地局により受信し、ここで、第１要求メッセージは、Ｄ２Ｄ通信を実行するためのリソースをユーザ機器に提供するよう要求するために用いられる。
【０１６３】
第１要求メッセージは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み得て、ここで、Ｍは正の整数である。
【０１６４】
候補セルは、ユーザ機器がＤ２Ｄ通信の実行を望むセルであってよい。好ましくは、候補セルは、第１セルであってよい。リソースの数量Ｍについて、Ｍは正の整数であり、ＵＥにより要求されてＤ２Ｄメッセージを送信するために用いられるリソースの数量を示すために用いられ得て、ＵＥが各周期において送信を望むメッセージの数量を含み得る。例えば、Ｍは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０１６５】
任意選択的に、第１セルの基地局が第２基地局である場合、第１基地局がユーザ機器により送信される要求メッセージを受信する前に、または、ユーザ機器が、要求メッセージを送信しないがデバイスにＤ２Ｄ通信リソースを能動的に提供する場合、第１基地局は、第２基地局からいくつかの利用可能なリソースに関する情報を事前に取得する必要があり、これにより、Ｄ２Ｄ通信リソースを必要とするユーザ機器にリソースを割り当てる。
【０１６６】
具体的には、第１基地局は、第２基地局に第２要求メッセージを送信し、ここで、要求メッセージは、Ｄ２Ｄ通信を実行するためのリソースを要求するために、または、Ｄ２Ｄ通信を実行するために用いられる第１基地局のセルリソースを提供するよう要求するために用いられ、リソースは、Ｄ２Ｄ通信のために用いられ得る。
【０１６７】
第１基地局は、第２基地局により送信される第１応答メッセージを受信し、ここで、第１応答メッセージは、第２基地局のセルのリソースを提供し、リソースは、Ｄ２Ｄ通信のために用いられ、または、第１応答メッセージは、第１セルにおいてＤ２Ｄ通信のために用いられるリソースを含む。
【０１６８】
代わりに、第１基地局は、第２基地局により送信される第１返信メッセージを受信し、ここで、第１返信メッセージは、Ｄ２Ｄ通信のために提供されるべきリソースが存在しないことを表すために用いられる。
【０１６９】
加えて、任意選択的に、第１セルの基地局が第２基地局である場合、第１基地局はさらに、ユーザ機器により送信される第１要求メッセージを受信した後に、前述の段階の実行をスキップし得るが、代わりに、第１セルの第２基地局に要求メッセージを転送する。第１セルの第２基地局は、Ｄ２Ｄ通信リソースを決定する。第２基地局の決定結果を受信した後に、第１基地局は、ユーザ機器に対応メッセージを送信する。詳細は、以下の通りである。第１基地局により第２基地局に第３要求メッセージを送信し、ここで、第３要求メッセージは、ユーザ機器のためにＤ２Ｄ通信を実行するためのリソースを要求するために用いられ、および、第２基地局により送信される応答メッセージを第１基地局により受信し、ここで、応答メッセージは、第１セルにおいてユーザ機器がＤ２Ｄ通信を実行するためのリソースに関する情報を含み、応答メッセージは、ユーザ機器が第１セルにおいてＤ２Ｄ通信を実行できることを表し、または、第２基地局により送信される返信メッセージを第１基地局により受信し、ここで、返信メッセージは、第１セルのユーザ機器が第１セルにおいてＤ２Ｄ通信を実行するためのリソースに関する情報を含まず、ユーザ機器が第１セルにおいてＤ２Ｄ通信を実行できないことを表す。
【０１７０】
上記から分かるように、本発明のこの実施形態は、リソース割り当て方法を提供する。ユーザ機器のプライマリセルまたはサービングセルの基地局は、第１セルのＤ２Ｄ通信リソースをユーザ機器に提供し、ここで、第１セルは、セカンダリセルまたは非サービングセルである。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０１７１】
本発明の全ての実施形態において、第１セルおよび第２セルは、異なるＰＬＭＮに属してよく、または同じＰＬＭＮに属してよい。このことは、本発明において限定されない。第１セルの基地局および第２セルの基地局は、異なるＰＬＭＮに属してよく、または同じＰＬＭＮに属してよい。詳細は、記載されない。
【０１７２】
［実施形態２］
図２は、本発明の実施形態に係るリソース割り当て方法のフローチャートである。図２に示されているように、方法は、以下の段階を備え得る。
【０１７３】
２０１：第２基地局は、ユーザ機器が第１セルにおいてＤ２Ｄ通信を実行できるかを決定し、ユーザ機器が第１セルにおいてＤ２Ｄ通信を実行できる場合、処理は、２０２Ａに移り、または、ユーザ機器が第１セルにおいてＤ２Ｄ通信を実行できない場合、処理は、２０２Ｂに移る。
【０１７４】
第１セルは、ユーザ機器のセカンダリセルまたは非サービングセルであり、第２基地局は、第１セルの基地局である。
【０１７５】
具体的には、セカンダリセル（Ｓｅｃｏｎｄａｒｙ  ｃｅｌｌ）は、ＵＥにサービスを提供するセルを指し得るが、該セルはプライマリセルではない。代わりに、セカンダリセル（Ｓｅｃｏｎｄａｒｙ  ｃｅｌｌ）は、データ送信をユーザ機器に提供するセル、またはＤＲＢ送信をユーザ機器に提供するセル、またはＰＤＳＣＨに関する情報の送信をユーザ機器に提供するセルである。
【０１７６】
具体的には、非サービングセルは、ユーザ機器にサービスを提供しないセル、またはユーザ機器と接続されていないセルであってよい。
【０１７７】
Ｄ２Ｄ通信は、ＰｒｏＳｅ  ｓｅｒｖｉｃｅと同等であってよく、以下の通信のうちの１つまたは複数を含んでよい：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、または、Ｄ２Ｄ発見メッセージのリッスン。
【０１７８】
任意選択的に、第２基地局は、以下の（１）、（２）、または（３）のうちの任意の方式、または複数の方式を用いることにより、ユーザ機器が第１セルにおいてＤ２Ｄ通信を実行できるかを決定し得る。
【０１７９】
（１）第２基地局は、ユーザ機器が第１セルにおいてＤ２Ｄ通信の実行を許可されているかを決定し、ユーザ機器が第１セルにおいてＤ２Ｄ通信の実行を許可されていると決定された場合、ユーザ機器が第１セルにおいてＤ２Ｄ通信を実行できると決定する、または、ユーザ機器がＤ２Ｄ通信の実行を許可されていないと決定された場合、ユーザ機器が第１セルにおいてＤ２Ｄ通信を実行できないと決定する。
【０１８０】
具体的には、第２基地局は、第１セル情報とＰＬＭＮ情報とに従って、ユーザ機器が第１セルにおいてＤ２Ｄ通信の実行を許可されているかを決定してよく、ＰＬＭＮ情報において提供される許可されているＰＬＭＮ  ＩＤが、第１セルに対応するＰＬＭＮ  ＩＤを含む場合、ＵＥがＤ２Ｄ通信の実行を許可されていると決定してよく、もしくは、第１セルが、ユーザ機器がＤ２Ｄ通信の実行を許可され得るセルであると決定してよく、または、ＰＬＭＮ情報において提供される許可されているＰＬＭＮ  ＩＤが第１セルに対応するＰＬＭＮ  ＩＤを含まない場合、ＵＥがＤ２Ｄ通信の実行を許可されていないと決定してよく、もしくは、第１セルが、ユーザ機器がＤ２Ｄ通信の実行を許可され得るセルではないと決定してよい。
【０１８１】
第１セル情報は、第１セルに対応するＰＬＭＮ  ＩＤを決定するために用いられる。ＰＬＭＮ  ＩＤは、以下のうち少なくとも１つを含む：第１セルの識別子ＥＣＧＩ、第１セルまたは第１セルの物理レイヤＩＤ  ＰＣＩに対応するＰＬＭＮ  ＩＤ、または第１セルの周波数。
【０１８２】
ＰＬＭＮ情報は、ＰＬＭＮの許可状態に関する情報を提供するために用いられ、ここで、許可されているＰＬＭＮは、ユーザ機器がＤ２Ｄ通信を実行するために用いられ（ＰｒｏＳｅ  ｓｅｒｖｉｃｅｓのためのＰＬＭＮの許可状態に関する情報を提供する）、またはユーザ機器がどのＰＬＭＮにおいてＤ２Ｄ通信の実行を許可されているかを示すために用いられ（ＵＥがどのＰＬＭＮにおいてＰｒｏＳｅ  ｓｅｒｖｉｃｅｓについて許可されているかを示す）、またはユーザ機器がどのＰＬＭＮに対応するセルにおいてＤ２Ｄ通信の実行を許可されているかを示すために用いられる。ＰＬＭＮ情報は、以下のうちの１つまたは複数を含み得る：少なくとも１つの許可されているＰＬＭＮのＰＬＭＮ  ＩＤ、少なくとも１つの許可されていないＰＬＭＮのＰＬＭＮ  ＩＤ、ユーザ機器によりサポートされるＰＬＭＮ、または各ＰＬＭＮの許可状態。
【０１８３】
（２）第１基地局は、第１セルにおいてユーザ機器に割り当てられるべきリソースが存在するかを決定し、第１セルにおいてユーザ機器に割り当てられるべきリソースが存在すると決定された場合、ユーザ機器が第１セルにおいてＤ２Ｄ通信を実行できると決定する、または、第１セルにおいてユーザ機器に割り当てられるべきリソースが存在しないと決定された場合、ユーザ機器が第１セルにおいてＤ２Ｄ通信を実行できないと決定する。
【０１８４】
（３）第１基地局は、第１セルにおけるユーザ機器の信号品質が予め設定された閾値を満たすかを決定し、以下の段階を含む：第１セルにおけるユーザ機器の信号品質が予め設定された閾値を満たすと決定された場合、ユーザ機器が第１セルにおいてＤ２Ｄ通信を実行できると決定する段階、または、第１セルにおけるユーザ機器の信号品質が予め設定された閾値を満たさないと決定された場合、ユーザ機器が第１セルにおいてＤ２Ｄ通信を実行できないと決定する段階。
【０１８５】
予め設定された閾値は、要求に従って、設定されてよい。このことは、本発明のこの実施形態において限定されない。
【０１８６】
任意選択的に、第３方式が実行される前に、第１基地局はさらに、ユーザ機器により報告される隣接セル測定を受信する必要があり、ここで、隣接セル測定報告は、第１セルにおけるユーザ機器により測定される信号品質を含む。
【０１８７】
２０２Ａ：第２基地局は、第１基地局に応答メッセージを送信し、これにより、第１基地局は、ユーザ機器が第１セルにおいてＤ２Ｄ通信を実行することを通知する。
【０１８８】
応答メッセージは、第１セルにおけるＤ２Ｄ通信リソースをユーザ機器に提供するために用いられ、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌであって、Ｌは正の整数である、数量Ｌ、および／または、専用リソース設定およびリソースプール設定（ａ  ｒｅｓｏｕｒｃｅ  ｐｏｏｌ  ｃｏｎｆｉｇｕｒａｔｉｏｎ）である、第１セルのＤ２Ｄ通信リソースの設定を含み得る。
【０１８９】
ＵＥは、リソースプール設定に従って、リソースプールからリソースを自律的に選択する。リソースは、ＵＥがＤ２Ｄ通信を実行するために用いられる（例えば、発見メッセージの送信は、発見メッセージアナウンスメントである）。
【０１９０】
代わりに、ＵＥは、リソースプール上の専用リソースからリソースを自律的に選択する。リソースは、ＵＥがＤ２Ｄ通信を実行するために用いられる（例えば、発見メッセージの送信は、発見メッセージアナウンスメントである）。
【０１９１】
代わりに、リソースプール設定に従って、ＵＥは、リソースプール上の専用リソースを用いてＤ２Ｄ通信を実行する。具体的には、ｅＮＢは、リソースプールの専用リソースを提供し、ＵＥがＤ２Ｄ通信を実行するための専用リソースを構成する（ｅＮＢは、例えば、発見メッセージアナウンスメントなどのＰｒｏＳｅ  ｓｅｒｖｉｃｅのための時間及び周波数インデックスの形式において専用リソースと共にリソースプールを構成し得る）。
【０１９２】
応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み得て、ここで、Ｌは正の整数である。
【０１９３】
リソースの数量Ｌについて、Ｌは、正の整数であり、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０１９４】
加えて、応答メッセージは、セルインデックス（Ｓｃｅｌｌｉｎｄｅｘ）をさらに含み得る。セルインデックスは、第１セルを示すために用いられる。
【０１９５】
第１基地局は、ユーザ機器の第２セルの基地局である。第２セルは、ユーザ機器のプライマリセルまたはサービングセルである。
【０１９６】
２０２Ｂ：第２基地局は、第１基地局に返信メッセージを送信し、これにより、第１基地局は、ユーザ機器が第１セルにおいてＤ２Ｄ通信を実行できないことを通知する。
【０１９７】
任意選択的に、方法は、第２基地局により送信される第１要求メッセージを第１基地局により受信する段階であって、第１要求メッセージは、Ｄ２Ｄ通信を実行するためのリソースをユーザ機器に提供するよう要求するために用いられる、段階をさらに備え得る。
【０１９８】
第１要求メッセージは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み得て、ここで、Ｍは正の整数である。
【０１９９】
候補セルは、ユーザ機器がＤ２Ｄ通信の実行を望むセルであってよい。好ましくは、候補セルは、第１セルであってよい。リソースの数量Ｍについて、Ｍは、正の整数であり、ＵＥにより要求されてＤ２Ｄメッセージを送信するために用いられるリソースの数量を示すために用いられてよく、ＵＥが各周期において送信を望むメッセージの数量を含んでよい。例えば、Ｍは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０２００】
加えて、任意選択的に、第２基地局はさらに、第１基地局にリソース情報を事前に提供し得て、これにより、第１基地局は、通信リソースを必要とするユーザ機器にＤ２Ｄ通信リソースを提供し、具体的には、第１基地局により送信される第２要求メッセージを第２基地局により受信し、ここで、要求メッセージは、Ｄ２Ｄ通信を実行するためのリソースを要求するために、または、Ｄ２Ｄ通信のために用いられる基地局のセルリソースを提供するよう要求するために用いられ、リソースは、Ｄ２Ｄ通信のために用いられてよく、および、第２基地局により、第１基地局に応答メッセージを送信し、ここで、応答メッセージは、第２基地局のセルのリソースを提供し、リソースは、Ｄ２Ｄ通信のために用いられ、または、応答メッセージは、第１セルにおいてＤ２Ｄ通信のために用いられるリソースを含む、または、第２基地局により、第１基地局に返信メッセージを送信し、ここで、返信メッセージは、Ｄ２Ｄ通信のために提供されるべきリソースが存在しないことを表すために用いられる。
【０２０１】
上記から分かるように、本発明のこの実施形態は、リソース割り当て方法を提供する。セカンダリセルの基地局、またはユーザ機器の非サービングセルは、第１セルのＤ２Ｄ通信リソースをユーザ機器に提供し、ここで、第１セルは、セカンダリセルまたは非サービングセルである。このように、ユーザ機器は、セカンダリセルまたは非サービングセルのＤ２Ｄ通信リソースを用いて通信を実行してよく、それにより、従来技術における、ユーザ機器の通信リソースがプライマリセルにおいて制限されている場合に生じるユーザ機器のプライマリセルの増大する負荷といった問題を回避する。
【０２０２】
［実施形態３］
図３は、本発明の実施形態に係るリソース割り当て方法のフローチャートである。図３に示されているように、方法は、以下の段階を含み得る。
【０２０３】
３０１：ユーザ機器は、基地局により送信される応答メッセージを受信し、ここで、応答メッセージは、第１セルのＤ２Ｄ通信リソースをユーザ機器に提供するために用いられ、第１セルは、ユーザ機器のセカンダリセルまたは非サービングセルである。
【０２０４】
具体的には、セカンダリセル（例えば、Ｓｅｃｏｎｄａｒｙ  ｃｅｌｌ）は、ＵＥにサービスを提供するセルを指し得るが、該セルはプライマリセルではない。代わりに、セカンダリセル（Ｓｅｃｏｎｄａｒｙ  ｃｅｌｌ）は、データ送信をユーザ機器に提供するセル、またはＤＲＢ送信をユーザ機器に提供するセル、またはＰＤＳＣＨに関する情報の送信をユーザ機器に提供するセルである。
【０２０５】
具体的には、非サービングセルは、ユーザ機器にサービスを提供しないセル、またはユーザ機器と接続されていないセルであってよい。
【０２０６】
Ｄ２Ｄ通信は、ＰｒｏＳｅ  ｓｅｒｖｉｃｅと同等であり、以下の通信のうちの１つまたは複数を含み得る：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、またはＤ２Ｄ発見メッセージのリッスン。
【０２０７】
応答メッセージは、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌを含み得て、ここで、Ｌは正の整数である。
【０２０８】
リソースの数量Ｌについて、Ｌは正の整数であり、ＵＥにより要求されてＤ２Ｄメッセージを送信するために用いられるリソースの数量を示すために用いられてよく、ＵＥが各周期において送信を望むメッセージの数量を含んでよい。例えば、Ｌは、（ＵＥにより必要とされて各発見周期において発見メッセージを送信するために用いられるリソースの数量を示すために用いられるｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０２０９】
応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含んで、ここで、Ｌは正の整数であり、応答メッセージは、セルインデックスＳｃｅｌｌｉｎｄｅｘをさらに含み、ここで、セルインデックスは、第１セルを示すために用いられる。
【０２１０】
３０２：ユーザ機器は、第１セルにおいてＤ２Ｄ通信を実行する。
【０２１１】
任意選択的に、段階３０１の前に、方法は、ユーザ機器により基地局に要求メッセージを送信する段階であって、要求メッセージは、Ｄ２Ｄ通信を実行するためのリソースをユーザ機器に提供するよう要求するために用いられ、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するための候補セルにおけるリソースの数量Ｍを含み得る、段階をさらに備え、ここで、Ｍは正の整数である。
【０２１２】
候補セルは、ユーザ機器がＤ２Ｄ通信の実行を望むセルであってよい。好ましくは、候補セルは、第１セルであってよい。
【０２１３】
任意選択的に、基地局が第１セルのＤ２Ｄ通信リソースをユーザ機器に提供することを可能にするために、方法は、ユーザ機器により、隣接セル測定報告を基地局に報告する段階であって、これにより、基地局は、隣接セル測定報告に従って、ユーザ機器が第１セルにおいてＤ２Ｄ通信を実行できると決定する、段階をさらに備え、ここで、隣接セル測定報告は、第１セルにおけるユーザ機器により測定される信号品質を含む。
【０２１４】
任意選択的に、この実施形態において、基地局は、第２セルおよび第１セルの共通の基地局であってよく、ここで、第２セルは、ユーザ機器のサービングセルまたはプライマリセルであり、第１セルおよび第２セルは、同じＰＬＭＮまたは異なるＰＬＭＮに属し、または、基地局は、第２セルの唯一の基地局であってもよく、第２セルは、ユーザ機器のサービングセルまたはプライマリセルである。
【０２１５】
上記から分かるように、本発明のこの実施形態は、リソース割り当て方法を提供する。ユーザ機器は、基地局によりユーザ機器に提供される、第１セルのＤ２Ｄ通信リソースを受信し、ここで、第１セルは、セカンダリセルまたは非サービングセルであり、これにより、ユーザ機器は、セカンダリセルまたは非サービングセルのＤ２Ｄ通信リソースを用いて通信を実行してよく、それにより、従来技術における、ユーザ機器の通信リソースがプライマリセルにおいて制限されている場合に生じるユーザ機器のプライマリセルの増大する負荷といった問題を回避する。
【０２１６】
前述の方法は、具体的な実施形態４、実施形態５、および実施形態６を用いて、以下において説明される。
【０２１７】
［実施形態４］
図４は、本発明の実施形態に係るリソース割り当て方法のフローチャートである。図４に示されているように、ｅＮＢは、第２セルの基地局である。第２基地局は、ユーザ機器のマスタ基地局またはサービング基地局であってよい。方法は、以下の段階を備え得る。
【０２１８】
４０１：ユーザ機器は、ｅＮＢに要求メッセージを送信する。
【０２１９】
要求メッセージは、Ｄ２Ｄ通信を実行するためのリソースをユーザ機器に提供するよう要求するために用いられ、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み得て、ここで、Ｍは正の整数である。
【０２２０】
候補セルは、ユーザ機器がＤ２Ｄ通信の実行を望むセルであってよい。好ましくは、候補セルは、第１セルであってよい。リソースの数量Ｍについて、Ｍは正の整数であり、ＵＥにより要求される、Ｄ２Ｄメッセージを送信するために用いられるリソースの数量を示すために用いられてよく、ＵＥが各周期において送信を望むメッセージの数量を含んでよい。例えば、Ｍは、（ＵＥにより必要とされて各発見周期において発見メッセージを送信するために用いられるリソースの数量を示すために用いられるｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０２２１】
好ましくは、候補セルは、第１セルであってよい。第１セルは、ユーザ機器のセカンダリセルまたは非サービングセルであってよい。ｅＮＢは、第１セルおよび第２セルの両方のｅＮＢである。第１セルおよび第２セルは、同じＰＬＭＮまたは異なるＰＬＭＮに属してよい。
【０２２２】
４０２：ｅＮＢは、ユーザ機器が第１セルにおいてＤ２Ｄ通信を実行するかを決定し、ユーザ機器が第１セルにおいてＤ２Ｄ通信を実行する場合、処理は段階４０３に移り、または、ユーザ機器が第１セルにおいてＤ２Ｄ通信を実行しない場合、処理は、段階４０４に移る。
【０２２３】
段階３４０２は、実施形態１の段階１０１と、同じ具体的な工程を有することに留意すべきである。詳細は、ここではこれ以上説明されない。
【０２２４】
４０３：ｅＮＢは、ユーザ機器に応答メッセージを送信する。
【０２２５】
応答メッセージは、第１セルにおけるＤ２Ｄ通信リソースをユーザ機器に提供するために用いられ、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌであって、Ｌは正の整数である、数量Ｌ、および／または、専用リソース設定およびリソースプール設定（ａ  ｒｅｓｏｕｒｃｅ  ｐｏｏｌ  ｃｏｎｆｉｇｕｒａｔｉｏｎ）である、第１セルのＤ２Ｄ通信リソースの設定を含み得る。
【０２２６】
ＵＥは、リソースプール設定に従って、リソースプールからリソースを自律的に選択する。リソースは、ＵＥがＤ２Ｄ通信を実行するために用いられる（例えば、発見メッセージの送信は、発見メッセージアナウンスメントである）。
【０２２７】
代わりに、ＵＥは、リソースプール上の専用リソースからリソースを自律的に選択する。リソースは、ＵＥがＤ２Ｄ通信を実行するために用いられる（例えば、発見メッセージの送信は、発見メッセージアナウンスメントである）。
【０２２８】
代わりに、リソースプール設定に従って、ＵＥは、リソースプール上の専用リソースを用いてＤ２Ｄ通信を実行する。具体的には、ｅＮＢは、リソースプールの専用リソースを提供し、ＵＥがＤ２Ｄ通信を実行するための専用リソースを構成する（ｅＮＢは、例えば、発見メッセージアナウンスメントなどのＰｒｏＳｅ  ｓｅｒｖｉｃｅのための時間及び周波数インデックスの形式において専用リソースと共にリソースプールを構成し得る）。
【０２２９】
応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み得て、ここで、Ｌは正の整数である。
【０２３０】
リソースの数量Ｌについて、Ｌは正の整数であり、ＵＥにより要求される、Ｄ２Ｄメッセージを送信するために用いられるリソースの数量を示すために用いられてよく、ＵＥが各周期において送信を望むメッセージの数量を含んでよい。例えば、Ｌは、（ＵＥにより必要とされて各発見周期において発見メッセージを送信するために用いられるリソースの数量を示すために用いられるｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０２３１】
加えて、応答メッセージは、セルインデックス（Ｓｃｅｌｌｉｎｄｅｘ）をさらに含み得る。セルインデックスは、第１セルを示すために用いられる。
【０２３２】
４０４：ｅＮＢは、ユーザ機器に返信メッセージを送信する。
【０２３３】
返信メッセージは、ユーザ機器が第１セルにおいてＤ２Ｄ通信を実行できないことを通知するために用いられる。
【０２３４】
上記から分かるように、本発明のこの実施形態は、リソース割り当て方法を提供する。ユーザ機器は、基地局によりユーザ機器に提供される、第１セルのＤ２Ｄ通信リソースを受信し、ここで、第１セルは、セカンダリセルまたは非サービングセルであり、これにより、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０２３５】
［実施形態５］
図５は、本発明の実施形態に従って、リソース割り当て方法のフローチャートである。図５に示されているように、ｅＮＢ１は、第２セルの基地局である。第２基地局は、ユーザ機器のマスタ基地局またはサービング基地局であってよい。ｅＮＢ２は、第１セルの基地局である。第１セルは、ユーザ機器の二次基地局または非サービング基地局のセルであってよい。方法は、以下の段階を含み得る。
【０２３６】
５０１：ｅＮＢ１は、ｅＮＢ２に第１要求メッセージを送信する。
【０２３７】
第１要求メッセージは、以下のように用いられる。要求メッセージは、Ｄ２Ｄ通信を実行するためのリソースを要求するために、またはＤ２Ｄ通信のために用いられる、基地局のセルリソースを提供するように要求するために用いられ、リソースは、Ｄ２Ｄ通信のために用いられ得る。
【０２３８】
５０２：ｅＮＢ２は、ｅＮＢ１に第１応答メッセージを送信する。
【０２３９】
第１応答メッセージは、ｅＮＢ２のセルのリソースを提供し、リソースは、Ｄ２Ｄ通信のために用いられ、または、第１応答メッセージは、第１セルにおいてＤ２Ｄ通信のために用いられるリソースを含む。
【０２４０】
５０３：ｅＮＢ２は、ｅＮＢ１に第１返信メッセージを送信し、ここで、第１返信メッセージは、Ｄ２Ｄ通信のために提供されるべきリソースが存在しないことを表すために用いられ、それがＤ２Ｄ通信のために用いられることができないことを表す。
【０２４１】
５０４：ｅＮＢ１は、ユーザ機器により送信される第２要求メッセージを受信する。
【０２４２】
第２要求メッセージは、Ｄ２Ｄ通信を実行するためのリソースをユーザ機器に提供するよう要求するために用いられ、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み得て、ここで、Ｍは正の整数である。
【０２４３】
候補セルは、ユーザ機器がＤ２Ｄ通信の実行を望むセルであってよい。好ましくは、候補セルは、第１セルであってよい。リソースの数量Ｍについて、Ｍは正の整数であり、ＵＥにより要求されてＤ２Ｄメッセージを送信するために用いられるリソースの数量を示すために用いられてよく、ＵＥが各周期において送信を望むメッセージの数量を含んでよい。例えば、Ｍは、（ＵＥにより必要とされて各発見周期において発見メッセージを送信するために用いられるリソースの数量を示すために用いられるｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０２４４】
好ましくは、候補セルは、第１セルであってよく、第１セルは、ユーザ機器のセカンダリセルまたは非サービングセルであってよい。ｅＮＢは、第１セルおよび第２セルの両方のｅＮＢである。第１セルおよび第２セルは、同じＰＬＭＮまたは異なるＰＬＭＮに属してよい。
【０２４５】
１つまたは複数の候補セルが存在し得る。
【０２４６】
１つまたは複数の第１セルが存在し得る。
【０２４７】
５０５：ｅＮＢ１は、ユーザ機器が第１セルにおいてＤ２Ｄ通信を実行するかを決定し、ユーザ機器が第１セルにおいてＤ２Ｄ通信を実行される場合、処理は、段階５０６に移り、または、ユーザ機器が第１セルにおいてＤ２Ｄ通信を実行しない場合、処理は、段階５０７に移る。
【０２４８】
段階５０５は、実施形態１の段階１０１と、同じ具体的な工程を有することに留意すべきである。詳細は、ここではこれ以上説明されない。
【０２４９】
５０６：ｅＮＢ１は、ユーザ機器に第２応答メッセージを送信する。
【０２５０】
第２応答メッセージは、第１セルにおけるＤ２Ｄ通信リソースをユーザ機器に提供するために用いられ、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌを含み得て、ここで、Ｌは正の整数であり、および／または、第１セルのＤ２Ｄ通信リソースの設定が、専用リソース設定（ａ  ｒｅｓｏｕｒｃｅ  ｐｏｏｌ  ｃｏｎｆｉｇｕｒａｔｉｏｎ）である。
【０２５１】
ＵＥは、リソースプール設定に従って、リソースプールからリソースを自律的に選択する。リソースは、ＵＥがＤ２Ｄ通信を実行するために用いられる（例えば、発見メッセージの送信は、発見メッセージアナウンスメントである）。
【０２５２】
代わりに、ＵＥは、リソースプール上の専用リソースからリソースを自律的に選択する。リソースは、ＵＥがＤ２Ｄ通信を実行するために用いられる（例えば、発見メッセージの送信は、発見メッセージアナウンスメントである）。
【０２５３】
代わりに、リソースプール設定に従って、ＵＥは、リソースプール上の専用リソースを用いてＤ２Ｄ通信を実行する。具体的には、ｅＮＢは、リソースプールの専用リソースを提供し、ＵＥがＤ２Ｄ通信を実行するための専用リソースを構成する（ｅＮＢは、例えば、発見メッセージアナウンスメントなどのＰｒｏＳｅ  ｓｅｒｖｉｃｅのための時間及び周波数インデックスの形式において専用リソースと共にリソースプールを構成し得る）。
【０２５４】
第２応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み得て、ここで、Ｌは正の整数である。
【０２５５】
リソースの数量Ｌについて、Ｌは正の整数であり、ＵＥにより要求される、Ｄ２Ｄメッセージを送信するために用いられるリソースの数量を示すために用いられてよく、ＵＥが各周期において送信を望むメッセージの数量を含んでよい。例えば、Ｌは、（ＵＥにより必要とされて各発見周期において発見メッセージを送信するために用いられるリソースの数量を示すために用いられるｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０２５６】
加えて、応答メッセージは、セルインデックス（Ｓｃｅｌｌｉｎｄｅｘ）をさらに含み得る。セルインデックスは、第１セルを示すために用いられる。
【０２５７】
５０７：ｅＮＢ１は、ユーザ機器に第２返信メッセージを送信する。
【０２５８】
第２返信メッセージは、ユーザ機器が第１セルにおいてＤ２Ｄ通信を実行できないことを通知するために用いられる。
【０２５９】
上記から分かるように、本発明のこの実施形態は、リソース割り当て方法を提供する。ユーザ機器は、基地局によりユーザ機器に提供される、第１セルのＤ２Ｄ通信リソースを受信し、ここで、第１セルは、セカンダリセルまたは非サービングセルであり、これにより、ユーザ機器は、セカンダリセルまたは非サービングセルのＤ２Ｄ通信リソースを用いて通信を実行し得て、
それにより、従来技術における、ユーザ機器の通信リソースがプライマリセルにおいて制限されている場合に生じるユーザ機器のプライマリセルの増大する負荷といった問題を回避する。
【０２６０】
［実施形態６］
図６は、本発明の実施形態に係るリソース割り当て方法のフローチャートである。図６に示されているように、ｅＮＢ１は、第２セルの基地局である。第２基地局は、ユーザ機器のマスタ基地局またはサービング基地局であってよい。ｅＮＢ２は、第１セルの基地局である。第１セルは、ユーザ機器の二次基地局または非サービング基地局のセルであってよい。方法は、以下の段階を備え得る。
【０２６１】
６０１：ｅＮＢ１は、ユーザ機器により送信される要求メッセージを受信する。
【０２６２】
要求メッセージは、Ｄ２Ｄ通信を実行するためのリソースをユーザ機器に提供するよう要求するために用いられ、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み得て、ここで、Ｍは、正の整数である。
【０２６３】
候補セルは、ユーザ機器がＤ２Ｄ通信の実行を望むセルであってよい。好ましくは、候補セルは、第１セルであってよい。リソースの数量Ｍについて、Ｍは正の整数であり、ＵＥにより要求される、Ｄ２Ｄメッセージを送信するために用いられるリソースの数量を示すために用いられてよく、ＵＥが各周期において送信を望むメッセージの数量を含んでよい。例えば、Ｍは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０２６４】
好ましくは、候補セルは、第１セルであってよい。第１セルは、ユーザ機器のセカンダリセルまたは非サービングセルであってよい。ｅＮＢは、第１セルおよび第２セルの両方のｅＮＢである。第１セルおよび第２セルは、同じＰＬＭＮまたは異なるＰＬＭＮに属してよい。
【０２６５】
６０２：ｅＮＢ１は、ｅＮＢ２に要求メッセージを送信する。
【０２６６】
６０３：ｅＮＢ２は、要求メッセージに従って、ユーザ機器が第１セルにおいてＤ２Ｄ通信を実行するかを決定し、ユーザ機器が第１セルにおいてＤ２Ｄ通信を実行する場合、処理は、段階６０４および６０５に移り、または、ユーザ機器が第１セルにおいてＤ２Ｄ通信を実行しない場合、処理は、段階６０６および６０７に移る。
【０２６７】
段階６０４は、実施形態２の段階２０１と、同じ具体的な工程を有することに留意すべきである。詳細は、ここではこれ以上説明されない。
【０２６８】
６０４：ｅＮＢ２は、ｅＮＢ１に応答メッセージを送信し、ここで、第２応答メッセージは、第１セルにおけるＤ２Ｄ通信リソースをユーザ機器に提供するために用いられ、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌであって、Ｌは正の整数である、数量Ｌ、および／または、専用リソース設定およびリソースプール設定（ａ  ｒｅｓｏｕｒｃｅ  ｐｏｏｌ  ｃｏｎｆｉｇｕｒａｔｉｏｎ）である、第１セルのＤ２Ｄ通信リソースの設定を含み得る。
【０２６９】
ＵＥは、リソースプール設定に従って、リソースプールからリソースを自律的に選択する。リソースは、ＵＥがＤ２Ｄ通信を実行するために用いられる（例えば、発見メッセージの送信は、発見メッセージアナウンスメントである）。
【０２７０】
代わりに、ＵＥは、リソースプール上の専用リソースからリソースを自律的に選択する。リソースは、ＵＥがＤ２Ｄ通信を実行するために用いられる（例えば、発見メッセージの送信は、発見メッセージアナウンスメントである）。
【０２７１】
代わりに、リソースプール設定に従って、ＵＥは、リソースプール上の専用リソースを用いてＤ２Ｄ通信を実行する。具体的には、ｅＮＢは、リソースプールの専用リソースを提供し、ＵＥがＤ２Ｄ通信を実行するための専用リソースを構成する（ｅＮＢは、例えば、発見メッセージアナウンスメントなどのＰｒｏＳｅ  ｓｅｒｖｉｃｅのための時間及び周波数インデックスの形式において専用リソースと共にリソースプールを構成し得る）。
【０２７２】
応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み得て、ここで、Ｌは正の整数である。
【０２７３】
リソースの数量Ｌについて、Ｌは正の整数であり、ＵＥにより要求されてＤ２Ｄメッセージを送信するために用いられるリソースの数量を示すために用いられてよく、ＵＥが各周期において送信を望むメッセージの数量を含んでよい。例えば、Ｌは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０２７４】
加えて、応答メッセージは、セルインデックス（Ｓｃｅｌｌｉｎｄｅｘ）をさらに含み得る。セルインデックスは、第１セルを示すために用いられる。
【０２７５】
６０５：ｅＮＢ１は、ユーザ機器に応答メッセージを送信する。
【０２７６】
６０６：ｅＮＢ２は、ｅＮＢ１に返信メッセージを送信する。
【０２７７】
第２返信メッセージは、ユーザ機器が第１セルにおいてＤ２Ｄ通信を実行できないことを通知するために用いられる。
【０２７８】
６０７：ｅＮＢ１は、ユーザ機器に返信メッセージを送信する。
【０２７９】
上記から分かるように、本発明のこの実施形態は、リソース割り当て方法を提供する。ユーザ機器は、基地局によりユーザ機器に提供される、第１セルのＤ２Ｄ通信リソースを受信し、ここで、第１セルは、セカンダリセルまたは非サービングセルであり、これにより、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０２８０】
さらに、実施形態１から実施形態６に提供されている解決手段と、基地局が利用可能なＤ２Ｄ通信リソースをユーザ機器に割り当てる解決手段とに加えて、本発明は、ユーザ機器が利用可能なＤ２Ｄ通信リソースを自律的にリッスンするという解決手段をさらに提供する。詳細は、以下の実施形態７において説明される。
【０２８１】
［実施形態７］
図７は、本発明の実施形態において提供される別のリソース割り当て方法のフローチャートである。図７に示されているように、方法は、以下を備え得る。
【０２８２】
７０１：第１基地局は、ユーザ機器にシステムメッセージを送信する。
【０２８３】
システムメッセージは、第１セルにおいて発見メッセージを送信またはリッスンするリソース設定を含み、これにより、ユーザ機器は、リソース設定に従って、第１セルにおいて発見メッセージを送信またはリッスンする。
【０２８４】
発見メッセージはさらに、ＰｒｏＳｅ  Ｄｉｒｅｃｔ発見メッセージ、Ｄ２Ｄ発見メッセージ、Ｄ２Ｄ直接発見メッセージ、またはＤ２Ｄメッセージと同等であってよい。
【０２８５】
発見メッセージは、２つのデバイスの間で送信されるメッセージであり、例えば、ユーザ機器１によりユーザ機器２に送信されるメッセージ、またはデバイス３によりユーザ機器１に送信されるメッセージである。
【０２８６】
リソース設定は、以下のうち少なくとも１つを含む：第１セルの周波数、第１セルのセル識別子ＥＣＧＩ、第１セルのＰＣＩ、または第１セルのＰＬＭＮ。
【０２８７】
リソース設定は、リソースプール設定をさらに含む。リソースプール設定は、時間−周波数リソースの設定を含み得る。
【０２８８】
第１セルは、ユーザ機器のセカンダリセルまたは非サービングセルである。第１基地局は、第２セルまたは第１セルの基地局であってよい。第２セルは、ユーザ機器のプライマリセルまたはサービングセルであってよい。
【０２８９】
任意選択的に、第１基地局により、システムメッセージをユーザ機器に送信する段階は、第１基地局により、第２セルにおいてユーザ機器にシステムメッセージを送信する段階、または、第１基地局により、第１セルにおいてユーザ機器にシステムメッセージを送信する段階を含み得る。
【０２９０】
任意選択的に、基地局がユーザ機器の第２セルの基地局である場合、第１基地局によりユーザ機器にシステムメッセージを送信する前に、第１セルにおいて発見メッセージを送信またはリッスンするリソース設定は、別のノード（例えば、別の基地局、またはＯＡＭ）から取得され得る。詳細は、以下の通りである。第２基地局により送信されるリソース設定メッセージを第１基地局により受信し、ここで、リソース設定メッセージは、第１セルにおいてＤ２Ｄ発見メッセージを受信または送信するリソース設定を含み、第２基地局は、第１セルの基地局である。
【０２９１】
第１基地局は、第２セルの第１基地局である。
【０２９２】
上記から分かるように、本発明のこの実施形態は、リソース割り当て方法を提供する。第１基地局は、システムメッセージを送信し、これにより、ユーザ機器は、第１セルにおいて発見メッセージを送信またはリッスンし、第１セルは、ユーザ機器のセカンダリセルまたは非サービングセルであり、それにより、従来技術における、ユーザ機器の通信リソースがプライマリセルにおいて制限されている場合に生じるユーザ機器のプライマリセルの増大する負荷といった問題を回避する。
【０２９３】
［実施形態８］
図８は、本発明の実施形態において提供される別のリソース割り当て方法のフローチャートである。図８に示されているように、方法は、以下を備え得る。
【０２９４】
８０１：ユーザ機器は、第１基地局により送信されるシステムメッセージをリッスンする。
【０２９５】
システムメッセージは、第１セルにおいて発見メッセージを送信またはリッスンするリソース設定を含む。第１セルは、ユーザ機器のセカンダリセルまたは非サービングセルである。
【０２９６】
発見メッセージはさらに、ＰｒｏＳｅ  Ｄｉｒｅｃｔ発見メッセージ、Ｄ２Ｄ発見メッセージ、Ｄ２Ｄ直接発見メッセージ、またはＤ２Ｄメッセージと同等であってよい。
【０２９７】
発見メッセージは、２つのデバイスの間で送信されるメッセージであり、例えば、ユーザ機器１によりユーザ機器２に送信されるメッセージ、またはデバイス３によりユーザ機器１に送信されるメッセージである。
【０２９８】
リソース設定は、以下のうち少なくとも１つを含む：第１セルの周波数、第１セルのセル識別子ＥＣＧＩ、第１セルのＰＣＩ、または第１セルのＰＬＭＮ。
【０２９９】
リソース設定は、リソースプール設定をさらに含む。リソースプール設定は、時間−周波数リソースの設定を含んでよい。
【０３００】
８０２：ユーザ機器は、発見メッセージを送信またはリッスンするリソース設定に従って、第１セルにおいて発見メッセージを送信またはリッスンする。
【０３０１】
任意選択的に、第１セルにおいて発見メッセージを送信またはリッスンする段階は、ユーザ機器により、許可されている第１セルにおいて発見メッセージを送信またはリッスンする段階、または、ユーザ機器が第１セルにおいて発見メッセージを送信またはリッスンすることを許可されていると決定された後に、第１セルにおいて発見メッセージを送信またはリッスンする段階を含み得る。
【０３０２】
任意選択的に、ユーザ機器により、システムメッセージをリッスンする段階は、ユーザ機器により、第１セルまたは第２セルにおいてシステムメッセージをリッスンする段階であって、第２セルは、ユーザ機器のプライマリセルまたはサービングセルである、段階を含み得る。
【０３０３】
上記から分かるように、本発明のこの実施形態は、リソース割り当て方法を提供する。ユーザ機器は、システムメッセージをリッスンして、システムメッセージにより示される第１セルにおいて発見メッセージを送信またはリッスンし、ここで、第１セルは、ユーザ機器のセカンダリセルまたは非サービングセルであり、それにより、従来技術における、ユーザ機器の通信リソースがプライマリセルにおいて制限されている場合に生じるユーザ機器のプライマリセルの増大する負荷といった問題を回避する。
【０３０４】
［実施形態９］
図９は、本発明の実施形態において提供される通信方法のフローチャートである。図９に示されているように、方法は、以下を備え得る。
【０３０５】
９０１：第１基地局は、第１メッセージを受信する。
【０３０６】
第１メッセージは、ＰＬＭＮ情報を含む。第１メッセージは、ＰＬＭＮの許可状態に関する情報を提供するために用いられ、ここで、許可されているＰＬＭＮは、ユーザ機器がＤ２Ｄ通信を実行するために用いられ（ＰｒｏＳｅ  ｓｅｒｖｉｃｅｓのためのＰＬＭＮの許可状態に関する情報を提供する）、またはユーザ機器がどのＰＬＭＮにおいてＤ２Ｄ通信の実行を許可されているかを示すために用いられる（ＵＥがどのＰＬＭＮにおいてＰｒｏＳｅ  ｓｅｒｖｉｃｅｓについて許可されているかを示す）。
【０３０７】
ＰＬＭＮ情報は、ＰＬＭＮ  ＩＤを含み得る。ＰＬＭＮ  ＩＤは、ＰＬＭＮ  ＩＤに対応するＰＬＭＮがＤ２Ｄ通信を実行するために用いられることを許可されているかを識別するために用いられる。
【０３０８】
ＰＬＭＮ情報は、少なくとも１つの許可されているＰＬＭＮのＰＬＭＮ  ＩＤ、および／または、少なくとも１つの許可されていないＰＬＭＮのＰＬＭＮ  ＩＤ、および／または、ＵＥによりサポートされるＰＬＭＮ、および各ＰＬＭＮの許可状態をさらに含む。
【０３０９】
任意選択的に、第１基地局は、移動管理エンティティＭＭＥ、またはユーザ機器の第３基地局により送信される第１メッセージを受信してよい。第３基地局は、ユーザ機器の二次基地局または非サービング基地局であってよい。
【０３１０】
９０２：第１基地局は、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定する。
【０３１１】
Ｄ２Ｄ通信は、ＰｒｏＳｅ  ｓｅｒｖｉｃｅと具体的に同等であってよく、以下の通信のうちの１つまたは複数を含んでよい：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、またはＤ２Ｄ発見メッセージのリッスン。
【０３１２】
具体的には、ＵＥがＤ２Ｄ通信（ＰｒｏＳｅ  Ｓｅｒｖｉｃｅｓ）の実行を許可されているかを決定する段階は、ＵＥがどのＰＬＭＮにおいてＤ２Ｄ通信の実行を許可されているかを決定する段階、または、ＵＥがどのＰＬＭＮのセルにおいてＤ２Ｄ通信の実行を許可されているかを決定する段階、または、ＵＥがＰＬＭＮ情報において提供される許可されているＰＬＭＮにおいてＤ２Ｄ通信の実行を許可されているか決定する段階、または、ＵＥがＰＬＭＮ情報において提供される許可されているＰＬＭＮにおけるセルにおいてＤ２Ｄ通信の実行を許可されているかを決定する段階、または、ＵＥが第１セルにおいてＤ２Ｄ通信の実行を許可されているかを決定する段階であって、第１セルは、ユーザ機器の非サービングセル、またはセカンダリセル、またはサービングセル、またはプライマリセルである、段階を含み得る。
【０３１３】
任意選択的に、第１基地局は、第１セルメッセージを受信してよく、第１メッセージにおけるＰＬＭＮ情報と第１セル情報とに従って、ユーザ機器がＤ２Ｄ通信（ＰｒｏＳｅ  Ｓｅｒｖｉｃｅｓ）の実行を許可されているかを決定してよい。
【０３１４】
第１セルメッセージは、以下のうち少なくとも１つを含む：第１セルの識別子ＥＣＧＩ、第１セルに対応するＰＬＭＮ  ＩＤ、第１セルの物理レイヤＩＤ  ＰＣＩ、または第１セルの周波数。
【０３１５】
具体的には、第１基地局は、第１セル情報に従って、第１セルに対応するＰＬＭＮ  ＩＤを決定し、ＰＬＭＮ情報において提供される許可されているＰＬＭＮ  ＩＤが第１セルに対応するＰＬＭＮ  ＩＤを含む場合、ＵＥが第１セルにおいてＤ２Ｄ通信の実行を許可されていると決定する、もしくは、第１セルが、ユーザ機器がＤ２Ｄ通信の実行を許可され得るセルであると決定する、または、ＰＬＭＮ情報において提供される許可されているＰＬＭＮ  ＩＤが、第１セルに対応するＰＬＭＮ  ＩＤを含まない場合、ＵＥが第１セルにおいてＤ２Ｄ通信の実行を許可されていないと決定する、もしくは、第１セルが、ユーザ機器がＤ２Ｄ通信の実行を許可され得るセルではないと決定する。
【０３１６】
任意選択的に、第１基地局は、以下の方式を用いることにより第１セルメッセージを受信し得る：ユーザ機器により送信される要求メッセージを第１基地局により受信し、ここで、要求メッセージは、第１セルにおいてＤ２Ｄ通信を実行するよう要求するために用いられ、要求メッセージは、第１セル情報を含む、または、移動管理エンティティＭＭＥ、またはユーザ機器の第３基地局により送信される第１メッセージを第１基地局により受信し、ここで、第１メッセージは、第１セル情報を含む。
【０３１７】
任意選択的に、ユーザ機器が第１セルにおいてＤ２Ｄ通信を実行できると第１基地局が決定したとき、方法は、第１基地局により、ユーザ機器に応答メッセージを送信する段階であって、これにより、ユーザ機器は、第１セルにおいてＤ２Ｄ通信を実行し、応答メッセージは、Ｄ２Ｄ通信のためのリソースをユーザ機器に提供するために用いられる、段階、または、ユーザ機器が第１セルにおいてＤ２Ｄ通信を実行できないと第１基地局が決定したとき、ユーザ機器が第１セルにおいてＤ２Ｄ通信を実行できないことを通知するべく、第１基地局によりユーザ機器に返信メッセージを送信する段階をさらに備え得る。
【０３１８】
任意選択的に、第１メッセージを受信した後に、第１基地局はさらに、通信を実行するために用いられることができるＤ２Ｄリソースを決定する段階をスキップし得るが、代わりに、別の基地局が、Ｄ２Ｄリソースを決定する。具体的には、方法は、第１基地局により、第２メッセージを第２基地局に送信する段階であって、第２メッセージは、ＰＬＭＮ情報を含み、第２メッセージは、ＰＬＭＮの許可状態に関する情報を第２基地局に提供するために用いられ、許可されているＰＬＭＮは、ユーザ端末がＤ２Ｄ通信を実行するために用いられる、または、ＵＥがどのＰＬＭＮにおいてＤ２Ｄ通信の実行を許可されているかを示すために用いられる、段階をさらに備える。
【０３１９】
第２基地局は、第１セルの基地局である。第１セルは、ユーザ機器のセカンダリセルまたは非サービングセルである。
【０３２０】
さらに、第２基地局を用いて通信リソースが許可されているかを決定するために、第２基地局はさらに、第１セル情報が必要である。具体的には、方法は、第１基地局により、第２基地局に第１セル情報を送信する段階をさらに備える。
【０３２１】
上記から分かるように、本発明のこの実施形態は、通信方法を提供する。第１基地局が第１メッセージを受信し、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定する。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０３２２】
［実施形態１０］
図１０は、本発明の実施形態において提供される通信方法のフローチャートである。図１０に示されているように、方法は、以下を含み得る。
【０３２３】
１００１：第２基地局は、第１メッセージを受信する。
【０３２４】
第１メッセージは、ＰＬＭＮ情報を含む。第１メッセージは、ＰＬＭＮの許可状態に関する情報を提供するために用いられ、許可されているＰＬＭＮは、ユーザ機器がＤ２Ｄ通信を実行するために用いられ、またはユーザ機器がどのＰＬＭＮにおいてＤ２Ｄ通信の実行を許可されているかを示すために用いられる。
【０３２５】
任意選択的に、第２基地局は、移動管理エンティティＭＭＥ、またはユーザ機器の第１基地局により送信される第１メッセージを受信し得る。第１基地局は、ユーザ機器の第２セルの基地局であってよい。第２セルは、ユーザ機器のプライマリセルまたはサービングセルであってよい。
【０３２６】
ＰＬＭＮ情報は、ＰＬＭＮ  ＩＤを含み得る。ＰＬＭＮ  ＩＤは、ＰＬＭＮ  ＩＤに対応するＰＬＭＮがＤ２Ｄ通信を実行するために用いられることを許可されているかを識別するために用いられる。
【０３２７】
ＰＬＭＮ情報は、少なくとも１つの許可されているＰＬＭＮのＰＬＭＮ  ＩＤ、および／または、少なくとも１つの許可されていないＰＬＭＮのＰＬＭＮ  ＩＤ、および／または、ＵＥによりサポートされるＰＬＭＮ、および各ＰＬＭＮの許可状態をさらに含む。
【０３２８】
１００２：第２基地局は、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定する。
【０３２９】
Ｄ２Ｄ通信は、ＰｒｏＳｅ  ｓｅｒｖｉｃｅと具体的に同等であってよく、以下の通信のうちの１つまたは複数を含んでよい：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、またはＤ２Ｄ発見メッセージのリッスン。
【０３３０】
具体的には、ＵＥがＤ２Ｄ通信（ＰｒｏＳｅ  Ｓｅｒｖｉｃｅｓ）の実行を許可されているかを決定する段階は、ＵＥがどのＰＬＭＮにおいてＤ２Ｄ通信の実行を許可されているかを決定する段階、または、ＵＥがどのＰＬＭＮのセルにおいてＤ２Ｄ通信の実行を許可されているかを決定する段階、または、ＵＥがＰＬＭＮ情報において提供される、許可されているＰＬＭＮにおいてＤ２Ｄ通信の実行を許可されているかを決定する段階、または、ＵＥがＰＬＭＮ情報において提供される許可されているＰＬＭＮにおけるセルにおいてＤ２Ｄ通信の実行を許可されているかを決定する段階、または、ＵＥが第１セルにおいてＤ２Ｄ通信の実行を許可されているかを決定する段階であって、第１セルは、ユーザ機器の非サービングセル、またはセカンダリセル、またはサービングセル、またはプライマリセルである、段階を含み得る。
【０３３１】
任意選択的に、第２基地局はさらに、まず、第１セル情報を受信して、第１メッセージにおけるＰＬＭＮ情報と第１セル情報とに従って、ユーザ機器がＤ２Ｄ通信（ＰｒｏＳｅ  Ｓｅｒｖｉｃｅｓ）の実行を許可されているかを決定し得る。
【０３３２】
第１セル情報は、第１セルに対応するＰＬＭＮ  ＩＤを決定するために用いられる。ＰＬＭＮ  ＩＤは、以下のうち少なくとも１つを含む：第１セルの識別子ＥＣＧＩ（Ｅｖｏｌｖｅｄ  Ｃｅｌｌ  Ｇｌｏｂａｌ  Ｉｄｅｎｔｉｆｉｅｒ，例えば、Ｅ−ＵＴＲＡにおけるセルのグローバルに一意のＩＤである）、第１セルに対応するＰＬＭＮ  ＩＤ、または第１セルの物理レイヤＩＤ  ＰＣＩ（ｐｈｙｓｉｃａｌ  ｌａｙｅｒ  ｉｄｅｎｔｉｔｙ）、または第１セルの周波数。
【０３３３】
ＰＬＭＮ情報は、ＰＬＭＮの許可状態に関する情報を提供するために用いられ、許可されているＰＬＭＮは、ユーザ端末がＤ２Ｄ通信を実行するために用いられ（ＰＬＭＮ情報は、ＰｒｏＳｅ  ｓｅｒｖｉｃｅｓのためのＰＬＭＮの許可状態に関する情報を提供するために用いられる）、または、ユーザ機器がどのＰＬＭＮにおいてＤ２Ｄ通信の実行を許可されているかを示すために用いられ（ＵＥがどのＰＬＭＮにおいてＰｒｏＳｅ  ｓｅｒｖｉｃｅｓについて許可されているかを示す）、または、ユーザ機器がどのＰＬＭＮに対応するセルにおいてＤ２Ｄ通信の実行を許可されているかを示すために用いられる。ＰＬＭＮ情報は、以下のうちの１つまたは複数を含み得る：少なくとも１つの許可されているＰＬＭＮのＰＬＭＮ  ＩＤ、少なくとも１つの許可されていないＰＬＭＮのＰＬＭＮ  ＩＤ、ユーザ端末によりサポートされるＰＬＭＮ、または各ＰＬＭＮの許可状態。各ＰＬＭＮの許可状態は、真（ｔｒｕｅ）または偽（ｆａｌｓｅ）を含む。「真（ｔｒｕｅ）」は、ＰＬＭＮはＵＥが許可されているＰＬＭＮであること、または、ＰＬＭＮはＵＥがＤ２Ｄ通信の実行を許可されているＰＬＭＮであることを表す。「偽（ｆａｌｓｅ）」は、ＰＬＭＮはＵＥが許可されていないＰＬＭＮであること、または、ＰＬＭＮはＵＥがＤ２Ｄ通信の実行を許可されていないＰＬＭＮであることを表す。
【０３３４】
具体的には、第２基地局により、第１メッセージにおけるＰＬＭＮ情報と第１セル情報とに従って、ユーザ機器がＤ２Ｄ通信（ＰｒｏＳｅ  Ｓｅｒｖｉｃｅｓ）の実行を許可されているかを決定する段階は、第１基地局により、第１セル情報に従って、第１セルに対応するＰＬＭＮ  ＩＤを決定する段階と、ＰＬＭＮ情報において提供される、許可されているＰＬＭＮ  ＩＤが第１セルに対応するＰＬＭＮ  ＩＤを含む場合、ＵＥが第１セルにおいてＤ２Ｄ通信の実行を許可されていると決定される、もしくは、第１セルが、ユーザ機器がＤ２Ｄ通信の実行を許可され得るセルであると決定する段階、または、ＰＬＭＮ情報において提供される、許可されているＰＬＭＮ  ＩＤが第１セルに対応するＰＬＭＮ  ＩＤを含まない場合、ＵＥが第１セルにおいてＤ２Ｄ通信の実行を許可されていないと決定する、もしくは、第１セルが、ユーザ機器がＤ２Ｄ通信の実行を許可され得るセルではないと決定する段階を含み得る。
【０３３５】
任意選択的に、第２基地局は、以下の方法を用いて第１セルメッセージを受信し得る：第３基地局により送信される第２メッセージを第２基地局により受信する段階であって、第２メッセージは、第１セル情報を含む、段階、または、第２基地局により第１基地局またはＭＭＥの第１メッセージを受信する段階であって、第１メッセージは、第１セル情報を含む、段階である。
【０３３６】
任意選択的に、ユーザ機器がＤ２Ｄ通信の実行を許可されているかを決定した後に、第２基地局は、応答を行う。例えば、以下の通りである。
【０３３７】
ＵＥが第１セルにおいてＤ２Ｄ通信の実行を許可されていると決定したとき、第２基地局は、応答メッセージを送信する。
【０３３８】
ＵＥが第１セルにおいてＤ２Ｄ通信の実行を許可されていないと決定したとき、第２基地局は、返信メッセージを送信する。
【０３３９】
具体的には、第２基地局により応答メッセージを送信する段階は、第１セル情報がＭＭＥにより送信されたとき、第２基地局により応答メッセージをＭＭＥに送信する段階、または、第１セル情報が第１基地局により送信されたとき、第２基地局により応答メッセージを第１基地局に送信する段階、または、第１セル情報が第３基地局により送信されたとき、第２基地局により、第３基地局に応答メッセージを送信する段階を含み得る。
【０３４０】
具体的には、第２基地局により返信メッセージを送信する段階は、第１セル情報がＭＭＥにより送信されたとき、第２基地局により返信メッセージをＭＭＥに送信する段階、または、第１セル情報が第１基地局により送信されたとき、第２基地局により、返信メッセージを第１基地局に送信する段階、または、第１セル情報が第３基地局により送信されたとき、第２基地局により、返信メッセージを第３基地局に送信する段階を含み得る。
【０３４１】
上記から分かるように、本発明のこの実施形態は、通信方法を提供する。第２基地局は、第１メッセージを受信し、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定する。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０３４２】
前述の方法は、具体的な実施形態１１および実施形態１２を用いて、以下において説明される。
【０３４３】
［実施形態１１］
図１１は、本発明の実施形態において提供される通信方法のフローチャートである。図１１に示されているように、ｅＮＢは、第２セルの基地局である。第２基地局は、ユーザ機器のマスタ基地局またはサービング基地局であってよい。方法は、以下を備え得る。
【０３４４】
１１０１：ｅＮＢは、ＭＭＥにより送信される第１メッセージを受信する。
【０３４５】
第１メッセージは、ＰＬＭＮ情報を含む。ＰＬＭＮ情報は、ＰＬＭＮの許可状態に関する情報を提供するために用いられ、ここで、許可されているＰＬＭＮは、ユーザ機器がＤ２Ｄ通信を実行するために用いられ（ＰｒｏＳｅ  ｓｅｒｖｉｃｅｓのためのＰＬＭＮの許可状態に関する情報を提供する）、または、ユーザ機器がどのＰＬＭＮにおいてＤ２Ｄ通信の実行を許可されているかを示すために用いられる（ＵＥがどのＰＬＭＮにおいてＰｒｏＳｅ  ｓｅｒｖｉｃｅｓについて許可されているかを示す）。
【０３４６】
ＰＬＭＮ情報は、ＰＬＭＮ  ＩＤを含み得る。ＰＬＭＮ  ＩＤは、ＰＬＭＮ  ＩＤに対応するＰＬＭＮが、Ｄ２Ｄ通信を実行するために用いられることを許可されているかを識別するために用いられる。
【０３４７】
ＰＬＭＮ情報は、少なくとも１つの許可されているＰＬＭＮのＰＬＭＮ  ＩＤ、および／または、少なくとも１つの許可されていないＰＬＭＮのＰＬＭＮ  ＩＤ、および／または、ＵＥによりサポートされるＰＬＭＮ、および各ＰＬＭＮの許可状態をさらに含む。
【０３４８】
例えば、第１メッセージは、ＩＮＩＴＩＡＬ  ＣＯＮＴＥＸＴ  ＳＥＴＵＰ  ＲＥＱＵＥＳＴ（初期コンテキスト設定要求メッセージ）、ＵＥ  ＣＯＮＴＥＸＴ  ＭＯＤＩＦＩＣＡＴＩＯＮ  ＲＥＱＵＥＳＴ（ＵＥコンテキスト変更要求メッセージ）、ＰＡＴＨ  ＳＷＩＴＣＨ  ＲＥＱＵＥＳＴ  ＡＣＫＮＯＷＬＥＤＧＥ  ｍｅｓｓａｇｅｓ（経路切替要求メッセージ）、またはハンドオーバー要求メッセージ（ＨＯ  Ｒｅｑｕｅｓｔ）であってよい。
【０３４９】
（例えば、ＰｒｏＳｅ許可済み情報要素と称される）ＰＬＭＮ情報について、ＰＬＭＮ情報は、ＰＬＭＮの許可状態に関する情報を提供するために用いられ、ここで、許可されているＰＬＭＮは、ユーザ機器がＤ２Ｄ通信を実行するために用いられる（英語表記：Ｅｓｐｅｃｉａｌｌｙ  ｆｏｒ  ＵＥ，ｉｔ  ｐｒｏｖｉｄｅｓ  ｉｎｆｏｒｍａｔｉｏｎ  ｏｎ  ｔｈｅ  ａｕｔｈｏｒｉｚａｔｉｏｎ  ｓｔａｔｕｓ  ｏｆ  ＰＬＭＮ  ｆｏｒ  ＰｒｏＳｅ  ｓｅｒｖｉｃｅｓ）。例えば、以下の表１に示されている通りである。
【表１】
0006524254.tif 000002
【０３５０】
具体的には、ＵＥがどのＰＬＭＮにおいてＤ２Ｄ  Ｄｉｓｃｏｖｅｒｙの実行を許可されているかを示す（ＵＥがどのＰＬＭＮにおいてＰｒｏＳｅ  Ｄｉｒｅｃｔ  Ｄｉｓｃｏｖｅｒｙについて許可されているかを示す）ことは、ＵＥがどのＰＬＭＮにおいてＤ２Ｄ  Ｄｉｓｃｏｖｅｒｙメッセージの送信を許可されているかを示すこと、および／または、ＵＥがどのＰＬＭＮにおいてＤ２Ｄ  Ｄｉｓｃｏｖｅｒｙメッセージをリッスンすることを許可されているかを示すことを含み得る。
【０３５１】
同様に、ＵＥがどのＰＬＭＮにおいてＤ２Ｄ  Ｃｏｍｍｕｎｉｃａｔｉｏｎ通信の実行を許可されているかを示す（ＵＥがどのＰＬＭＮにおいてＰｒｏＳｅ  Ｄｉｒｅｃｔ  Ｃｏｍｍｕｎｉｃａｔｉｏｎについて許可されているかを示す）ことは、ＵＥがどのＰＬＭＮにおいてＤ２Ｄ  Ｃｏｍｍｕｎｉｃａｔｉｏｎメッセージの送信を許可されているかを示すこと、および／または、ＵＥがどのＰＬＭＮにおいてＤ２Ｄ  Ｃｏｍｍｕｎｉｃａｔｉｏｎメッセージをリッスンすることを許可されているかを示すことを含み得る。
【０３５２】
同様に、ＵＥがどのＰＬＭＮにおいてＤ２Ｄ中継通信の実行を許可されているかを示す（ＵＥがどのＰＬＭＮにおいてＰｒｏＳｅ  ｒｅｌａｙ  Ｃｏｍｍｕｎｉｃａｔｉｏｎについて許可されているかを示す）ことは、ＵＥがどのＰＬＭＮにおいてＤ２Ｄ中継通信メッセージの送信を許可されているかを示すこと、および／または、ＵＥがどのＰＬＭＮにおいてＤ２Ｄ中継通信メッセージをリッスンすることを許可されているかを示すことを含み得る。Ｄ２Ｄ中継通信は、１対１モードおよび１対多モードを含む。
【０３５３】
ＥＮＵＭＥＲＡＴＥＤ（ＰＬＭＮ  ＩＤ...）は、許可されているＰＬＭＮに対応する識別の列挙を表す。加えて、例えば、以下の表２に示されているように、ＰＬＭＮ情報を表すさらなる可能な形式が存在する。
【表２】
0006524254.tif 000003
【０３５４】
さらなる可能な実装方式が存在する。各ＵＥによりサポートされるＰＬＭＮについて、ＰＬＭＮ、およびＰＬＭＮが許可されているかに関する状態情報が提供される。発見メッセージの送信が、例として用いられる。ＰＬＭＮ  ＩＤ毎に、以下の表、すなわち、表３が存在する。
【表３】
0006524254.tif 000004
【０３５５】
Ｔｒｕｅは、ＵＥがＰｒｏＳｅ  Ｄｉｒｅｃｔ  Ｄｉｓｃｏｖｅｒｙアナウンスメントについて許可されていることを表し、ｆａｌｓｅは、ＵＥがＰｒｏＳｅ  Ｄｉｒｅｃｔ  Ｄｉｓｃｏｖｅｒｙアナウンスメントについて許可されていないことを表す。従って、ＰＬＭＮ  ＩＤ１について、その状態がｔｒｕｅであり、ＵＥがＰＬＭＮにおいてＤ２Ｄ  発見メッセージの送信を許可されていることを表す。
【０３５６】
１１０２：ｅＮＢは、ユーザ機器により送信される要求メッセージを受信する。
【０３５７】
要求メッセージは、第１セルにおいてＤ２Ｄ通信を実行するよう要求するために用いられる。任意選択的に、要求メッセージは、第１セル情報を含む。第１セル情報は、第１セルのセル識別子ＥＣＧＩまたはＰＬＭＮ  ＩＤであってよい。基地局は、第１セルの基地局である。
【０３５８】
１１０３：ｅＮＢは、ユーザ機器が第１セルにおいてＤ２Ｄ通信を実行できるかを決定し、または、第１セルが、ユーザ機器がＤ２Ｄ通信の実行を許可され得るセルであるかを決定し、ユーザ機器が第１セルにおいてＤ２Ｄ通信を実行できる場合、または、第１セルが、ユーザ機器がＤ２Ｄ通信の実行を許可され得るセルである場合、処理は、１１０４に移り、または、ユーザ機器が第１セルにおいてＤ２Ｄ通信を実行できない場合、または第１セルが、ユーザ機器がＤ２Ｄ通信の実行を許可され得るセルではない場合、処理は、１１０５に移る。
【０３５９】
具体的には、例えば、第１基地局は、第１セル情報に従って、第１セルに対応するＰＬＭＮ  ＩＤを決定し、ＰＬＭＮ情報において提供される、許可されているＰＬＭＮ  ＩＤが、第１セルに対応するＰＬＭＮ  ＩＤを含む場合、ＵＥが第１セルにおいてＤ２Ｄ通信の実行を許可されていると決定する、もしくは、第１セルが、ユーザ機器がＤ２Ｄ通信の実行を許可され得るセルと決定する、または、ＰＬＭＮ情報において提供される、許可されているＰＬＭＮ  ＩＤが、第１セルに対応するＰＬＭＮ  ＩＤを含まない場合、ＵＥが第１セルにおいてＤ２Ｄ通信の実行を許可されていないと決定する、もしくは、第１セルが、ユーザ機器がＤ２Ｄ通信の実行を許可され得るセルではないと決定する。
【０３６０】
１１０４：ｅＮＢは、ユーザ機器に応答メッセージを送信し、これにより、ユーザ機器は、第１セルにおいてＤ２Ｄ通信を実行し、ここで、応答メッセージは、Ｄ２Ｄ通信のためのリソースをユーザ機器に提供するために用いられる。
【０３６１】
１１０５：ｅＮＢは、ユーザ機器に返信メッセージを送信し、ユーザ機器が第１セルにおいてＤ２Ｄ通信を実行できないことを通知する。
【０３６２】
前述のｅＮＢは、第２セルにおいてユーザ機器の要求メッセージを受信してよく、第２セルは、ユーザ機器のサービングセルまたはプライマリセルである。ｅＮＢは、第１セルおよび第２セルの基地局である。すなわち、第１セルおよび第２セルは同じ基地局に属する場合である。
【０３６３】
前述の実施形態において、段階１１０１はさらに、ｅＮＢが別の基地局（例えば、第３基地局）により送信される第１メッセージを受信する段階であってよい。このことは、本発明において限定されない。
【０３６４】
上記から分かるように、本発明のこの実施形態は、通信方法を提供する。ｅＮＢは第１メッセージを受信し、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定し、これにより、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０３６５】
［実施形態１２］
図１２は、本発明の実施形態において提供される通信方法のフローチャートである。図１２に示されているように、ｅＮＢ１は、第２セルの基地局である。第２基地局は、ユーザ機器のマスタ基地局またはサービング基地局であり得る。ｅＮＢ２は、第１セルの基地局である。第１セルは、ユーザ機器の二次基地局または非サービング基地局のセルであってよい。方法は、以下を備え得る。
【０３６６】
１２０１：ｅＮＢ１は、ＭＭＥにより送信される第１メッセージを受信する。
【０３６７】
第１メッセージは、ＰＬＭＮ情報を含む。第１メッセージは、ＰＬＭＮの許可状態に関する情報を提供するために用いられ、ここで、許可されているＰＬＭＮは、ユーザ機器がＤ２Ｄ通信を実行するために用いられ（ＰｒｏＳｅ  ｓｅｒｖｉｃｅｓのためのＰＬＭＮの許可状態に関する情報を提供する）、または、ユーザ機器がどのＰＬＭＮにおいてＤ２Ｄ通信の実行を許可されているかを示すために用いられる（ＵＥがどのＰＬＭＮにおいてＰｒｏＳｅ  ｓｅｒｖｉｃｅｓについて許可されているかを示す）。
【０３６８】
ＰＬＭＮ情報は、ＰＬＭＮ  ＩＤを含み得る。ＰＬＭＮ  ＩＤは、ＰＬＭＮ  ＩＤに対応するＰＬＭＮが、Ｄ２Ｄ通信を実行するために用いられることを許可されているかを識別するために用いられる。
【０３６９】
ＰＬＭＮ情報は、少なくとも１つの許可されているＰＬＭＮのＰＬＭＮ  ＩＤ、および／または、少なくとも１つの許可されていないＰＬＭＮのＰＬＭＮ  ＩＤ、および／または、ＵＥによりサポートされるＰＬＭＮ、および各ＰＬＭＮの許可状態をさらに含む。
【０３７０】
１２０２：ｅＮＢ１は、ユーザ機器により送信される要求メッセージを受信する。
【０３７１】
要求メッセージは、第１セルにおいてＤ２Ｄ通信を実行するよう要求するために用いられる。要求メッセージは、第１セルのセル識別子ＥＣＧＩ、またはＰＬＭＮ  ＩＤを含む。ｅＮＢ１は、第２セルの基地局である。前述のｅＮＢ１は、第２セルにおいてユーザ機器の要求メッセージを受信し得る。第２セルは、ユーザ機器のサービングセルまたはプライマリセルである。ｅＮＢ１は、第２セルの基地局である。ｅＮＢ２は、第１セルの基地局である。第１セルは、ＵＥの非サービング基地局または二次基地局である。すなわち、第１セルおよび第２セルは異なる基地局に属する場合である。
【０３７２】
１２０３：ｅＮＢ１は、ｅＮＢ２に要求メッセージおよび第１メッセージを送信する。
【０３７３】
１２０４：ｅＮＢ２は、要求メッセージと第１メッセージにおけるＰＬＭＮ情報とに従って、ユーザ機器が第１セルにおいてＤ２Ｄ通信を実行できるかを決定し、ユーザ機器が第１セルにおいてＤ２Ｄ通信を実行できる場合、処理は、１２０５に移り、または、ユーザ機器が第１セルにおいてＤ２Ｄ通信を実行できない場合、処理は、１２０６に移る。
【０３７４】
具体的には、例えば、ｅＮＢ２は、第１セル情報に従って、第１セルに対応するＰＬＭＮ  ＩＤを決定し、ＰＬＭＮ情報において提供される、許可されているＰＬＭＮ  ＩＤが、第１セルに対応するＰＬＭＮ  ＩＤを含む場合、ＵＥが第１セルにおいてＤ２Ｄ通信の実行を許可されていると決定する、もしくは、第１セルが、ユーザ機器がＤ２Ｄ通信の実行を許可され得るセルであると決定する、または、ＰＬＭＮ情報において提供される、許可されているＰＬＭＮ  ＩＤが、第１セルに対応するＰＬＭＮ  ＩＤを含まない場合、ＵＥが第１セルにおいてＤ２Ｄ通信の実行を許可されていないと決定する、もしくは、第１セルが、ユーザ機器がＤ２Ｄ通信の実行を許可され得るセルではないと決定する。
【０３７５】
１２０５：ｅＮＢ２は、ｅＮＢ１に応答メッセージを送信し、これにより、ユーザ機器は、第１セルにおいてＤ２Ｄ通信を実行する。
【０３７６】
応答メッセージは、Ｄ２Ｄ通信のためのリソースをユーザ機器に提供するために用いられる。
【０３７７】
１２０６：ｅＮＢ２は、ｅＮＢ１に返信メッセージを送信し、ユーザ機器が第１セルにおいてＤ２Ｄ通信を実行できないことを通知する。
【０３７８】
上記から分かるように、本発明のこの実施形態は、通信方法を提供する。ｅＮＢ２は、第１メッセージおよび要求メッセージを受信して、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定し、これにより、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０３７９】
［実施形態１３］
図１３は、本発明の実施形態において提供される基地局１３の構造図である。基地局１３は、実施形態１におけるリソース割り当て方法を実行するよう構成される。基地局は、第２セルの第１基地局であってよい。第２セルは、ユーザ機器のプライマリセルまたはサービングセルであってよい。図１３に示されているように、基地局１３は、決定ユニット１３０および送信ユニット１３１を含んでよい。
【０３８０】
決定ユニット１３０は、ユーザ機器が第１セルにおいてＤ２Ｄ通信を実行できるかを決定するよう構成される。
【０３８１】
ユーザ機器が第１セルにおいてＤ２Ｄ通信を実行できるかは、ユーザ機器が第１セルにおいてＤ２Ｄ通信の実行を許可されているかを指してよい。第１セルは、ユーザ機器のセカンダリセルまたは非サービングセルであってよい。
【０３８２】
Ｄ２Ｄ通信は、ＰｒｏＳｅ  ｓｅｒｖｉｃｅと具体的に同等であってよく、以下の通信のうちの１つまたは複数を含んでよい：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、またはＤ２Ｄ発見メッセージのリッスン。
【０３８３】
送信ユニット１３１は、ユーザ機器が第１セルにおいてＤ２Ｄ通信を実行できると決定ユニット１３０が決定したとき、ユーザ機器に応答メッセージを送信するよう構成され、これにより、ユーザ機器は、第１セルにおいてＤ２Ｄ通信を実行し、ここで、応答メッセージは、第１セルにおけるＤ２Ｄ通信リソースをユーザ機器に提供するために用いられ、または、ユーザ機器が第１セルにおいてＤ２Ｄ通信を実行できないと決定ユニット１３０が決定したとき、ユーザ機器に返信メッセージを送信するよう構成され、返信メッセージは、ユーザ機器が第１セルにおいてＤ２Ｄ通信を実行できないことを通知するために用いられる。
【０３８４】
任意選択的に、応答メッセージは、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌであって、Ｌは正の整数である、数量Ｌ、および／または、専用リソース設定およびリソースプール設定（ａ  ｒｅｓｏｕｒｃｅ  ｐｏｏｌ  ｃｏｎｆｉｇｕｒａｔｉｏｎ）である、第１セルのＤ２Ｄ通信リソースの設定を含み得る。
【０３８５】
ＵＥは、リソースプール設定に従って、リソースプールからリソースを自律的に選択する。リソースは、ＵＥがＤ２Ｄ通信を実行するために用いられる（例えば、発見メッセージの送信は、発見メッセージアナウンスメントである）。
【０３８６】
代わりに、ＵＥは、リソースプール上の専用リソースからリソースを自律的に選択する。リソースは、ＵＥがＤ２Ｄ通信を実行するために用いられる（例えば、発見メッセージの送信は、発見メッセージアナウンスメントである）。
【０３８７】
代わりに、リソースプール設定に従って、ＵＥは、リソースプール上の専用リソースを用いてＤ２Ｄ通信を実行する。具体的には、ｅＮＢは、リソースプールの専用リソースを提供し、ＵＥがＤ２Ｄ通信を実行するための専用リソースを構成する（ｅＮＢは、例えば、発見メッセージアナウンスメントなどのＰｒｏＳｅ  ｓｅｒｖｉｃｅのための時間及び周波数インデックスの形式において専用リソースと共にリソースプールを構成し得る）。
【０３８８】
応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み得て、ここで、Ｌは正の整数である。
【０３８９】
リソースの数量Ｌについて、Ｌは正の整数であり、ＵＥにより要求されてＤ２Ｄメッセージを送信するために用いられるリソースの数量を示すために用いられてよく、ＵＥが各周期において送信を望むメッセージの数量を含んでよい。例えば、Ｌは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０３９０】
加えて、応答メッセージは、セルインデックス（Ｓｃｅｌｌｉｎｄｅｘ）をさらに含み得る。セルインデックスは、第１セルを示すために用いられる。
【０３９１】
任意選択的に、決定ユニット１３０は、以下の（１）、（２）、または（３）のうちの任意の方式、または複数の方式を用いることにより、ユーザ機器が第１セルにおいてＤ２Ｄ通信を実行できるかを決定するよう具体的に構成され得る。
【０３９２】
（１）第１基地局は、ユーザ機器が第１セルにおいてＤ２Ｄ通信の実行を許可されているかを決定し、ユーザ機器が第１セルにおいてＤ２Ｄ通信の実行を許可されていると決定された場合、ユーザ機器が第１セルにおいてＤ２Ｄ通信を実行できると決定する、または、ユーザ機器がＤ２Ｄ通信の実行を許可されていないと決定された場合、ユーザ機器が第１セルにおいてＤ２Ｄ通信を実行できないと決定する。
【０３９３】
具体的には、第１基地局は、第１セル情報とＰＬＭＮ（Ｐｕｂｌｉｃ  Ｌａｎｄ  Ｍｏｂｉｌｅ  Ｎｅｔｗｏｒｋ、公衆陸上移動体ネットワーク）情報とに従って、ユーザ機器が第１セルにおいてＤ２Ｄ通信の実行を許可されているかを決定してよく、ＰＬＭＮ情報において提供される、許可されているＰＬＭＮ  ＩＤが第１セルに対応するＰＬＭＮ  ＩＤを含む場合、ＵＥがＤ２Ｄ通信の実行を許可されていると決定する、もしくは、第１セルが、ユーザ機器がＤ２Ｄ通信の実行を許可され得るセルであると決定する、または、ＰＬＭＮ情報において提供される、許可されているＰＬＭＮ  ＩＤが第１セルに対応するＰＬＭＮ  ＩＤを含まない場合、ＵＥがＤ２Ｄ通信の実行を許可されていないと決定する、もしくは、第１セルが、ユーザ機器がＤ２Ｄ通信の実行を許可され得るセルではないと決定する。
【０３９４】
第１セル情報は、第１セルに対応するＰＬＭＮ  ＩＤを決定するために用いられる。ＰＬＭＮ  ＩＤは、以下のうち少なくとも１つを含む：第１セルの識別子ＥＣＧＩ（Ｅｖｏｌｖｅｄ  Ｃｅｌｌ  Ｇｌｏｂａｌ  Ｉｄｅｎｔｉｆｉｅｒ，例えば、Ｅ−ＵＴＲＡにおけるセルのグローバルに一意のＩＤである）、第１セルに対応するＰＬＭＮ  ＩＤ、または第１セルの物理レイヤＩＤ  ＰＣＩ（ｐｈｙｓｉｃａｌ  ｌａｙｅｒ  ｉｄｅｎｔｉｔｙ）、または第１セルの周波数。
【０３９５】
ＰＬＭＮ情報は、ＰＬＭＮの許可状態に関する情報を提供するために用いられ、ここで、許可されているＰＬＭＮは、ユーザ機器がＤ２Ｄ通信を実行するために用いられ（ＰＬＭＮ情報は、ＰｒｏＳｅ  ｓｅｒｖｉｃｅｓのためのＰＬＭＮの許可状態に関する情報を提供するために用いられる）、またはユーザ機器がどのＰＬＭＮにおいてＤ２Ｄ通信の実行を許可されているかを示すために用いられ（ＵＥがどのＰＬＭＮにおいてＰｒｏＳｅ  ｓｅｒｖｉｃｅｓについて許可されているかを示す）、またはユーザ機器がどのＰＬＭＮに対応するセルにおいてＤ２Ｄ通信の実行を許可されているかを示すために用いられる。ＰＬＭＮ情報は、以下のうちの１つまたは複数を含み得る：少なくとも１つの許可されているＰＬＭＮのＰＬＭＮ  ＩＤ、少なくとも１つの許可されていないＰＬＭＮのＰＬＭＮ  ＩＤ、ユーザ機器によりサポートされるＰＬＭＮ、または、各ＰＬＭＮの許可状態。各ＰＬＭＮの許可状態は、真（ｔｒｕｅ）または偽（ｆａｌｓｅ）を含む。「真（ｔｒｕｅ）」は、ＰＬＭＮはＵＥが許可されているＰＬＭＮであること、またはＰＬＭＮはＵＥがＤ２Ｄ通信の実行を許可されているＰＬＭＮであることを表す。「偽（ｆａｌｓｅ）」は、ＰＬＭＮはＵＥが許可されていないＰＬＭＮであること、またはＰＬＭＮはＵＥがＤ２Ｄ通信の実行を許可されていないＰＬＭＮであることを表す。
【０３９６】
（２）第１基地局は、第１セルにおいてユーザ機器に割り当てられるべきリソースが存在するかを決定し、第１セルにおいてユーザ機器に割り当てられるべきリソースが存在すると決定された場合、ユーザ機器が第１セルにおいてＤ２Ｄ通信を実行できると決定する、または、第１セルにおいてユーザ機器に割り当てられるべきリソースが存在しないと決定された場合、ユーザ機器が第１セルにおいてＤ２Ｄ通信を実行できないと決定する。
【０３９７】
（３）第１基地局は、第１セルにおけるユーザ機器の信号品質が予め設定された閾値を満たすかを決定し、第１セルにおけるユーザ機器の信号品質が予め設定された閾値を満たすと決定された場合、ユーザ機器が第１セルにおいてＤ２Ｄ通信を実行できると決定する段階、または、第１セルにおけるユーザ機器の信号品質が予め設定された閾値を満たさないと決定された場合、ユーザ機器が第１セルにおいてＤ２Ｄ通信を実行できないと決定する段階を含む。
【０３９８】
予め設定された閾値は、要求に従って、設定されてよい。このことは、本発明のこの実施形態において限定されない。
【０３９９】
任意選択的に、第３方式が実行される前に、図１３Ａに示されているように、基地局は、受信ユニット１３２をさらに含み得る。
【０４００】
受信ユニット１３２は、ユーザ機器により報告される隣接セル測定を受信するよう構成され、隣接セル測定報告は、第１セルにおけるユーザ機器により測定される信号品質を含む。
【０４０１】
任意選択的に、第１セルおよび第２セルは、同じＰＬＭＮまたは異なるＰＬＭＮに属してよい。
【０４０２】
任意選択的に、第１基地局は、第２セルおよび第１セルの基地局である。
【０４０３】
任意選択的に、第１基地局は、第２セルの基地局であり、第２基地局は、第１セルの基地局である。
【０４０４】
それに対応して、基地局が前述の方法を能動的に用いてＤ２Ｄ通信リソースをユーザ機器に提供することに加えて、基地局は、ユーザ機器の要求で前述の工程をさらに実行し得る。詳細は、以下の通りである。
【０４０５】
受信ユニット１３２は、ユーザ機器により送信される第１要求メッセージを受信するようさらに構成され、第１要求メッセージは、Ｄ２Ｄ通信を実行するためのリソースをユーザ機器に提供するよう要求するために用いられる。
【０４０６】
第１要求メッセージは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み得て、ここで、Ｍは正の整数である。
【０４０７】
候補セルは、ユーザ機器がＤ２Ｄ通信の実行を望むセルであってよい。好ましくは、候補セルは、第１セルであってよい。リソースの数量Ｍについて、Ｍは正の整数であり、ＵＥにより要求されてＤ２Ｄメッセージを送信するために用いられるリソースの数量を示すために用いられてよく、ＵＥが各周期において送信を望むメッセージの数量を含んでよい。例えば、Ｍは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０４０８】
任意選択的に、第１セルの基地局が第２基地局である場合、第１基地局がユーザ機器により送信される要求メッセージを受信する前に、または、ユーザ機器が要求メッセージを送信しないが、Ｄ２Ｄ通信リソースをデバイスに能動的に提供する場合、第１基地局は、Ｄ２Ｄ通信リソースを必要とするユーザ機器にリソースを割り当てるように、第２基地局から、いくつかの利用可能なリソースに関する情報を事前に取得する必要がある。具体的には、以下の通りである。
【０４０９】
送信ユニット１３１は、第２基地局に第２要求メッセージを送信するようさらに構成され、要求メッセージは、Ｄ２Ｄ通信を実行するためのリソースを要求するために、またはＤ２Ｄ通信を実行するために用いられる第１基地局のセルリソースを提供するように要求するために用いられ、リソースは、Ｄ２Ｄ通信のために用いられてよい。
【０４１０】
受信ユニット１３２は、第２基地局により送信される第１応答メッセージを受信するようさらに構成され、第１応答メッセージは、第２基地局のセルのリソースを提供し、リソースは、Ｄ２Ｄ通信のために用いられ、または、第１応答メッセージは、第１セルにおいてＤ２Ｄ通信のために用いられるリソースを含む、または、第２基地局により送信される第１返信メッセージを受信するようさらに構成され、第１返信メッセージは、Ｄ２Ｄ通信のために提供されるべきリソースが存在しないことを表すために用いられる。
【０４１１】
加えて、任意選択的に、第１セルの基地局が第２基地局である場合、ユーザ機器により送信される第１要求メッセージを受信した後に、受信ユニットは、第１セルの第２基地局に要求メッセージを転送する。第１セルの第２基地局は、Ｄ２Ｄ通信リソースを決定する。第２基地局の決定結果を受信した後に、受信ユニットは、ユーザ機器に対応メッセージを送信する。詳細は、以下の通りである。
【０４１２】
送信ユニット１３１は、第２基地局に第３要求メッセージを送信するようさらに構成され、第３要求メッセージは、ユーザ機器がＤ２Ｄ通信を実行するためのリソースを要求するために用いられる。
【０４１３】
受信ユニット１３２は、第２基地局により送信される応答メッセージを受信するようさらに構成され、応答メッセージは、第１セルにおいてユーザ機器がＤ２Ｄ通信を実行するためのリソースに関する情報を含み、応答メッセージは、ユーザ機器が第１セルにおいてＤ２Ｄ通信を実行できることを表す、または、第２基地局により送信される返信メッセージを受信するようさらに構成され、返信メッセージは、第１セルのユーザ機器が第１セルにおいてＤ２Ｄ通信を実行するためのリソースに関する情報を含まず、ユーザ機器が第１セルにおいてＤ２Ｄ通信を実行できないことを表す。
【０４１４】
上記から分かるように、本発明のこの実施形態は、基地局を提供する。第１セルのＤ２Ｄ通信リソースが、ユーザ機器に提供され、ここで、第１セルは、セカンダリセルまたは非サービングセルである。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０４１５】
［実施形態１４］
図１４は、本発明の実施形態において提供される基地局１４の構造図である。基地局１４は、実施形態２におけるリソース割り当て方法を実行するよう構成される。基地局は、第１セルの基地局であってよい。第１セルは、ユーザ機器のセカンダリセルまたは非サービングセルである。図１４に示されているように、基地局１４は、決定ユニット１４０と送信ユニット１４１とを含み得る。
【０４１６】
決定ユニット１４０は、ユーザ機器が第１セルにおいてＤ２Ｄ通信を実行できるかを決定するよう構成される。
【０４１７】
送信ユニット１４１は、ユーザ機器が第１セルにおいてＤ２Ｄ通信を実行できると決定ユニット１４０が決定したとき、第１基地局に応答メッセージを送信し、これにより、第１基地局は、ユーザ機器が第１セルにおいてＤ２Ｄ通信を実行することを通知し、ここで、応答メッセージは、第１セルのＤ２Ｄ通信リソースをユーザ機器に提供するために用いられ、第１セルにおけるＤ２Ｄ通信リソースをユーザ機器に提供する、または、ユーザ機器が第１セルにおいてＤ２Ｄ通信を実行できないと決定ユニット１４０が決定したとき、第１基地局に返信メッセージを送信し、これにより、第１基地局は、ユーザ機器が第１セルにおいてＤ２Ｄ通信を実行できないことを通知するよう構成される。
【０４１８】
応答メッセージは、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌであって、Ｌは正の整数である、数量Ｌ、および／または、専用リソース設定およびリソースプール設定（ａ  ｒｅｓｏｕｒｃｅ  ｐｏｏｌ  ｃｏｎｆｉｇｕｒａｔｉｏｎ）である、第１セルのＤ２Ｄ通信リソースの設定を含み得る。
【０４１９】
ＵＥは、リソースプール設定に従って、リソースプールからリソースを自律的に選択する。リソースは、ＵＥがＤ２Ｄ通信を実行するために用いられる（例えば、発見メッセージの送信は、発見メッセージアナウンスメントである）。
【０４２０】
代わりに、ＵＥは、リソースプール上の専用リソースからリソースを自律的に選択する。リソースは、ＵＥがＤ２Ｄ通信を実行するために用いられる（例えば、発見メッセージの送信は、発見メッセージアナウンスメントである）。
【０４２１】
代わりに、リソースプール設定に従って、ＵＥは、リソースプール上の専用リソースを用いてＤ２Ｄ通信を実行する。具体的には、ｅＮＢは、リソースプールの専用リソースを提供し、ＵＥがＤ２Ｄ通信を実行するための専用リソースを構成する（ｅＮＢは、例えば、発見メッセージアナウンスメントなどのＰｒｏＳｅ  ｓｅｒｖｉｃｅのための時間及び周波数インデックスの形式において専用リソースと共にリソースプールを構成し得る）。
【０４２２】
応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み得て、ここで、Ｌは正の整数である。
【０４２３】
リソースの数量Ｌについて、Ｌは正の整数であり、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０４２４】
加えて、応答メッセージは、セルインデックス（Ｓｃｅｌｌｉｎｄｅｘ）をさらに含み得る。セルインデックスは、第１セルを示すために用いられる。
【０４２５】
第１基地局は、ユーザ機器の第２セルの基地局である。第２セルは、ユーザ機器のプライマリセルまたはサービングセルである。
【０４２６】
任意選択的に、決定ユニット１４０は、以下の（１）、（２）、または（３）のうちの任意の方式、または複数の方式を用いることにより、ユーザ機器が第１セルにおいてＤ２Ｄ通信を実行できるかを決定し得る。
【０４２７】
（１）決定ユニット１４０は、ユーザ機器が第１セルにおいてＤ２Ｄ通信の実行を許可されているかを決定し、ユーザ機器が第１セルにおいてＤ２Ｄ通信の実行を許可されていると決定された場合、ユーザ機器が第１セルにおいてＤ２Ｄ通信を実行できると決定する、または、ユーザ機器がＤ２Ｄ通信の実行を許可されていないと決定された場合、ユーザ機器が第１セルにおいてＤ２Ｄ通信を実行できないと決定する。
【０４２８】
具体的には、決定ユニット１４０は、第１セル情報とＰＬＭＮ情報とに従って、ユーザ機器が第１セルにおいてＤ２Ｄ通信の実行を許可されているかを決定し得て、ＰＬＭＮ情報において提供される、許可されているＰＬＭＮ  ＩＤが第１セルに対応するＰＬＭＮ  ＩＤを含む場合、ＵＥがＤ２Ｄ通信の実行を許可されていると決定する、もしくは、第１セルが、ユーザ機器がＤ２Ｄ通信の実行を許可され得るセルであると決定する、または、ＰＬＭＮ情報において提供される、許可されているＰＬＭＮ  ＩＤが第１セルに対応するＰＬＭＮ  ＩＤを含まない場合、ＵＥがＤ２Ｄ通信の実行を許可されていないと決定する、もしくは、第１セルが、ユーザ機器がＤ２Ｄ通信の実行を許可され得るセルではないと決定する。
【０４２９】
第１セル情報は、第１セルに対応するＰＬＭＮ  ＩＤを決定するために用いられる。ＰＬＭＮ  ＩＤは以下のうち少なくとも１つを含む：第１セルの識別子ＥＣＧＩ、第１セルに対応するＰＬＭＮ  ＩＤ、または第１セルの物理レイヤＩＤ  ＰＣＩ、または第１セルの周波数。
【０４３０】
ＰＬＭＮ情報は、ＰＬＭＮの許可状態に関する情報を提供するために用いられ、ここで、許可されているＰＬＭＮは、ユーザ機器がＤ２Ｄ通信を実行するために用いられ（ＰｒｏＳｅ  ｓｅｒｖｉｃｅｓのためのＰＬＭＮの許可状態に関する情報を提供する）、またはユーザ機器がどのＰＬＭＮにおいてＤ２Ｄ通信の実行を許可されているかを示すために用いられ（ＵＥがどのＰＬＭＮにおいてＰｒｏＳｅ  ｓｅｒｖｉｃｅｓについて許可されているかを示す）、またはユーザ機器がどのＰＬＭＮに対応するセルにおいてＤ２Ｄ通信の実行を許可されているかを示すために用いられる。ＰＬＭＮ情報は、以下のうちの１つまたは複数を含み得る：少なくとも１つの許可されているＰＬＭＮのＰＬＭＮ  ＩＤ、少なくとも１つの許可されていないＰＬＭＮのＰＬＭＮ  ＩＤ、ユーザ機器によりサポートされるＰＬＭＮ、または各ＰＬＭＮの許可状態。
【０４３１】
（２）第１基地局は、第１セルにおいてユーザ機器に割り当てられるべきリソースが存在するかを決定し、第１セルにおいてユーザ機器に割り当てられるべきリソースが存在すると決定された場合、ユーザ機器が第１セルにおいてＤ２Ｄ通信を実行できると決定する、または、第１セルにおいてユーザ機器に割り当てられるべきリソースが存在しないと決定された場合、ユーザ機器が第１セルにおいてＤ２Ｄ通信を実行できないと決定する。
【０４３２】
（３）第１基地局は、第１セルにおけるユーザ機器の信号品質が予め設定された閾値を満たすかを決定し、第１セルにおけるユーザ機器の信号品質が予め設定された閾値を満たすと決定された場合、ユーザ機器が第１セルにおいてＤ２Ｄ通信を実行できると決定する段階、または、第１セルにおけるユーザ機器の信号品質が予め設定された閾値を満たさないと決定された場合、ユーザ機器が第１セルにおいてＤ２Ｄ通信を実行できないと決定する段階を含む。
【０４３３】
予め設定された閾値は、要求に従って、設定されてよい。このことは、本発明のこの実施形態において限定されない。
【０４３４】
任意選択的に、図１４Ａに示されているように、基地局は、受信ユニット１４２をさらに含む。
【０４３５】
受信ユニット１４２は、ユーザ機器により報告される隣接セル測定を受信するよう構成され、隣接セル測定報告は、第１セルにおけるユーザ機器により測定される信号品質を含む。
【０４３６】
任意選択的に、受信ユニット１４２は、第２基地局により送信される第１要求メッセージを受信するようさらに構成され、第１要求メッセージは、Ｄ２Ｄ通信を実行するためのリソースをユーザ機器に提供するよう要求するために用いられる。
【０４３７】
第１要求メッセージは、Ｄ２Ｄ通信を実行するためのリソースをユーザ機器に提供するよう要求するために用いられる。
【０４３８】
第１要求メッセージは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み得て、ここで、Ｍは正の整数である。
【０４３９】
候補セルは、ユーザ機器がＤ２Ｄ通信の実行を望むセルであってよい。好ましくは、候補セルは、第１セルであってよい。リソースの数量Ｍについて、Ｍは正の整数であり、ＵＥにより要求されてＤ２Ｄメッセージを送信するために用いられるリソースの数量を示すために用いられてよく、ＵＥが各周期において送信を望むメッセージの数量を含んでよい。例えば、Ｍは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０４４０】
加えて、任意選択的に、基地局はさらに、第１基地局にリソース情報を事前に提供し得て、これにより、第１基地局は、通信リソースを必要とするユーザ機器に、Ｄ２Ｄ通信リソースを提供する。具体的には、以下の通りである。
【０４４１】
受信ユニット１４２は、第１基地局により送信される第２要求メッセージを受信するよう構成され、要求メッセージは、Ｄ２Ｄ通信を実行するためのリソースを要求するために、または、Ｄ２Ｄ通信のために用いられる基地局のセルリソースを提供するよう要求するために用いられ、リソースは、Ｄ２Ｄ通信のために用いられてよい。
【０４４２】
送信ユニット１４１は、第１基地局に応答メッセージを送信するようさらに構成され、応答メッセージは、第２基地局のセルのリソースを提供し、リソースは、Ｄ２Ｄ通信のために用いられ、または応答メッセージは、第１セルにおける、Ｄ２Ｄ通信のために用いられるリソースを含む、または、返信メッセージを第１基地局に送信するようさらに構成され、返信メッセージは、Ｄ２Ｄ通信のために提供されるべきリソースが存在しないことを表すために用いられる。
【０４４３】
上記から分かるように、本発明のこの実施形態は、基地局を提供する。基地局は、第１セルのＤ２Ｄ通信リソースをユーザ機器に提供し、ここで、第１セルは、セカンダリセルまたは非サービングセルである。このように、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０４４４】
［実施形態１５］
図１５は、本発明の実施形態において提供されるユーザ機器１５の構造図である。ユーザ機器１５は、実施形態３におけるリソース割り当て方法を実行するために構成される。図１５に示されているように、ユーザ機器１５は、受信ユニット１５０と送信ユニット１５１とを含み得る。
【０４４５】
受信ユニット１５０は、基地局により送信される応答メッセージを受信するよう構成され、応答メッセージは、第１セルのＤ２Ｄ通信リソースをユーザ機器に提供するために用いられ、第１セルは、ユーザ機器のセカンダリセルまたは非サービングセルである。
【０４４６】
送信ユニット１５１は、第１セルにおいてＤ２Ｄ通信を実行するよう構成される。
【０４４７】
応答メッセージは、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌを含み得て、ここで、Ｌは正の整数である。
【０４４８】
リソースの数量Ｌについて、Ｌは正の整数であり、ＵＥにより要求されてＤ２Ｄメッセージを送信するために用いられるリソースの数量を示すために用いられてよく、ＵＥが各周期において送信を望むメッセージの数量を含んでよい。例えば、Ｌは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０４４９】
応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み、ここで、Ｌは正の整数であり、応答メッセージは、セルインデックスＳｃｅｌｌｉｎｄｅｘをさらに含み、ここで、セルインデックスは、第１セルを示すために用いられる。
【０４５０】
任意選択的に、送信ユニット１５１は、基地局に要求メッセージを送信するようさらに構成される。
【０４５１】
要求メッセージは、Ｄ２Ｄ通信を実行するためのリソースをユーザ機器に提供するよう要求するために用いられ、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器が候補セルにおいてＤ２Ｄ通信を実行するためのリソースの数量Ｍを含み得て、ここで、Ｍは正の整数である。
【０４５２】
候補セルは、ユーザ機器がＤ２Ｄ通信の実行を望むセルであってよい。好ましくは、候補セルは、第１セルであってよい。
【０４５３】
任意選択的に、基地局が第１セルのＤ２Ｄ通信リソースをユーザ機器に提供することを可能にするために、送信ユニット１５１は、基地局に隣接セル測定報告を報告するようさらに構成され、これにより、基地局は、隣接セル測定報告に従って、ユーザ機器が第１セルにおいてＤ２Ｄ通信を実行できると決定し、ここで、隣接セル測定報告は、第１セルにおけるユーザ機器により測定される信号品質を含む。
【０４５４】
任意選択的に、この実施形態において、基地局は、第２セルおよび第１セルの共通の基地局であってよく、ここで、第２セルは、ユーザ機器のサービングセルまたはプライマリセルであり、第１セルおよび第２セルは、同じＰＬＭＮまたは異なるＰＬＭＮに属する。
【０４５５】
基地局は、第２セルの唯一の基地局であってもよい。第２セルは、ユーザ機器のサービングセルまたはプライマリセルである。
【０４５６】
上記から分かるように、本発明のこの実施形態は、ユーザ機器を提供する。ユーザ機器は、基地局によりユーザ機器に提供される、第１セルのＤ２Ｄ通信リソースを受信し、ここで、第１セルは、セカンダリセルまたは非サービングセルであり、これにより、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０４５７】
［実施形態１６］
図１６は、本発明の実施形態において提供されるリソース割り当てシステム１６の構造図である。リソース割り当てシステム１６は、実施形態４、実施形態５、および実施形態６におけるリソース割り当て方法を実行するよう構成される。図１６に示されているように、リソース割り当てシステム１６は、基地局１３と、基地局１４と、ユーザ機器１５とを含み得る。
【０４５８】
基地局１３と実施形態１３における基地局とは、同じ機能を有する。基地局１４と実施形態１４における基地局とは、同じ機能を有する。ユーザ機器１５と実施形態１５におけるユーザ機器とは、同じ機能を有する。詳細は、ここではこれ以上一つずつ詳しく述べない。
【０４５９】
上記から分かるように、本発明のこの実施形態は、リソース割り当てシステムを提供する。第１セルのＤ２Ｄ通信リソースは、ユーザ機器に提供され、ここで、第１セルは、セカンダリセルまたは非サービングセルであり、これにより、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０４６０】
［実施形態１７］
図１７は、本発明の実施形態において提供される基地局１７の構造図である。基地局１７は、実施形態７におけるリソース割り当て方法を実行するよう構成される。図１７に示されているように、基地局１７は、送信ユニット１７０と受信ユニット１７１とを含み得る。
【０４６１】
送信ユニット１７０は、ユーザ機器にシステムメッセージを送信するよう構成される。
【０４６２】
システムメッセージは、第１セルにおいて発見メッセージを送信またはリッスンするリソース設定を含み、これにより、ユーザ機器は、リソース設定に従って、第１セルにおいて発見メッセージを送信またはリッスンする。
【０４６３】
発見メッセージはさらに、ＰｒｏＳｅ  Ｄｉｒｅｃｔ発見メッセージ、Ｄ２Ｄ発見メッセージ、Ｄ２Ｄ直接発見メッセージ、またはＤ２Ｄメッセージと同等であってよい。
【０４６４】
発見メッセージは、２つのデバイスの間で送信されるメッセージであり、例えば、ユーザ機器１によりユーザ機器２に送信されるメッセージ、または、デバイス３によりユーザ機器１に送信されるメッセージである。
【０４６５】
リソース設定は、以下のうち少なくとも１つを含む：第１セルの周波数、第１セルのセル識別子ＥＣＧＩ、第１セルのＰＣＩ、または第１セルのＰＬＭＮ。
【０４６６】
リソース設定は、リソースプール設定をさらに含む。リソースプール設定は、時間−周波数リソースの設定を含み得る。
【０４６７】
第１セルは、ユーザ機器のセカンダリセルまたは非サービングセルである。基地局は、第２セルまたは第１セルの基地局であってよい。第２セルは、ユーザ機器のプライマリセルまたはサービングセルであってよい。
【０４６８】
任意選択的に、基地局により、システムメッセージをユーザ機器に送信する段階は、基地局により、第２セルにおいてシステムメッセージをユーザ機器に送信する段階、または、基地局により、第１セルにおいてシステムメッセージをユーザ機器に送信する段階を含み得る。
【０４６９】
任意選択的に、基地局がユーザ機器の第２セルの基地局である場合、基地局によりユーザ機器にシステムメッセージを送信する前に、第１セルにおいて発見メッセージを送信またはリッスンするリソース設定は、別のノード（例えば、別の基地局、またはＯＡＭ）から取得され得る。詳細は、以下の通りである：図１７Ａに示されているように、基地局は、受信ユニット１７１をさらに含み得る。
【０４７０】
受信ユニット１７１は、第２基地局により送信されるリソース設定メッセージを受信するよう構成され、リソース設定メッセージは、第１セルにおいてＤ２Ｄ発見メッセージを受信または送信するリソース設定を含み、第２基地局は、第１セルの基地局である。
【０４７１】
基地局は、第２セルの基地局である。
【０４７２】
上記から分かるように、本発明のこの実施形態は、基地局を提供する。基地局は、システムメッセージを送信し、これにより、ユーザ機器は、第１セルにおいて発見メッセージを送信またはリッスンし、ここで、第１セルは、ユーザ機器のセカンダリセルまたは非サービングセルであり、それにより、従来技術における、ユーザ機器の通信リソースがプライマリセルにおいて制限されている場合に生じるユーザ機器のプライマリセルの増大する負荷といた問題を回避する。
【０４７３】
［実施形態１８］
図１８は、本発明の実施形態において提供されるユーザ機器１８の構造図である。ユーザ機器１８は、実施形態８におけるリソース割り当て方法を実行するよう構成される。図１８に示されているように、ユーザ機器１８は、リッスンユニット１８０と送信ユニット１８１とを含み得る。
【０４７４】
リッスンユニット１８０は、基地局により送信されるシステムメッセージをリッスンするよう構成される。
【０４７５】
送信ユニット１８１は、発見メッセージを送信またはリッスンするリソース設定に従って、第１セルにおいて発見メッセージを送信またはリッスンするよう構成される。
【０４７６】
システムメッセージは、第１セルにおいて発見メッセージを送信またはリッスンするリソース設定を含む。第１セルは、ユーザ機器のセカンダリセルまたは非サービングセルである。
【０４７７】
発見メッセージはさらに、ＰｒｏＳｅ  Ｄｉｒｅｃｔ発見メッセージ、Ｄ２Ｄ発見メッセージ、Ｄ２Ｄ直接発見メッセージ、またはＤ２Ｄメッセージと同等であってよい。
【０４７８】
発見メッセージは、２つのデバイスの間で送信されるメッセージであり、例えば、ユーザ機器１によりユーザ機器２に送信されるメッセージ、またはデバイス３によりユーザ機器１に送信されるメッセージである。
【０４７９】
リソース設定は、以下のうち少なくとも１つを含む：第１セルの周波数、第１セルのセル識別子ＥＣＧＩ、第１セルのＰＣＩ、または第１セルのＰＬＭＮ。
【０４８０】
リソース設定は、リソースプール設定をさらに含む。リソースプール設定は、時間−周波数リソースの設定を含んでよい。
【０４８１】
任意選択的に、第１セルにおいて発見メッセージを送信またはリッスンする段階は、ユーザ機器により、許可されている第１セルにおいて発見メッセージを送信またはリッスンする段階、または、ユーザ機器が第１セルにおいて発見メッセージを送信またはリッスンすることを許可されていると決定された後に、第１セルにおいて発見メッセージを送信またはリッスンする段階を含み得る。
【０４８２】
任意選択的に、リッスンユニット１８０は、第１セルまたは第２セルにおいてシステムメッセージをリッスンするよう具体的に構成され、第２セルは、ユーザ機器のプライマリセルまたはサービングセルである。
【０４８３】
上記から分かるように、本発明のこの実施形態は、ユーザ機器を提供する。ユーザ機器は、システムメッセージをリッスンして、システムメッセージにより示される第１セルにおいて発見メッセージを送信またはリッスンし、ここで、第１セルは、ユーザ機器のセカンダリセルまたは非サービングセルであり、それにより、従来技術における、ユーザ機器の通信リソースがプライマリセルにおいて制限されている場合に生じるユーザ機器のプライマリセルの増大する負荷といった問題を回避する。
【０４８４】
［実施形態１９］
図１９は、本発明の実施形態において提供されるリソース割り当てシステム２６の構造図である。図１９に示されているように、リソース割り当てシステム２６は、基地局１７とユーザ機器１８とを含み得る。
【０４８５】
基地局１７と実施形態１７における基地局とは、同じ機能を有する。ユーザ機器１８と実施形態１８におけるユーザ機器とは、同じ機能を有する。詳細は、ここではこれ以上一つずつ詳しく述べない。
【０４８６】
上記から分かるように、本発明のこの実施形態は、リソース割り当てシステムを提供する。第１セルのＤ２Ｄ通信リソースは、ユーザ機器に提供し、ここで、第１セルは、セカンダリセルまたは非サービングセルであり、これにより、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０４８７】
［実施形態２０］
図２０は、本発明の実施形態において提供される基地局２０の構造図である。基地局２０は、実施形態９におけるリソース割り当て方法に適用される。図２０に示されているように、基地局２０は、受信ユニット２０１と決定ユニット２０２とを含み得る。
【０４８８】
受信ユニット２０１は、第１メッセージを受信するよう構成される。
【０４８９】
第１メッセージは、ＰＬＭＮ情報を含む。第１メッセージは、ＰＬＭＮの許可状態に関する情報を提供するために用いられ、許可されているＰＬＭＮは、ユーザ機器がＤ２Ｄ通信を実行するために用いられ（ＰｒｏＳｅ  ｓｅｒｖｉｃｅｓのためのＰＬＭＮの許可状態に関する情報を提供する）、または、ユーザ機器がどのＰＬＭＮにおいてＤ２Ｄ通信の実行を許可されているかを示すために用いられる（ＵＥがどのＰＬＭＮにおいてＰｒｏＳｅ  ｓｅｒｖｉｃｅｓについて許可されているかを示す）。
【０４９０】
ＰＬＭＮ情報は、ＰＬＭＮ  ＩＤを含み得る。ＰＬＭＮ  ＩＤは、ＰＬＭＮ  ＩＤに対応するＰＬＭＮがＤ２Ｄ通信を実行するために用いられることを許可されているかを識別するために用いられる。
【０４９１】
ＰＬＭＮ情報は、少なくとも１つの許可されているＰＬＭＮのＰＬＭＮ  ＩＤ、および／または、少なくとも１つの許可されていないＰＬＭＮのＰＬＭＮ  ＩＤ、および／または、ＵＥによりサポートされるＰＬＭＮ、および各ＰＬＭＮの許可状態をさらに含む。
【０４９２】
任意選択的に、第１基地局は、移動管理エンティティＭＭＥ、またはユーザ機器の第３基地局により送信される第１メッセージを受信し得る。第３基地局は、ユーザ機器の二次基地局または非サービング基地局であってよい。
【０４９３】
決定ユニット２０２は、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定するよう構成される。
【０４９４】
Ｄ２Ｄ通信は、ＰｒｏＳｅ  ｓｅｒｖｉｃｅと具体的に同等であってよく、以下の通信のうちの１つまたは複数を含んでよい：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、またはＤ２Ｄ発見メッセージのリッスン。
【０４９５】
具体的には、ＵＥがＤ２Ｄ通信（ＰｒｏＳｅ  Ｓｅｒｖｉｃｅｓ）の実行を許可されているかを決定する段階は、ＵＥがどのＰＬＭＮにおいてＤ２Ｄ通信の実行を許可されているかを決定する段階、または、ＵＥがどのＰＬＭＮのセルにおいてＤ２Ｄ通信の実行を許可されているかを決定する段階、または、ＵＥがＰＬＭＮ情報において提供される、許可されているＰＬＭＮにおいてＤ２Ｄ通信の実行を許可されているかを決定する段階、または、ＵＥがＰＬＭＮ情報において提供されている許可されているＰＬＭＮにおけるセルにおいてＤ２Ｄ通信の実行を許可されているかを決定する段階、または、ＵＥが第１セルにおいてＤ２Ｄ通信の実行を許可されているかを決定する段階であって、第１セルは、ユーザ機器の非サービングセル、またはセカンダリセル、またはサービングセル、またはプライマリセルである、段階を含み得る。
【０４９６】
任意選択的に、受信ユニット２０１は、第１セルメッセージを受信するよう構成される。
【０４９７】
決定ユニット２０２は、第１メッセージにおけるＰＬＭＮ情報と第１セル情報とに従って、ユーザ機器がＤ２Ｄ通信（ＰｒｏＳｅ  Ｓｅｒｖｉｃｅｓ）の実行を許可されているかを決定するよう構成される。
【０４９８】
第１セルメッセージは、以下のうち少なくとも１つを含む：第１セルの識別子ＥＣＧＩ、第１セルに対応するＰＬＭＮ  ＩＤ、第１セルの物理レイヤＩＤ  ＰＣＩ、または第１セルの周波数。
【０４９９】
具体的には、決定ユニット２０２は、ＰＬＭＮ情報において提供される、許可されているＰＬＭＮ  ＩＤが第１セルに対応するＰＬＭＮ  ＩＤを含む場合、ＵＥが第１セルにおいてＤ２Ｄ通信の実行を許可されていると決定する、もしくは、第１セルが、ユーザ機器がＤ２Ｄ通信の実行を許可され得るセルであると決定する、または、ＰＬＭＮ情報において提供される、許可されているＰＬＭＮ  ＩＤが、第１セルに対応するＰＬＭＮ  ＩＤを含まない場合、ＵＥが第１セルにおいてＤ２Ｄ通信の実行を許可されていないと決定する、もしくは、第１セルが、ユーザ機器がＤ２Ｄ通信の実行を許可され得るセルではないと決定するよう構成される。
【０５００】
任意選択的に、受信ユニット２０１は、以下の方式を用いて第１セルメッセージを受信し得る：ユーザ機器により送信される要求メッセージを受信し、ここで、要求メッセージは、第１セルにおいてＤ２Ｄ通信を実行するよう要求するために用いられ、要求メッセージは、第１セル情報を含む、または、移動管理エンティティＭＭＥ、またはユーザ機器の第３基地局により送信される第１メッセージを受信し、ここで、第１メッセージは、第１セル情報を含む。
【０５０１】
任意選択的に、ユーザ機器が第１セルにおいてＤ２Ｄ通信を実行できると決定ユニット２０２が決定した後に、図２０Ａに示されているように、基地局は、送信ユニット２０３をさらに含む。
【０５０２】
送信ユニット２０３は、ユーザ機器に応答メッセージを送信し、これにより、ユーザ機器は、第１セルにおいてＤ２Ｄ通信を実行し、ここで、応答メッセージは、Ｄ２Ｄ通信のためのリソースをユーザ機器に提供するために用いられる。
【０５０３】
代わりに、ユーザ機器が第１セルにおいてＤ２Ｄ通信を実行できないと決定したとき、決定ユニット２０２は、ユーザ機器に返信メッセージを送信し、ユーザ機器が第１セルにおいてＤ２Ｄ通信を実行できないことを通知する。
【０５０４】
任意選択的に、送信ユニット２０３は、第２基地局に第２メッセージを送信するようさらに構成される。第２メッセージは、ＰＬＭＮ情報を含む。第２メッセージは、ＰＬＭＮの許可状態に関する情報を第２基地局に提供するために用いられ、ここで、許可されているＰＬＭＮは、ユーザ端末がＤ２Ｄ通信を実行するために用いられ、または、ＵＥがどのＰＬＭＮにおいてＤ２Ｄ通信の実行を許可されているかを示すために用いられる。
【０５０５】
第２基地局は、第１セルの基地局である。第１セルは、ユーザ機器のセカンダリセルまたは非サービングセルである。
【０５０６】
さらに、第２基地局を用いて通信リソースが許可されているかを決定するために、第２基地局はさらに、第１セル情報が必要である。送信ユニット２０３は、第２基地局に第１セル情報を送信するようさらに構成される。
【０５０７】
上記から分かるように、本発明のこの実施形態は、基地局を提供する。基地局は、第１メッセージを受信して、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定する。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０５０８】
［実施形態２１］
図２１は、本発明の実施形態において提供される基地局２１の構造図である。図２１に示されているように、基地局２１は、受信ユニット２１１と決定ユニット２１２と含み得る。
【０５０９】
受信ユニット２１１は、第１メッセージを受信するよう構成される。
【０５１０】
第１メッセージは、ＰＬＭＮ情報を含む。第１メッセージは、ＰＬＭＮの許可状態に関する情報を提供するために用いられ、ここで、許可されているＰＬＭＮは、ユーザ機器がＤ２Ｄ通信を実行するために用いられ、または、ユーザ機器がどのＰＬＭＮにおいてＤ２Ｄ通信の実行を許可されているかを示すために用いられる。
【０５１１】
任意選択的に、受信ユニット２１１は、移動管理エンティティＭＭＥ、またはユーザ機器の第１基地局により送信される第１メッセージを受信し得る。第１基地局は、ユーザ機器の第２セルの基地局であってよい。第２セルは、ユーザ機器のプライマリセルまたはサービングセルである。
【０５１２】
ＰＬＭＮ情報は、ＰＬＭＮ  ＩＤを含み得る。ＰＬＭＮ  ＩＤは、ＰＬＭＮ  ＩＤに対応するＰＬＭＮが、Ｄ２Ｄ通信を実行するために用いられることを許可されているかを識別するために用いられる。
【０５１３】
ＰＬＭＮ情報は、少なくとも１つの許可されているＰＬＭＮのＰＬＭＮ  ＩＤ、および／または、少なくとも１つ許可されていないＰＬＭＮのＰＬＭＮ  ＩＤ、および／または、ＵＥによりサポートされるＰＬＭＮ、および各ＰＬＭＮの許可状態をさらに含む。
【０５１４】
決定ユニット２１２は、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定するよう構成される。
【０５１５】
Ｄ２Ｄ通信は、ＰｒｏＳｅ  ｓｅｒｖｉｃｅと具体的に同等であってよく、以下の通信のうちの１つまたは複数を含んでよい：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、またはＤ２Ｄ発見メッセージのリッスン。
【０５１６】
具体的には、ＵＥがＤ２Ｄ通信（ＰｒｏＳｅ  Ｓｅｒｖｉｃｅｓ）の実行を許可されているかを決定する段階は、ＵＥがどのＰＬＭＮにおいてＤ２Ｄ通信の実行を許可されているかを決定する段階、または、ＵＥがどのＰＬＭＮのセルにおいてＤ２Ｄ通信の実行を許可されているかを決定する段階、または、ＵＥが、ＰＬＭＮ情報において提供される許可されているＰＬＭＮにおいてＤ２Ｄ通信の実行を許可されているかを決定する段階、または、ＵＥが、ＰＬＭＮ情報において提供される許可されているＰＬＭＮにおけるセルにおいてＤ２Ｄ通信の実行を許可されているかを決定する段階、または、ＵＥが、第１セルにおいてＤ２Ｄ通信の実行を許可されているかを決定する段階であって、第１セルはユーザ機器の非サービングセル、またはセカンダリセル、またはサービングセル、またはプライマリセルである、段階を含み得る。
【０５１７】
任意選択的に、受信ユニット２１１は、第１セル情報を受信するようさらに構成される。
【０５１８】
決定ユニット２１２は、第１メッセージにおけるＰＬＭＮ情報と第１セル情報とに従って、ユーザ機器がＤ２Ｄ通信（ＰｒｏＳｅ  Ｓｅｒｖｉｃｅｓ）の実行を許可されているかを決定するようさらに構成される。
【０５１９】
第１セル情報は、第１セルに対応するＰＬＭＮ  ＩＤを決定するよう用いられる。ＰＬＭＮ  ＩＤは、以下のうち少なくとも１つを含む：第１セルの識別子ＥＣＧＩ（Ｅｖｏｌｖｅｄ  Ｃｅｌｌ  Ｇｌｏｂａｌ  Ｉｄｅｎｔｉｆｉｅｒ，例えば、Ｅ−ＵＴＲＡにおけるセルのグローバルに一意のＩＤである）、第１セルに対応するＰＬＭＮ  ＩＤ、または第１セルの物理レイヤＩＤ  ＰＣＩ（ｐｈｙｓｉｃａｌ  ｌａｙｅｒ  ｉｄｅｎｔｉｔｙ）、または第１セルの周波数。
【０５２０】
ＰＬＭＮ情報は、ＰＬＭＮの許可状態に関する情報を提供するために用いられ、ここで、許可されているＰＬＭＮは、ユーザ機器がＤ２Ｄ通信を実行するために用いられ（ＰＬＭＮ情報は、ＰｒｏＳｅ  ｓｅｒｖｉｃｅｓのためのＰＬＭＮの許可状態に関する情報を提供するために用いられる）、または、ユーザ機器がどのＰＬＭＮにおいてＤ２Ｄ通信の実行を許可されているかを示すために用いられ（ＵＥがどのＰＬＭＮにおいてＰｒｏＳｅ  ｓｅｒｖｉｃｅｓについて許可されているかを示す）、または、ユーザ機器がどのＰＬＭＮに対応するセルにおいてＤ２Ｄ通信の実行を許可されているかを示すために用いられる。ＰＬＭＮ情報は、以下の１つまたは複数を含み得る：少なくとも１つの許可されているＰＬＭＮのＰＬＭＮ  ＩＤ、少なくとも１つの許可されていないＰＬＭＮのＰＬＭＮ  ＩＤ、ユーザ端末によりサポートされるＰＬＭＮ、または各ＰＬＭＮの許可状態。各ＰＬＭＮの許可状態は、真（ｔｒｕｅ）または偽（ｆａｌｓｅ）を含む。真（ｔｒｕｅ）」は、ＰＬＭＮは、ＵＥが許可されているＰＬＭＮであること、またはＰＬＭＮは、ＵＥがＤ２Ｄ通信の実行を許可されているＰＬＭＮであることを表す。「偽（ｆａｌｓｅ）」は、ＰＬＭＮは、ＵＥが許可されていないＰＬＭＮであること、またはＰＬＭＮは、ＵＥがＤ２Ｄ通信の実行を許可されていないＰＬＭＮであることを表す。
【０５２１】
具体的には、決定ユニット２１２は、第１セル情報に従って、第１セルに対応するＰＬＭＮ  ＩＤを決定し、ＰＬＭＮ情報において提供される、許可されているＰＬＭＮ  ＩＤが、第１セルに対応するＰＬＭＮ  ＩＤを含む場合、ＵＥが第１セルにおいてＤ２Ｄ通信の実行を許可されていると決定する、もしくは、第１セルが、ユーザ機器がＤ２Ｄ通信の実行を許可され得るセルと決定する、または、ＰＬＭＮ情報において提供される、許可されているＰＬＭＮ  ＩＤが、第１セルに対応するＰＬＭＮ  ＩＤを含まない場合、ＵＥが第１セルにおいてＤ２Ｄ通信の実行を許可されていないと決定する、もしくは、第１セルが、ユーザ機器がＤ２Ｄ通信の実行を許可され得るセルではないと決定するよう構成される。
【０５２２】
任意選択的に、受信ユニット２１１は、第３基地局により送信される第２メッセージを受信してよく、ここで、第２メッセージは、第１セル情報を含む。
【０５２３】
代わりに、第２基地局は、第１基地局またはＭＭＥの第１メッセージを受信し、ここで、第１メッセージは、第１セル情報を含む。
【０５２４】
任意選択的に、図２１Ａに示されているように、基地局は、送信ユニット２１３をさらに含む。
【０５２５】
送信ユニット２１３は、ＵＥが第１セルにおいてＤ２Ｄ通信の実行を許可されていると決定ユニット２１２が決定したとき、応答メッセージを送信する、または、ＵＥが第１セルにおいてＤ２Ｄ通信の実行を許可されていないと決定ユニット２１２が決定したとき、返信メッセージを送信する。
【０５２６】
具体的には、送信ユニット２１３は、第１セル情報がＭＭＥにより送信されたとき、ＭＭＥに応答メッセージを送信する、または、第１セル情報が第１基地局により送信されたとき、第１基地局に応答メッセージを送信する、または、第１セル情報が第３基地局により送信されたとき、第３基地局に応答メッセージを送信する、または、第１セル情報がＭＭＥにより送信されたとき、ＭＭＥに返信メッセージを送信する、または、第１セル情報が第１基地局により送信されたとき、第１基地局に返信メッセージを送信する、または、第１セル情報が第３基地局により送信されたとき、第３基地局に返信メッセージを送信するよう構成される。
【０５２７】
上記から分かるように、本発明のこの実施形態は、基地局を提供する。基地局は、第１メッセージを受信して、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定する。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０５２８】
［実施形態２２］
図２２は、本発明の実施形態において提供されるリソース割り当てシステム２２の構造図である。図２２に示されているように、リソース割り当てシステム２２は、基地局２０と、基地局２１と、ＭＭＥと、ユーザ機器とを備え得る。
【０５２９】
基地局２０と実施形態２０における基地局とは、同じ機能を有する。基地局２１と実施形態２１における基地局とは、同じ機能を有する。詳細は、ここではこれ以上一つずつ詳しく述べない。
【０５３０】
上記から分かるように、本発明のこの実施形態は、リソース割り当てシステムを提供する。第１メッセージが受信され、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定する。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０５３１】
［実施形態２３］
図２３は、本発明の実施形態において提供される基地局２３の構造図である。基地局２３は、実施形態１におけるリソース割り当て方法を実行するよう構成される。基地局は、第２セルの第１基地局であってよい。第２セルは、ユーザ機器のプライマリセルまたはサービングセルであってよい。図２３示されているように、基地局２３は、通信ユニット２３１と、プロセッサ２３２と、メモリ２３３と、これらの装置の間の接続および通信を実装するよう構成される少なくとも１つの通信バス２３４とを備え得る。
【０５３２】
通信ユニット２３１は、外部ネットワーク要素とデータ送信を実行するよう構成される。
【０５３３】
プロセッサ２３２は、中央処理装置（英語表記：ｃｅｎｔｒａｌ  ｐｒｏｃｅｓｓｉｎｇ  ｕｎｉｔ、略してＣＰＵ）であってよい。
【０５３４】
メモリ２３３は、ランダムアクセスメモリ（英語表記：ｒａｎｄｏｍ−ａｃｃｅｓｓ  ｍｅｍｏｒｙ、略してＲＡＭ）のような揮発性メモリ（英語表記：ｖｏｌａｔｉｌｅ  ｍｅｍｏｒｙ）、または、リードオンリメモリ（英語表記：ｒｅａｄ−ｏｎｌｙ  ｍｅｍｏｒｙ、略してＲＯＭ）、フラッシュメモリ（英語表記：ｆｌａｓｈ  ｍｅｍｏｒｙ）、ハードディスクドライブ（英語表記：ｈａｒｄ  ｄｉｓｋ  ｄｒｉｖｅ、略してＨＤＤ）、またはソリッドステートドライブ（英語表記：ｓｏｌｉｄ−ｓｔａｔｅ  ｄｒｉｖｅ、略してＳＳＤ）などの不揮発性メモリ（英語表記：ｎｏｎ−ｖｏｌａｔｉｌｅ  ｍｅｍｏｒｙ）、または、前述の種類のメモリの組み合わせであってよく、プロセッサ２３２に対して命令およびデータを提供する。
【０５３５】
プロセッサ２３２は、ユーザ機器が第１セルにおいてＤ２Ｄ通信を実行できるかを決定するよう構成される。
【０５３６】
ユーザ機器が第１セルにおいてＤ２Ｄ通信を実行できるかは、ユーザ機器が第１セルにおいてＤ２Ｄ通信の実行を許可されているかを指し得る。第１セルは、ユーザ機器のセカンダリセルまたは非サービングセルであってよい。
【０５３７】
Ｄ２Ｄ通信は、ＰｒｏＳｅ  ｓｅｒｖｉｃｅと具体的に同等であってよく、以下の通信のうちの１つまたは複数を含んでよい：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、またはＤ２Ｄ発見メッセージのリッスン。
【０５３８】
通信ユニット２３１は、ユーザ機器が第１セルにおいてＤ２Ｄ通信を実行できるとプロセッサ２３２が決定したとき、ユーザ機器に応答メッセージを送信するよう構成され、これにより、ユーザ機器は、第１セルにおいてＤ２Ｄ通信を実行し、ここで、応答メッセージは、第１セルにおけるＤ２Ｄ通信リソースをユーザ機器に提供するために用いられる、または、ユーザ機器が第１セルにおいてＤ２Ｄ通信を実行できないとプロセッサ２３２が決定したとき、ユーザ機器に返信メッセージを送信するよう構成され、返信メッセージは、ユーザ機器が第１セルにおいてＤ２Ｄ通信を実行できないことを通知するために用いられる。
【０５３９】
任意選択的に、応答メッセージは、第１セルにおけるＤ２Ｄ通信リソースをユーザ機器に提供するために用いられ、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌであって、Ｌは正の整数である、数量Ｌ、および／または、専用リソース設定およびリソースプール設定（ａ  ｒｅｓｏｕｒｃｅ  ｐｏｏｌ  ｃｏｎｆｉｇｕｒａｔｉｏｎ）である、第１セルのＤ２Ｄ通信リソースの設定を含み得る。
【０５４０】
ＵＥは、リソースプール設定に従って、リソースプールからリソースを自律的に選択する。リソースは、ＵＥがＤ２Ｄ通信を実行するために用いられる（例えば、発見メッセージの送信は、発見メッセージアナウンスメントである）。
【０５４１】
代わりに、ＵＥは、リソースプール上の専用リソースからリソースを自律的に選択する。リソースは、ＵＥがＤ２Ｄ通信を実行するために用いられる（例えば、発見メッセージの送信は、発見メッセージアナウンスメントである）。
【０５４２】
代わりに、リソースプール設定に従って、ＵＥは、リソースプール上の専用リソースを用いてＤ２Ｄ通信を実行する。具体的には、ｅＮＢは、リソースプールの専用リソースを提供し、ＵＥがＤ２Ｄ通信を実行するための専用リソースを構成する（ｅＮＢは、例えば、発見メッセージアナウンスメントなどのＰｒｏＳｅ  ｓｅｒｖｉｃｅのための時間及び周波数インデックスの形式において専用リソースと共にリソースプールを構成し得る）。
【０５４３】
応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み得て、ここで、Ｌは正の整数である。
【０５４４】
リソースの数量Ｌについて、Ｌは正の整数であり、ＵＥにより要求されてＤ２Ｄメッセージを送信するために用いられるリソースの数量を示すために用いられてよく、ＵＥが各周期に送信を望むメッセージの数量を含んでよい。例えば、Ｌは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０５４５】
加えて、応答メッセージは、セルインデックス（Ｓｃｅｌｌｉｎｄｅｘ）をさらに含み得る。セルインデックスは、第１セルを示すために用いられる。
【０５４６】
任意選択的に、プロセッサ２３２は、以下の（１）、（２）、または（３）のうちの任意の方式または複数の方式を用いることにより、ユーザ機器が第１セルにおいてＤ２Ｄ通信を実行できるかを決定するよう具体的に構成され得る。
【０５４７】
（１）第１基地局は、ユーザ機器が第１セルにおいてＤ２Ｄ通信の実行を許可されているかを決定し、ユーザ機器が第１セルにおいてＤ２Ｄ通信の実行を許可されていると決定された場合、ユーザ機器は、第１セルにおいてＤ２Ｄ通信を実行できると決定する、または、ユーザ機器がＤ２Ｄ通信の実行を許可されていないと決定された場合、ユーザ機器が第１セルにおいてＤ２Ｄ通信を実行できないと決定する。
【０５４８】
具体的には、第１基地局は、第１セル情報とＰＬＭＮ（Ｐｕｂｌｉｃ  Ｌａｎｄ  Ｍｏｂｉｌｅ  Ｎｅｔｗｏｒｋ、公衆陸上移動体ネットワーク）情報とに従って、ユーザ機器が第１セルにおいてＤ２Ｄ通信の実行を許可されているかを決定し、ＰＬＭＮ情報において提供される、許可されているＰＬＭＮ  ＩＤが、第１セルに対応するＰＬＭＮ  ＩＤを含む場合、ＵＥがＤ２Ｄ通信の実行を許可されているかを決定する、もしくは、第１セルが、ユーザ機器がＤ２Ｄ通信の実行を許可され得るセルであると決定する、または、ＰＬＭＮ情報において提供される、許可されているＰＬＭＮ  ＩＤが、第１セルに対応するＰＬＭＮ  ＩＤを含まない場合、ＵＥがＤ２Ｄ通信の実行を許可されていないと決定する、もしくは、第１セルが、ユーザ機器がＤ２Ｄ通信の実行を許可され得るセルではないと決定する。
【０５４９】
第１セル情報は、第１セルに対応するＰＬＭＮ  ＩＤを決定するために用いられる。ＰＬＭＮ  ＩＤは、以下のうち少なくとも１つを含む：第１セルの識別子ＥＣＧＩ（Ｅｖｏｌｖｅｄ  Ｃｅｌｌ  Ｇｌｏｂａｌ  Ｉｄｅｎｔｉｆｉｅｒ，例えば、Ｅ−ＵＴＲＡにおけるセルのグローバルに一意のＩＤである）、第１セルに対応するＰＬＭＮ  ＩＤ、または第１セルの物理レイヤＩＤ  ＰＣＩ（ｐｈｙｓｉｃａｌ  ｌａｙｅｒ  ｉｄｅｎｔｉｔｙ）、または第１セルの周波数。
【０５５０】
ＰＬＭＮ情報は、ＰＬＭＮの許可状態に関する情報を提供するために用いられ、ここで、許可されているＰＬＭＮは、ユーザ機器によりＤ２Ｄ通信を実行するために用いられ（ＰＬＭＮ情報は、ＰｒｏＳｅ  ｓｅｒｖｉｃｅｓのためのＰＬＭＮの許可状態に関する情報を提供するために用いられる）、または、ユーザ機器がどのＰＬＭＮにおいてＤ２Ｄ通信の実行を許可されているかを示すために用いられ（ＵＥがどのＰＬＭＮにおいてＰｒｏＳｅ  ｓｅｒｖｉｃｅｓについて許可されているかを示す）、または、ユーザ機器がどのＰＬＭＮに対応するセルにおいてＤ２Ｄ通信の実行を許可されているかを示すために用いられる。ＰＬＭＮ情報は、以下のうちの１つまたは複数を含み得る：少なくとも１つの許可されているＰＬＭＮのＰＬＭＮ  ＩＤ、少なくとも１つの許可されていないＰＬＭＮのＰＬＭＮ  ＩＤ、ユーザ機器によりサポートされるＰＬＭＮ、または各ＰＬＭＮの許可状態。各ＰＬＭＮの許可状態は、真（ｔｒｕｅ）または偽（ｆａｌｓｅ）を含む。真（ｔｒｕｅ）」は、ＰＬＭＮは、ＵＥが許可されているＰＬＭＮであること、またはＰＬＭＮは、ＵＥがＤ２Ｄ通信の実行を許可されているＰＬＭＮであることを表す。「偽（ｆａｌｓｅ）」は、ＰＬＭＮは、ＵＥが許可されていないＰＬＭＮであること、またはＰＬＭＮは、ＵＥがＤ２Ｄ通信の実行を許可されていないＰＬＭＮであることを表す。
【０５５１】
（２）第１基地局は、第１セルにおいてユーザ機器に割り当てられるべきリソースが存在するかを決定し、第１セルにおいてユーザ機器に割り当てられるべきリソースが存在すると決定された場合、ユーザ機器が第１セルにおいてＤ２Ｄ通信を実行できると決定する、または、第１セルにおいてユーザ機器に割り当てられるべきリソースが存在しないと決定された場合、ユーザ機器ガ第１セルニオイテＤ２Ｄ通信を実行できないと決定する。
【０５５２】
（３）第１基地局は、第１セルにおけるユーザ機器の信号品質が予め設定された閾値を満たすかを決定し、第１セルにおけるユーザ機器の信号品質が予め設定された閾値を満たすと決定された場合、ユーザ機器が第１セルにおいてＤ２Ｄ通信を実行できると決定する段階、または、第１セルにおけるユーザ機器の信号品質が予め設定された閾値を満たさないと決定された場合、ユーザ機器が第１セルにおいてＤ２Ｄ通信を実行できないと決定する段階を含む。
【０５５３】
予め設定された閾値は、要求に従って、設定されてよい。このことは、本発明のこの実施形態において限定されない。
【０５５４】
任意選択的に、第３方式が実行される前に、通信ユニット２３１は、ユーザ機器により報告される隣接セル測定を受信するようさらに構成され、隣接セル測定報告は、第１セルにおけるユーザ機器により測定される信号品質を含む。
【０５５５】
任意選択的に、第１セルおよび第２セルは、同じＰＬＭＮまたは異なるＰＬＭＮに属してよい。
【０５５６】
任意選択的に、第１基地局は、第２セルおよび第１セルの基地局である。
【０５５７】
任意選択的に、第１基地局は、第２セルの基地局であり、第２基地局は、第１セルの基地局である。
【０５５８】
それに対応して、基地局が前述の方法を能動的に用いてＤ２Ｄ通信リソースをユーザ機器に提供することに加えて、基地局は、ユーザ機器の要求で前述の工程をさらに実行し得る。詳細は、以下の通りである。
【０５５９】
通信ユニット２３１は、ユーザ機器により送信される第１要求メッセージを受信するようさらに構成され、第１要求メッセージは、Ｄ２Ｄ通信を実行するためのリソースをユーザ機器に提供するよう要求するために用いられる。
【０５６０】
第１要求メッセージは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み得て、ここで、Ｍは正の整数である。
【０５６１】
候補セルは、ユーザ機器がＤ２Ｄ通信の実行を望むセルであってよい。好ましくは、候補セルは、第１セルであってよい。リソースの数量Ｍについて、Ｍは正の整数であり、ＵＥにより要求される、Ｄ２Ｄメッセージを送信するために用いられるリソースの数量を示すために用いられてよく、ＵＥが各周期において送信を望むメッセージの数量を含んでよい。例えば、Ｍは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０５６２】
任意選択的に、第１セルの基地局が第２基地局である場合、第１基地局がユーザ機器により送信される要求メッセージを受信する前に、または、ユーザ機器が、要求メッセージを送信しないがＤ２Ｄ通信リソースをデバイスに能動的に提供する場合、第１基地局は、Ｄ２Ｄ通信リソースを必要とするユーザ機器にリソースを割り当てるように、第２基地局からいくつかの利用可能なリソースに関する情報を事前に取得する必要がある。具体的には、以下の通りである。
【０５６３】
通信ユニット２３１は、第２基地局に第２要求メッセージを送信するようさらに構成され、要求メッセージは、Ｄ２Ｄ通信を実行するためのリソースを要求するために、または、Ｄ２Ｄ通信を実行するために用いられる第１基地局のセルリソースを提供するよう要求するために用いられ、リソースは、Ｄ２Ｄ通信のために用いられ得る。
【０５６４】
通信ユニット２３１は、第２基地局により送信される第１応答メッセージを受信するようさらに構成され、第１応答メッセージは、第２基地局のセルのリソースを提供し、リソースは、Ｄ２Ｄ通信のために用いられ、または、第１応答メッセージは、第１セルにおいてＤ２Ｄ通信のために用いられるリソースを含む、または、第２基地局により送信される第１返信メッセージを受信するようさらに構成され、第１返信メッセージは、Ｄ２Ｄ通信のために提供されるべきリソースが存在しないことを表すために用いられる。
【０５６５】
加えて、任意選択的に、第１セルの基地局が第２基地局である場合、ユーザ機器により送信される第１要求メッセージを受信した後に、受信ユニットは、第１セルの第２基地局に、要求メッセージを転送する。第１セルの第２基地局は、Ｄ２Ｄ通信リソースを決定する。第２基地局の決定結果を受信した後に、受信ユニットは、ユーザ機器に対応メッセージを送信する。詳細は、以下の通りである。
【０５６６】
通信ユニット２３１は、第２基地局に第３要求メッセージを送信するようさらに構成され、第３要求メッセージは、ユーザ機器がＤ２Ｄ通信を実行するためのリソースを要求するために用いられる。
【０５６７】
通信ユニット２３１は、第２基地局により送信される応答メッセージを受信するようさらに構成され、応答メッセージは、ユーザ機器が第１セルにおいてＤ２Ｄ通信を実行するためのリソースに関する情報を含み、応答メッセージは、ユーザ機器が第１セルにおいてＤ２Ｄ通信を実行できることを表す、または、第２基地局により送信される返信メッセージを受信するようさらに構成され、返信メッセージは、第１セルのユーザ機器が第１セルにおいてＤ２Ｄ通信を実行するためのリソースに関する情報を含まず、ユーザ機器が第１セルにおいてＤ２Ｄ通信を実行できないことを表す。
【０５６８】
上記から分かるように、本発明のこの実施形態は、基地局を提供する。基地局は、第１セルのＤ２Ｄ通信リソースをユーザ機器に提供し、第１セルは、セカンダリセルまたは非サービングセルである。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０５６９】
［実施形態２４］
図２４は、本発明の実施形態において提供される基地局２４の構造図である。基地局２４は、実施形態２におけるリソース割り当て方法を実行するよう構成される。基地局は、第１セルの基地局であってよい。第１セルは、ユーザ機器のセカンダリセルまたは非サービングセルである。図２４に示されているように、基地局２４は、通信ユニット２４１と、プロセッサ２４２と、メモリ２４３と、これらの装置の間の接続および通信を実装するよう構成される少なくとも１つの通信バス２４４とを含み得る。
【０５７０】
通信ユニット２４１は、外部ネットワーク要素とデータ送信を実行する構成される。
【０５７１】
プロセッサ２４２は、中央処理装置（英語表記：ｃｅｎｔｒａｌ  ｐｒｏｃｅｓｓｉｎｇ  ｕｎｉｔ、略してＣＰＵ）であってよい。
【０５７２】
メモリ２４３は、ランダムアクセスメモリ（英語表記：ｒａｎｄｏｍ−ａｃｃｅｓｓ  ｍｅｍｏｒｙ、略してＲＡＭ）のような揮発性メモリ（英語表記：ｖｏｌａｔｉｌｅ  ｍｅｍｏｒｙ）、または、リードオンリメモリ（英語表記：ｒｅａｄ−ｏｎｌｙ  ｍｅｍｏｒｙ、略してＲＯＭ）、フラッシュメモリ（英語表記：ｆｌａｓｈ  ｍｅｍｏｒｙ）、ハードディスクドライブ（英語表記：ｈａｒｄ  ｄｉｓｋ  ｄｒｉｖｅ、略してＨＤＤ）、またはソリッドステートドライブ（英語表記：ｓｏｌｉｄ−ｓｔａｔｅ  ｄｒｉｖｅ、略してＳＳＤ）などの不揮発性メモリ（英語表記：ｎｏｎ−ｖｏｌａｔｉｌｅ  ｍｅｍｏｒｙ）、または、前述の種類のメモリの組み合わせであってよく、プロセッサ２４２に対して命令およびデータを提供する。
【０５７３】
プロセッサ２４２は、ユーザ機器が第１セルにおいてＤ２Ｄ通信を実行できるかを決定するよう構成される。
【０５７４】
通信ユニット２４１は、ユーザ機器が第１セルにおいてＤ２Ｄ通信を実行できるとプロセッサ２４２が決定したとき、第１基地局に応答メッセージを送信するよう構成され、これにより、第１基地局は、ユーザ機器が第１セルにおいてＤ２Ｄ通信を実行することを通知し、応答メッセージは、第１セルのＤ２Ｄ通信リソースをユーザ機器に提供し、第１セルにおけるＤ２Ｄ通信リソースをユーザ機器に提供するために用いられる、または、ユーザ機器が第１セルにおいてＤ２Ｄ通信を実行できないとプロセッサ２４２が決定したとき、第１基地局に返信メッセージを送信するよう構成され、これにより、第１基地局は、ユーザ機器が第１セルにおいてＤ２Ｄ通信を実行できないことを通知する。
【０５７５】
応答メッセージは、第１セルにおけるＤ２Ｄ通信リソースをユーザ機器に提供するために用いられ、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌであって、Ｌは正の整数である、数量Ｌ、および／または、専用リソース設定およびリソースプール設定（ａ  ｒｅｓｏｕｒｃｅ  ｐｏｏｌ  ｃｏｎｆｉｇｕｒａｔｉｏｎ）である、第１セルのＤ２Ｄ通信リソースの設定を含み得る。
【０５７６】
ＵＥは、リソースプール設定に従って、リソースプールからリソースを自律的に選択する。リソースは、ＵＥがＤ２Ｄ通信を実行するために用いられる（例えば、発見メッセージの送信は、発見メッセージアナウンスメントである）。
【０５７７】
代わりに、ＵＥは、リソースプール上の専用リソースからリソースを自律的に選択する。リソースは、ＵＥがＤ２Ｄ通信を実行するために用いられる（例えば、発見メッセージの送信は、発見メッセージアナウンスメントである）。
【０５７８】
代わりに、リソースプール設定に従って、ＵＥは、リソースプール上の専用リソースを用いてＤ２Ｄ通信を実行する。具体的には、ｅＮＢは、リソースプールの専用リソースを提供し、ＵＥがＤ２Ｄ通信を実行するための専用リソースを構成する（ｅＮＢは、例えば、発見メッセージアナウンスメントなどのＰｒｏＳｅ  ｓｅｒｖｉｃｅのための時間及び周波数インデックスの形式において専用リソースと共にリソースプールを構成し得る）。
【０５７９】
応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み得て、ここで、Ｌは正の整数である。
【０５８０】
リソースの数量Ｌについて、Ｌは正の整数であり、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０５８１】
加えて、応答メッセージは、セルインデックス（Ｓｃｅｌｌｉｎｄｅｘ）をさらに含み得る。セルインデックスは、第１セルを示すために用いられる。
【０５８２】
第１基地局は、ユーザ機器の第２セルの基地局である。第２セルは、ユーザ機器のプライマリセルまたはサービングセルである。
【０５８３】
任意選択的に、プロセッサ２４２は、以下の（１）、（２）、または（３）のうちの任意の方式、または複数の方式を用いることにより、ユーザ機器が第１セルにおいてＤ２Ｄ通信を実行できるかを決定し得る。
【０５８４】
（１）プロセッサ２４２は、ユーザ機器が第１セルにおいてＤ２Ｄ通信の実行を許可されているかを決定し、ユーザ機器が第１セルにおいてＤ２Ｄ通信の実行を許可されていると決定された場合、ユーザ機器が第１セルにおいてＤ２Ｄ通信を実行できると決定する、または、ユーザ機器がＤ２Ｄ通信の実行を許可されていないと決定された場合、ユーザ機器が第１セルにおいてＤ２Ｄ通信を実行できないと決定する。
【０５８５】
具体的には、プロセッサ２４２は、第１セル情報とＰＬＭＮ情報とに従って、ユーザ機器が第１セルにおいてＤ２Ｄ通信の実行を許可されているかを決定してよく、ＰＬＭＮ情報において提供される、許可されているＰＬＭＮ  ＩＤが第１セルに対応するＰＬＭＮ  ＩＤを含む場合、ＵＥがＤ２Ｄ通信の実行を許可されていると決定する、もしくは、第１セルが、ユーザ機器がＤ２Ｄ通信の実行を許可され得るセルであると決定する、または、ＰＬＭＮ情報において提供される、許可されているＰＬＭＮ  ＩＤが、第１セルに対応するＰＬＭＮ  ＩＤを含まない場合、ＵＥがＤ２Ｄ通信の実行を許可されていないと決定する、もしくは、第１セルが、ユーザ機器がＤ２Ｄ通信の実行を許可され得るセルではないと決定する。
【０５８６】
第１セル情報は、第１セルに対応するＰＬＭＮ  ＩＤを決定するよう用いられる。ＰＬＭＮ  ＩＤは、以下のうち少なくとも１つを含む：第１セルの識別子ＥＣＧＩ、第１セルに対応するＰＬＭＮ  ＩＤ、または第１セルの物理レイヤＩＤ  ＰＣＩ、または第１セルの周波数。
【０５８７】
ＰＬＭＮ情報は、ＰＬＭＮの許可状態に関する情報を提供するために用いられ、ここで、許可されているＰＬＭＮは、ユーザ機器がＤ２Ｄ通信を実行するために用いられ（ＰｒｏＳｅ  ｓｅｒｖｉｃｅｓのためのＰＬＭＮの許可状態に関する情報を提供する）、またはユーザ機器がどのＰＬＭＮにおいてＤ２Ｄ通信の実行を許可されているかを示すために用いられ（ＵＥがどのＰＬＭＮにおいてＰｒｏＳｅ  ｓｅｒｖｉｃｅｓについて許可されているかを示す）、またはユーザ機器が、どのＰＬＭＮに対応するセルにおいてＤ２Ｄ通信の実行を許可されているかを示すために用いられる。ＰＬＭＮ情報は、以下のうちの１つまたは複数を含み得る：少なくとも１つの許可されているＰＬＭＮのＰＬＭＮ  ＩＤ、少なくとも１つの許可されていないＰＬＭＮのＰＬＭＮ  ＩＤ、ユーザ機器によりサポートされるＰＬＭＮ、または各ＰＬＭＮの許可状態。
【０５８８】
（２）第１基地局は、第１セルにおいてユーザ機器に割り当てられるべきリソースが存在するかを決定し、第１セルにおいてユーザ機器に割り当てられるべきリソースが存在すると決定された場合、ユーザ機器が第１セルにおいてＤ２Ｄ通信を実行できると決定する、または、第１セルにおいてユーザ機器に割り当てられるべきリソースが存在しないと決定された場合、ユーザ機器が第１セルにおいてＤ２Ｄ通信を実行できないと決定する。
【０５８９】
（３）第１基地局は、第１セルにおけるユーザ機器の信号品質が予め設定された閾値を満たすかを決定し、第１セルにおけるユーザ機器の信号品質が予め設定された閾値を満たすと決定された場合、ユーザ機器が第１セルにおいてＤ２Ｄ通信を実行できると決定する段階、または、第１セルにおけるユーザ機器の信号品質が予め設定された閾値を満たさないと決定された場合、ユーザ機器が第１セルにおいてＤ２Ｄ通信を実行できないと決定する段階を含む。
【０５９０】
予め設定された閾値は、要求に従って、設定されてよい。このことは、本発明のこの実施形態において限定されない。
【０５９１】
任意選択的に、通信ユニット２４１は、ユーザ機器により報告される隣接セル測定を受信するようさらに構成され、隣接セル測定報告は、第１セルにおけるユーザ機器により測定される信号品質を含む。
【０５９２】
任意選択的に、通信ユニット２４１は、第２基地局により送信される第１要求メッセージを受信するようさらに構成され、第１要求メッセージは、Ｄ２Ｄ通信を実行するためのリソースをユーザ機器に提供するよう要求するために用いられる。
【０５９３】
第１要求メッセージは、Ｄ２Ｄ通信を実行するためのリソースをユーザ機器に提供するよう要求するために用いられる。
【０５９４】
第１要求メッセージは、候補セルのセル識別子ＥＣＧＩ、候補セルの物理セル識別子ＰＣＩおよびセルの周波数、または候補セルが属するＰＬＭＮのＩＤのうちの１つまたは複数、および／または、ユーザ機器がＤ２Ｄ通信を実行するためのリソースの数量Ｍを含み得て、ここで、Ｍは正の整数である。
【０５９５】
候補セルは、ユーザ機器がＤ２Ｄ通信の実行を望むセルであってよい。好ましくは、候補セルは、第１セルであってよい。リソースの数量Ｍについて、Ｍは正の整数であり、ＵＥにより要求される、Ｄ２Ｄメッセージを送信するために用いられるリソースの数量を示すために用いられてよく、ＵＥが各周期において送信を望むメッセージの数量を含んでよい。例えば、Ｍは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０５９６】
加えて、任意選択的に、基地局はさらに、リソース情報を第１基地局に事前に提供し、これにより、第１基地局は、通信リソースを必要とするユーザ機器にＤ２Ｄ通信リソースを提供する。具体的には、以下の通りである。
【０５９７】
通信ユニット２４１は、第１基地局により送信される第２要求メッセージを受信するよう構成され、要求メッセージは、Ｄ２Ｄ通信を実行するためのリソースを要求するために、またはＤ２Ｄ通信のために用いられる基地局のセルリソースを提供するよう要求するために用いられ、または、リソースは、Ｄ２Ｄ通信のために用いられてよい。
【０５９８】
通信ユニット２４１は、第１基地局に応答メッセージを送信するようさらに構成され、応答メッセージは、第２基地局のセルのリソースを提供し、リソースは、Ｄ２Ｄ通信のために用いられ、または、応答メッセージは、第１セルにおいてＤ２Ｄ通信のために用いられるリソースを含む、または、第１基地局に返信メッセージを送信するようさらに構成され、返信メッセージは、Ｄ２Ｄ通信のために提供されるべきリソースが存在しないことを表すために用いられる。
【０５９９】
上記から分かるように、本発明のこの実施形態は、基地局を提供する。基地局は、ユーザ機器の第１セルのＤ２Ｄ通信リソースを提供し、ここで、第１セルは、セカンダリセルまたは非サービングセルである。このように、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０６００】
本発明の全ての実施形態、第１セルおよび第２セルは異なるＰＬＭＮに属してよく、または、同じＰＬＭＮに属してよい。このことは、本発明において限定されない。第１セルの基地局および第２セルの基地局は、異なるＰＬＭＮに属してよく、または、同じＰＬＭＮに属してよい。第１基地局および第２基地局は、異なるＰＬＭＮに属してよく、または同じＰＬＭＮに属してよい。詳細は、記載されない。
【０６０１】
［実施形態２５］
図２５は、本発明の実施形態において提供されるユーザ機器２５の構造図である。ユーザ機器２５は、実施形態３におけるリソース割り当て方法を実行するよう構成される。図２５に示されているように、ユーザ機器２５は、通信ユニット２５１と、プロセッサ２５２と、メモリ２５３と、これらの装置の間の接続および通信を実装するよう構成される少なくとも１つの通信バス２５４とを備え得る。
【０６０２】
通信ユニット２５１は、外部ネットワーク要素とデータ送信を実行するよう構成される。
【０６０３】
プロセッサ２５２は、中央処理装置（英語表記：ｃｅｎｔｒａｌ  ｐｒｏｃｅｓｓｉｎｇ  ｕｎｉｔ、略してＣＰＵ）であってよい。
【０６０４】
メモリ２５３は、ランダムアクセスメモリ（英語表記：ｒａｎｄｏｍ−ａｃｃｅｓｓ  ｍｅｍｏｒｙ、略してＲＡＭ）のような揮発性メモリ（英語表記：ｖｏｌａｔｉｌｅ  ｍｅｍｏｒｙ）、または、リードオンリメモリ（英語表記：ｒｅａｄ−ｏｎｌｙ  ｍｅｍｏｒｙ、略してＲＯＭ）、フラッシュメモリ（英語表記：ｆｌａｓｈ  ｍｅｍｏｒｙ）、ハードディスクドライブ（英語表記：ｈａｒｄ  ｄｉｓｋ  ｄｒｉｖｅ、略してＨＤＤ）、またはソリッドステートドライブ（英語表記：ｓｏｌｉｄ−ｓｔａｔｅ  ｄｒｉｖｅ、略してＳＳＤ）などの不揮発性メモリ（英語表記：ｎｏｎ−ｖｏｌａｔｉｌｅ  ｍｅｍｏｒｙ）、または、前述の種類のメモリの組み合わせであってよく、プロセッサ２５２に対して命令およびデータを提供する。
【０６０５】
通信ユニット２５０は、基地局により送信される応答メッセージを受信するよう構成され、応答メッセージは、第１セルのＤ２Ｄ通信リソースをユーザ機器に提供するために用いられ、第１セルは、ユーザ機器のセカンダリセルまたは非サービングセルであり、かつ、第１セルにおいてＤ２Ｄ通信を実行するよう構成される。
【０６０６】
応答メッセージは、第１セルのセル識別子、第１セルの物理セル識別子ＰＣＩおよび第１セルの周波数、または第１セルが属するＰＬＭＮのＩＤのうちの１つまたは複数、および／または、ユーザ機器がＤ２Ｄ通信を実行するためのリソースの数量Ｌを含み得て、ここで、Ｌは正の整数である。
【０６０７】
リソースの数量Ｌについて、Ｌは正の整数であり、ＵＥにより要求されてＤ２Ｄメッセージを送信するために用いられるリソースの数量を示すために用いられてよく、ＵＥが各周期において送信を望むメッセージの数量を含んでよい。例えば、Ｌは、（ＵＥにより必要とされて各発見周期において発見メッセージを送信するために用いられるリソースの数量を示すために用いられる）ｄｉｓｃＴｘＲｅｓｏｕｒｃｅＲｅｑであってよく、ＵＥが各送信周期において送信を望む発見メッセージの数量を含んでよい（ＵＥが要求する、サイドリンク直接発見アナウンスメントを送信するための各発見周期のリソースの数を示す。ＵＥが各発見周期において送信を望む個別の発見メッセージの数にかかわる）。
【０６０８】
応答メッセージは、第２セルのセル識別子、第２セルの物理セル識別子ＰＣＩおよび第２セルの周波数、または第２セルが属するＰＬＭＮのＩＤのうちの１つまたは複数、および／または、ユーザ機器がＤ２Ｄ通信を実行するためのリソースの数量Ｌをさらに含み、ここで、Ｌは正の整数であり、応答メッセージは、セルインデックスＳｃｅｌｌｉｎｄｅｘをさらに含み、ここで、セルインデックスは、第１セルを示すために用いられる。
【０６０９】
任意選択的に、通信ユニット２５１は、基地局に要求メッセージを送信するようさらに構成される。
【０６１０】
要求メッセージは、Ｄ２Ｄ通信を実行するためのリソースをユーザ機器に提供するよう要求するために用いられ、候補セルのセル識別子ＥＣＧＩ、候補セルの物理セル識別子ＰＣＩおよびセルの周波数，または候補セルが属するＰＬＭＮのＩＤのうちの１つまたは複数、および／または、ユーザ機器が候補セルにおいてＤ２Ｄ通信を実行するためのリソースの数量Ｍを含み得て、ここで、Ｍは正の整数である。
【０６１１】
候補セルは、ユーザ機器がＤ２Ｄ通信の実行を望むセルであってよい。好ましくは、候補セルは、第１セルであってよい。
【０６１２】
任意選択的に、基地局が第１セルのＤ２Ｄ通信リソースをユーザ機器に提供することを可能にするために、通信ユニット２５１は、基地局に隣接セル測定報告を報告するようさらに構成され、これにより、基地局は、隣接セル測定報告に従って、ユーザ機器が第１セルにおいてＤ２Ｄ通信を実行できると決定し、ここで、隣接セル測定報告は、第１セルにおけるユーザ機器により測定される信号品質を含む。
【０６１３】
任意選択的に、この実施形態において、基地局は、第２セルおよび第１セルの共通の基地局であってよく、第２セルは、ユーザ機器のサービングセルまたはプライマリセルであり、第１セルおよび第２セルは、同じＰＬＭＮまたは異なるＰＬＭＮに属する。
【０６１４】
基地局は、第２セルの唯一の基地局であってもよい。第２セルは、ユーザ機器のサービングセルまたはプライマリセルである。
【０６１５】
上記から分かるように、本発明のこの実施形態は、ユーザ機器を提供する。ユーザ機器は、基地局によりユーザ機器に提供される、第１セルのＤ２Ｄ通信リソースを受信し、ここで、第１セルは、セカンダリセルまたは非サービングセルであり、これにより、ユーザ機器は、セカンダリセルまたは非サービングセルのＤ２Ｄ通信リソースを用いて、通信を実行し得て、それにより、従来技術における、ユーザ機器の通信リソースがプライマリセルにおいて制限されている場合に生じるユーザ機器のプライマリセルの増大する負荷といった問題を回避する。
【０６１６】
［実施形態２６］
図２６は、本発明の実施形態において提供されるリソース割り当てシステム２６の構造図である。図２６において示されているように、リソース割り当てシステム２６は、基地局２３と、基地局２４と、ユーザ機器２５とを備え得る。
【０６１７】
基地局２３と実施形態２３における基地局とは、同じ機能を有する。基地局２４と実施形態２４における基地局とは、同じ機能を有する。ユーザ機器２５と実施形態２５におけるユーザ機器とは、同じ機能を有する。詳細は、ここではこれ以上一つずつ詳しく述べない。
【０６１８】
上記から分かるように、本発明のこの実施形態は、リソース割り当てシステムを提供する。第１セルのＤ２Ｄ通信リソースが、ユーザ機器に提供され、ここで、第１セルは、セカンダリセルまたは非サービングセルであり、これにより、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０６１９】
［実施形態２７］
図２７は、本発明の実施形態において提供される基地局２７の構造図である。基地局２７は、実施形態７におけるリソース割り当て方法を実行するよう構成される。図２７に示されているように、基地局２７は、通信ユニット２７１と、プロセッサ２７２と、メモリ２７３と、これらの装置の間の接続および通信を実装するよう構成される少なくとも１つの通信バス２７４とを備え得る。
【０６２０】
通信ユニット２７１は、外部ネットワーク要素とデータ送信を実行するよう構成される。
【０６２１】
プロセッサ２７２は、中央処理装置（英語表記：ｃｅｎｔｒａｌ  ｐｒｏｃｅｓｓｉｎｇ  ｕｎｉｔ、略してＣＰＵ）であってよい。
【０６２２】
メモリ２７３は、ランダムアクセスメモリ（英語表記：ｒａｎｄｏｍ−ａｃｃｅｓｓ  ｍｅｍｏｒｙ、略してＲＡＭ）のような揮発性メモリ（英語表記：ｖｏｌａｔｉｌｅ  ｍｅｍｏｒｙ）、または、リードオンリメモリ（英語表記：ｒｅａｄ−ｏｎｌｙ  ｍｅｍｏｒｙ、略してＲＯＭ）、フラッシュメモリ（英語表記：ｆｌａｓｈ  ｍｅｍｏｒｙ）、ハードディスクドライブ（英語表記：ｈａｒｄ  ｄｉｓｋ  ｄｒｉｖｅ、略してＨＤＤ）、またはソリッドステートドライブ（英語表記：ｓｏｌｉｄ−ｓｔａｔｅ  ｄｒｉｖｅ、略してＳＳＤ）などの不揮発性メモリ（英語表記：ｎｏｎ−ｖｏｌａｔｉｌｅ  ｍｅｍｏｒｙ）、または、前述の種類のメモリの組み合わせであってよく、プロセッサ２７２に対して命令およびデータを提供する。
【０６２３】
通信ユニット２７１は、ユーザ機器にシステムメッセージを送信するよう構成される。
【０６２４】
システムメッセージは、第１セルにおいて発見メッセージを送信またはリッスンするリソース設定を含み、これにより、ユーザ機器は、リソース設定に従って、第１セルにおいて発見メッセージを送信またはリッスンする。
【０６２５】
発見メッセージはさらに、ＰｒｏＳｅ  Ｄｉｒｅｃｔ発見メッセージ、Ｄ２Ｄ発見メッセージ、Ｄ２Ｄ直接発見メッセージ、またはＤ２Ｄメッセージと同等であってよい。
【０６２６】
発見メッセージは、２つのデバイスの間で送信されるメッセージであり、例えば、ユーザ機器１によりユーザ機器２に送信されるメッセージ、または、デバイス３によりユーザ機器１に送信されるメッセージである。
【０６２７】
リソース設定は、以下のうち少なくとも１つを含む：第１セルの周波数、第１セルのセル識別子ＥＣＧＩ、第１セルのＰＣＩ、または第１セルのＰＬＭＮ。
【０６２８】
リソース設定は、リソースプール設定をさらに含む。リソースプール設定は、時間−周波数リソースの設定を含み得る。
【０６２９】
第１セルは、ユーザ機器のセカンダリセルまたは非サービングセルである。基地局は、第２セルまたは第１セルの基地局であってよい。第２セルは、ユーザ機器のプライマリセルまたはサービングセルであってよい。
【０６３０】
任意選択的に、基地局によりシステムメッセージをユーザ機器に送信する段階は、基地局により、第２セルにおいてユーザ機器にシステムメッセージを送信する段階、または、基地局により第１セルにおいてユーザ機器にシステムメッセージを送信する段階を含み得る。
【０６３１】
任意選択的に、基地局がユーザ機器の第２セルの基地局である場合、基地局によりユーザ機器にシステムメッセージを送信する前に、第１セルにおいて発見メッセージを送信またはリッスンするリソース設定は、別のノード（例えば、別の基地局、またはＯＡＭ）から、取得され得る。詳細は、以下の通りである：通信ユニット２７１は、第２基地局により送信されるリソース設定メッセージを受信するようさらに構成され、リソース設定メッセージは、第１セルにおいてＤ２Ｄ発見メッセージを受信または送信するリソース設定を含み、第２基地局は、第１セルの基地局である。
【０６３２】
基地局は、第２セルの基地局である。
【０６３３】
上記から分かるように、本発明のこの実施形態は、基地局を提供する。基地局は、システムメッセージを送信し、これにより、ユーザ機器は、第１セルにおいて発見メッセージを送信またはリッスンし、ここで、第１セルは、ユーザ機器のセカンダリセルまたは非サービングセルであり、それにより、従来技術における、ユーザ機器の通信リソースがプライマリセルにおいて制限されている場合に生じるユーザ機器のプライマリセルの増大する負荷といった問題を回避する。
【０６３４】
［実施形態２８］
図２８は、本発明の実施形態において提供されるユーザ機器２８の構造図である。ユーザ機器２８は、実施形態８におけるリソース割り当て方法を実行するよう構成される。図２８において示されているように、ユーザ機器２８は、通信ユニット２８１と、プロセッサ２８２と、メモリ２８３と、これらの装置の間の接続および通信を実装するよう構成される少なくとも１つの通信バス２８４とを備え得る。
【０６３５】
通信ユニット２８１は、外部ネットワーク要素とデータ送信を実行するよう構成される。
【０６３６】
プロセッサ２８２は、中央処理装置（英語表記：ｃｅｎｔｒａｌ  ｐｒｏｃｅｓｓｉｎｇ  ｕｎｉｔ、略してＣＰＵ）であってよい。
【０６３７】
メモリ２８３は、ランダムアクセスメモリ（英語表記：ｒａｎｄｏｍ−ａｃｃｅｓｓ  ｍｅｍｏｒｙ、略してＲＡＭ）のような揮発性メモリ（英語表記：ｖｏｌａｔｉｌｅ  ｍｅｍｏｒｙ）、または、リードオンリメモリ（英語表記：ｒｅａｄ−ｏｎｌｙ  ｍｅｍｏｒｙ、略してＲＯＭ）、フラッシュメモリ（英語表記：ｆｌａｓｈ  ｍｅｍｏｒｙ）、ハードディスクドライブ（英語表記：ｈａｒｄ  ｄｉｓｋ  ｄｒｉｖｅ、略してＨＤＤ）、またはソリッドステートドライブ（英語表記：ｓｏｌｉｄ−ｓｔａｔｅ  ｄｒｉｖｅ、略してＳＳＤ）などの不揮発性メモリ（英語表記：ｎｏｎ−ｖｏｌａｔｉｌｅ  ｍｅｍｏｒｙ）、または、前述の種類のメモリの組み合わせであってよく、プロセッサ２８２に対して命令およびデータを提供する。
【０６３８】
プロセッサ２８２は、基地局により送信されるシステムメッセージをリッスンするよう構成される。
【０６３９】
通信ユニット２８１は、発見メッセージを送信またはリッスンするリソース設定に従って、第１セルにおいて発見メッセージを送信またはリッスンするよう構成される。
【０６４０】
システムメッセージは、第１セルにおいて発見メッセージを送信またはリッスンするリソース設定を含む。第１セルは、ユーザ機器のセカンダリセルまたは非サービングセルである。
【０６４１】
発見メッセージはさらに、ＰｒｏＳｅ  Ｄｉｒｅｃｔ発見メッセージ、Ｄ２Ｄ発見メッセージ、Ｄ２Ｄ直接発見メッセージ、またはＤ２Ｄメッセージと同等であってよい。
【０６４２】
発見メッセージは、２つのデバイスの間で送信されるメッセージであり、例えば、ユーザ機器１によりユーザ機器２に送信されるメッセージ、または、デバイス３によりユーザ機器１に送信されるメッセージである。
【０６４３】
リソース設定は、以下のうち少なくとも１つを含む：第１セルの周波数、第１セルのセル識別子ＥＣＧＩ、第１セルのＰＣＩ、または第１セルのＰＬＭＮ。
【０６４４】
リソース設定は、リソースプール設定をさらに含む。リソースプール設定は、時間−周波数リソースの設定を含み得る。
【０６４５】
任意選択的に、第１セルにおいて発見メッセージを送信またはリッスンする段階は、ユーザ機器により、許可されている第１セルにおいて発見メッセージを送信またはリッスンする段階、または、ユーザ機器が第１セルにおいて発見メッセージを送信またはリッスンすることを許可されていると決定された後に、第１セルにおいて発見メッセージを送信またはリッスンする段階を含み得る。
【０６４６】
任意選択的に、プロセッサ２８２は、第１セルまたは第２セルにおいてシステムメッセージをリッスンするよう具体的に構成され、第２セルは、ユーザ機器のプライマリセルまたはサービングセルである。
【０６４７】
上記から分かるように、本発明のこの実施形態は、ユーザ機器を提供する。ユーザ機器は、システムメッセージをリッスンして、システムメッセージにより示される第１セルにおいて発見メッセージを送信またはリッスンし、ここで、第１セルは、ユーザ機器のセカンダリセルまたは非サービングセルであり、それにより、従来技術における、ユーザ機器の通信リソースがプライマリセルにおいて制限されている場合に生じるユーザ機器のプライマリセルの増大する負荷といった問題を回避する。
【０６４８】
［実施形態２９］
図２９は、本発明の実施形態において提供されるリソース割り当てシステム２６の構造図である。図２９に示されているように、リソース割り当てシステム２６は、基地局２７と、ユーザ機器２８とを含み得る。
【０６４９】
基地局２７と実施形態２７における基地局とは、同じ機能を有する。ユーザ機器２８と実施形態２８におけるユーザ機器とは、同じ機能を有する。詳細は、ここではこれ以上一つずつ詳しく述べない。
【０６５０】
［実施形態３０］
図３０は、本発明の実施形態において提供される基地局３０の構造図である。基地局３０は、実施形態９におけるリソース割り当て方法に適用される。図３０に示されているように、基地局は、通信ユニット３０１と、プロセッサ３０２と、メモリ３０３と、これらの装置の間の接続および通信を実装するよう構成される少なくとも１つの通信バス３０４とを備え得る。
【０６５１】
通信ユニット３０１は、外部ネットワーク要素とデータ送信を実行するよう構成される。
【０６５２】
プロセッサ３０２は、中央処理装置（英語表記：ｃｅｎｔｒａｌ  ｐｒｏｃｅｓｓｉｎｇ  ｕｎｉｔ、略してＣＰＵ）であってよい。
【０６５３】
メモリ３０３は、ランダムアクセスメモリ（英語表記：ｒａｎｄｏｍ−ａｃｃｅｓｓ  ｍｅｍｏｒｙ、略してＲＡＭ）のような揮発性メモリ（英語表記：ｖｏｌａｔｉｌｅ  ｍｅｍｏｒｙ）、または、リードオンリメモリ（英語表記：ｒｅａｄ−ｏｎｌｙ  ｍｅｍｏｒｙ、略してＲＯＭ）、フラッシュメモリ（英語表記：ｆｌａｓｈ  ｍｅｍｏｒｙ）、ハードディスクドライブ（英語表記：ｈａｒｄ  ｄｉｓｋ  ｄｒｉｖｅ、略してＨＤＤ）、またはソリッドステートドライブ（英語表記：ｓｏｌｉｄ−ｓｔａｔｅ  ｄｒｉｖｅ、略してＳＳＤ）などの不揮発性メモリ（英語表記：ｎｏｎ−ｖｏｌａｔｉｌｅ  ｍｅｍｏｒｙ）、または、前述の種類のメモリの組み合わせであってよく、プロセッサ３０２に対して命令およびデータを提供する。
【０６５４】
通信ユニット３０１は、第１メッセージを受信するよう構成される。
【０６５５】
第１メッセージは、ＰＬＭＮ情報を含む。第１メッセージは、ＰＬＭＮの許可状態に関する情報を提供するために用いられ、ここで、許可されているＰＬＭＮは、ユーザ機器がＤ２Ｄ通信を実行するために用いられ（ＰｒｏＳｅ  ｓｅｒｖｉｃｅｓのためのＰＬＭＮの許可状態に関する情報を提供する）、またはユーザ機器がどのＰＬＭＮにおいてＤ２Ｄ通信の実行を許可されているかを示すために用いられる（ＵＥがどのＰＬＭＮにおいてＰｒｏＳｅ  ｓｅｒｖｉｃｅｓについて許可されているかを示す）。
【０６５６】
ＰＬＭＮ情報は、ＰＬＭＮ  ＩＤを含み得る。ＰＬＭＮ  ＩＤは、ＰＬＭＮ  ＩＤに対応するＰＬＭＮが、Ｄ２Ｄ通信を実行するために用いられることを許可されているかを識別するために用いられる。
【０６５７】
ＰＬＭＮ情報は、少なくとも１つの許可されているＰＬＭＮのＰＬＭＮ  ＩＤ、および／または、少なくとも１つの許可されていないＰＬＭＮのＰＬＭＮ  ＩＤ、および／または、ＵＥによりサポートされるＰＬＭＮ、および各ＰＬＭＮの許可状態をさらに含む。
【０６５８】
任意選択的に、第１基地局は、移動管理エンティティＭＭＥまたはユーザ機器の第３基地局により送信される第１メッセージを受信し得る。第３基地局は、ユーザ機器の二次基地局または非サービング基地局であってよい。
【０６５９】
プロセッサ３０２は、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定するよう構成される。
【０６６０】
Ｄ２Ｄ通信は、ＰｒｏＳｅ  ｓｅｒｖｉｃｅと具体的に同等であってよく、以下の通信のうちの１つまたは複数を含んでよい：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、またはＤ２Ｄ発見メッセージのリッスン。
【０６６１】
具体的には、ＵＥがＤ２Ｄ通信（ＰｒｏＳｅ  Ｓｅｒｖｉｃｅｓ）の実行を許可されているかを決定する段階は、ＵＥがどのＰＬＭＮにおいてＤ２Ｄ通信の実行を許可されているかを決定する段階、または、ＵＥがどのＰＬＭＮのセルにおいてＤ２Ｄ通信の実行を許可されているかを決定する段階、または、ＵＥが、ＰＬＭＮ情報において提供される許可されているＰＬＭＮにおいてＤ２Ｄ通信の実行を許可されているかを決定する段階、または、ＵＥがＰＬＭＮ情報において提供される、許可されているＰＬＭＮにおけるセルにおいてＤ２Ｄ通信の実行を許可されているかを決定する段階、または、ＵＥが第１セルにおいてＤ２Ｄ通信の実行を許可されているかを決定する段階であって、第１セルは、ユーザ機器の非サービングセル、またはセカンダリセル、またはサービングセル、またはプライマリセルである、段階を含み得る。
【０６６２】
任意選択的に、通信ユニット３０１は、第１セルメッセージを受信するよう構成される。
【０６６３】
プロセッサ３０２は、第１メッセージにおけるＰＬＭＮ情報と第１セル情報とに従って、ユーザ機器がＤ２Ｄ通信（ＰｒｏＳｅ  Ｓｅｒｖｉｃｅｓ）の実行を許可されているかを決定するよう構成される。
【０６６４】
第１セルメッセージは、以下のうち少なくとも１つを含む：第１セルの識別子ＥＣＧＩ、第１セルに対応するＰＬＭＮ  ＩＤ、第１セルの物理レイヤＩＤ  ＰＣＩ、または第１セルの周波数。
【０６６５】
具体的には、プロセッサ３０２は、ＰＬＭＮ情報において提供される、許可されているＰＬＭＮ  ＩＤが第１セルに対応するＰＬＭＮ  ＩＤを含む場合、ＵＥが第１セルにおいてＤ２Ｄ通信の実行を許可されていると決定する、もしくは、第１セルが、ユーザ機器がＤ２Ｄ通信の実行を許可され得るセルと決定する、または、ＰＬＭＮ情報において提供される、許可されているＰＬＭＮ  ＩＤが第１セルに対応するＰＬＭＮ  ＩＤを含まない場合、ＵＥが第１セルにおいてＤ２Ｄ通信の実行を許可されていないと決定する、もしくは、第１セルが、ユーザ機器がＤ２Ｄ通信の実行を許可され得るセルではないと決定するよう構成される。
【０６６６】
任意選択的に、通信ユニット３０１は、以下の方式を用いて第１セルメッセージを受信し得る：ユーザ機器により送信される要求メッセージを受信し、ここで、要求メッセージは、第１セルにおいてＤ２Ｄ通信を実行するよう要求するために用いられ、要求メッセージは、第１セル情報を含み、または、移動管理エンティティＭＭＥまたはユーザ機器の第３基地局により送信される第１メッセージを受信し、ここで、第１メッセージは、第１セル情報を含む。
【０６６７】
任意選択的に、ユーザ機器が第１セルにおいてＤ２Ｄ通信を実行できるとプロセッサ３０２が決定した後に、通信ユニット３０１は、ユーザ機器に応答メッセージを送信するようさらに構成され、これにより、ユーザ機器は、第１セルにおいてＤ２Ｄ通信を実行し、ここで、応答メッセージは、Ｄ２Ｄ通信のためのリソースをユーザ機器に提供するために用いられ、または、ユーザ機器が第１セルにおいてＤ２Ｄ通信を実行できないとプロセッサ３０２が決定したとき、ユーザ機器に返信メッセージを送信し、ユーザ機器が第１セルにおいてＤ２Ｄ通信を実行できないことを通知する。
【０６６８】
任意選択的に、通信ユニット３０１は、第２基地局に第２メッセージを送信するようさらに構成される。第２メッセージは、ＰＬＭＮ情報を含む。第２メッセージは、ＰＬＭＮの許可状態に関する情報を第２基地局に提供するために用いられ、ここで、許可されているＰＬＭＮは、ユーザ端末がＤ２Ｄ通信を実行するために用いられ、または、ＵＥがどのＰＬＭＮにおいてＤ２Ｄ通信の実行を許可されているかを示すために用いられる。
【０６６９】
第２基地局は、第１セルの基地局である。第１セルは、ユーザ機器のセカンダリセルまたは非サービングセルである。
【０６７０】
さらに、第２基地局を用いて通信リソースが許可されているかを決定するために、第２基地局はさらに、第１セル情報が必要である。通信ユニット３０１は、第２基地局に第１セル情報を送信するようさらに構成される。
【０６７１】
上記から分かるように、本発明のこの実施形態は、基地局を提供する。基地局は、第１メッセージを受信して、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定する。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０６７２】
［実施形態３１］
図３１は、本発明の実施形態において提供される基地局３１の構造図である。図３１に示されているように、基地局３１は、通信ユニット３１１と、プロセッサ３１２と、メモリ３１３と、これらの装置の間の接続および通信を実装するよう構成される少なくとも１つの通信バス３１４とを備え得る。
【０６７３】
通信ユニット３１１は、外部ネットワーク要素とデータ送信を実行するよう構成される。
【０６７４】
プロセッサ３１２は、中央処理装置（英語表記：ｃｅｎｔｒａｌ  ｐｒｏｃｅｓｓｉｎｇ  ｕｎｉｔ、略してＣＰＵ）であってよい。
【０６７５】
メモリ３１３は、ランダムアクセスメモリ（英語表記：ｒａｎｄｏｍ−ａｃｃｅｓｓ  ｍｅｍｏｒｙ、略してＲＡＭ）のような揮発性メモリ（英語表記：ｖｏｌａｔｉｌｅ  ｍｅｍｏｒｙ）、または、リードオンリメモリ（英語表記：ｒｅａｄ−ｏｎｌｙ  ｍｅｍｏｒｙ、略してＲＯＭ）、フラッシュメモリ（英語表記：ｆｌａｓｈ  ｍｅｍｏｒｙ）、ハードディスクドライブ（英語表記：ｈａｒｄ  ｄｉｓｋ  ｄｒｉｖｅ、略してＨＤＤ）、またはソリッドステートドライブ（英語表記：ｓｏｌｉｄ−ｓｔａｔｅ  ｄｒｉｖｅ、略してＳＳＤ）などの不揮発性メモリ（英語表記：ｎｏｎ−ｖｏｌａｔｉｌｅ  ｍｅｍｏｒｙ）、または、前述の種類のメモリの組み合わせであってよく、プロセッサ３１２に対して命令およびデータを提供する。
【０６７６】
通信ユニット３１１は、第１メッセージを受信するよう構成される。
【０６７７】
第１メッセージは、ＰＬＭＮ情報を含む。第１メッセージは、ＰＬＭＮの許可状態に関する情報を提供するために用いられ、ここで、許可されているＰＬＭＮは、ユーザ機器がＤ２Ｄ通信を実行するために用いられ、または、ユーザ機器がどのＰＬＭＮにおいてＤ２Ｄ通信の実行を許可されているかを示すために用いられる。
【０６７８】
任意選択的に、通信ユニット３１１は、移動管理エンティティＭＭＥまたはユーザ機器の第１基地局により送信される第１メッセージを受信し得る。第１基地局は、ユーザ機器の第２セルの基地局であってよい。第２セルは、ユーザ機器のプライマリセルまたはサービングセルであってよい。
【０６７９】
ＰＬＭＮ情報は、ＰＬＭＮ  ＩＤを含み得る。ＰＬＭＮ  ＩＤは、ＰＬＭＮ  ＩＤに対応するＰＬＭＮが、Ｄ２Ｄ通信を実行するために用いられることを許可されているかを識別するために用いられる。
【０６８０】
ＰＬＭＮ情報は、少なくとも１つの許可されているＰＬＭＮのＰＬＭＮ  ＩＤ、および／または、少なくとも１つの許可されていないＰＬＭＮのＰＬＭＮ  ＩＤ、および／または、ＵＥによりサポートされるＰＬＭＮ、および各ＰＬＭＮの許可状態をさらに含む。
【０６８１】
決定ユニット３１２は、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定するよう構成される。
【０６８２】
Ｄ２Ｄ通信は、ＰｒｏＳｅ  ｓｅｒｖｉｃｅと具体的に同等であってよく、以下の通信のうちの１つまたは複数を含んでよい：Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、またはＤ２Ｄ発見メッセージのリッスン。
【０６８３】
具体的に、ＵＥがＤ２Ｄ通信（ＰｒｏＳｅ  Ｓｅｒｖｉｃｅｓ）の実行を許可されているかを決定する段階は、ＵＥがどのＰＬＭＮにおいてＤ２Ｄ通信の実行を許可されているかを決定する段階、または、ＵＥがどのＰＬＭＮのセルにおいてＤ２Ｄ通信の実行を許可されているかを決定する段階、または、ＵＥがＰＬＭＮ情報において提供される、許可されているＰＬＭＮにおいてＤ２Ｄ通信の実行を許可されているかを決定する段階、または、ＵＥがＰＬＭＮ情報において提供される、許可されているＰＬＭＮにおけるセルにおいてＤ２Ｄ通信の実行を許可されているかを決定する段階、または、ＵＥが第１セルにおいてＤ２Ｄ通信の実行を許可されているかを決定する段階であって、第１セルは、ユーザ機器の非サービングセル、またはセカンダリセル、またはサービングセル、またはプライマリセルである、段階を含み得る。
【０６８４】
任意選択的に、通信ユニット３１１は、第１セル情報を受信するようさらに構成される。
【０６８５】
決定ユニット３１２は、第１メッセージにおけるＰＬＭＮ情報と第１セル情報とに従って、ユーザ機器がＤ２Ｄ通信（ＰｒｏＳｅ  Ｓｅｒｖｉｃｅｓ）の実行を許可されているかを決定するようさらに構成される。
【０６８６】
第１セル情報は、第１セルに対応するＰＬＭＮ  ＩＤを決定するために用いられる。ＰＬＭＮ  ＩＤは、以下のうち少なくとも１つを含む：第１セルの識別子ＥＣＧＩ（Ｅｖｏｌｖｅｄ  Ｃｅｌｌ  Ｇｌｏｂａｌ  Ｉｄｅｎｔｉｆｉｅｒ，例えば、Ｅ−ＵＴＲＡにおけるセルのグローバルに一意のＩＤである）、第１セルに対応するＰＬＭＮ  ＩＤ、または第１セルの物理レイヤＩＤ  ＰＣＩ（ｐｈｙｓｉｃａｌ  ｌａｙｅｒ  ｉｄｅｎｔｉｔｙ）、または第１セルの周波数。
【０６８７】
ＰＬＭＮ情報は、ＰＬＭＮの許可状態に関する情報を提供するために用いられ、ここで、許可されているＰＬＭＮは、ユーザ端末がＤ２Ｄ通信を実行するために用いられ（ＰＬＭＮ情報は、ＰｒｏＳｅ  ｓｅｒｖｉｃｅｓのためのＰＬＭＮの許可状態に関する情報を提供するために用いられる）、または、ユーザ機器がどのＰＬＭＮにおいてＤ２Ｄ通信の実行を許可されているかを示すために用いられ（ＵＥがどのＰＬＭＮにおいてＰｒｏＳｅ  ｓｅｒｖｉｃｅｓについて許可されているかを示す）、または、ユーザ機器がどのＰＬＭＮに対応するセルにおいてＤ２Ｄ通信の実行を許可されているかを示すために用いられる。ＰＬＭＮ情報は、以下のうちの１つまたは複数を含み得る：少なくとも１つの許可されているＰＬＭＮのＰＬＭＮ  ＩＤ、少なくとも１つの許可されていないＰＬＭＮのＰＬＭＮ  ＩＤ、ユーザ端末によりサポートされるＰＬＭＮ、または各ＰＬＭＮの許可状態。各ＰＬＭＮの許可状態は、真（ｔｒｕｅ）または偽（ｆａｌｓｅ）を含む。真（ｔｒｕｅ）」は、ＰＬＭＮは、ＵＥが許可されているＰＬＭＮであること、またはＰＬＭＮは、ＵＥがＤ２Ｄ通信の実行を許可されているＰＬＭＮであることを表す。「偽（ｆａｌｓｅ）」は、ＰＬＭＮは、ＵＥが許可されていないＰＬＭＮであること、またはＰＬＭＮは、ＵＥがＤ２Ｄ通信の実行を許可されていないＰＬＭＮであることを表す。
【０６８８】
具体的には、決定ユニット３１２は、第１セル情報に従って、第１セルに対応するＰＬＭＮ  ＩＤを決定し、ＰＬＭＮ情報において提供される、許可されているＰＬＭＮ  ＩＤが第１セルに対応するＰＬＭＮ  ＩＤを含む場合、ＵＥが第１セルにおいてＤ２Ｄ通信の実行を許可されていると決定する、もしくは、第１セルが、ユーザ機器がＤ２Ｄ通信の実行を許可され得るセルであると決定する、または、ＰＬＭＮ情報において提供される、許可されているＰＬＭＮ  ＩＤが第１セルに対応するＰＬＭＮ  ＩＤを含まない場合、ＵＥが第１セルにおいてＤ２Ｄ通信の実行を許可されていないと決定する、もしくは、第１セルが、ユーザ機器がＤ２Ｄ通信の実行を許可され得るセルではないと決定するよう構成される。
【０６８９】
任意選択的に、通信ユニット３１１は、第３基地局により送信される第２メッセージを受信してよく、ここで、第２メッセージは、第１セル情報を含む。
【０６９０】
代わりに、第２基地局は、第１基地局またはＭＭＥの第１メッセージを受信し、ここで、第１メッセージは、第１セル情報を含む。
【０６９１】
任意選択的に、通信ユニット３１１は、ＵＥが第１セルにおいてＤ２Ｄ通信の実行を許可されていると決定ユニット３１２が決定したとき、応答メッセージを送信する、または、ＵＥが第１セルにおいてＤ２Ｄ通信の実行を許可されていないと決定ユニット３１２が決定したとき、返信メッセージを送信するようさらに構成される。
【０６９２】
具体的には、通信ユニット３１１は、第１セル情報がＭＭＥにより送信されたとき、ＭＭＥに応答メッセージを送信し、または、第１セル情報が第１基地局により送信されたとき、第１基地局に応答メッセージを送信し、または、第１セル情報が第３基地局により送信されたとき、第３基地局に応答メッセージを送信するよう構成され、第１セル情報がＭＭＥにより送信されたとき、ＭＭＥに返信メッセージを送信し、または、第１セル情報が第１基地局により送信されたとき、第１基地局に返信メッセージを送信し、または、第１セル情報が第３基地局により送信されたとき、第３基地局に返信メッセージを送信するよう構成される。
【０６９３】
上記から分かるように、本発明のこの実施形態は、基地局を提供する。基地局は、第１メッセージを受信して、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定する。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０６９４】
［実施形態３２］
図３２は、本発明の実施形態において提供されるリソース割り当てシステム３２の構造図である。図３２に示されているように、リソース割り当てシステム３２は、基地局３０と、基地局３１と、ＭＭＥと、ユーザ機器とを備え得る。
【０６９５】
基地局３０と実施形態３０における基地局とは、同じ機能を有する。基地局３１と実施形態３１における基地局とは、同じ機能を有する。詳細は、ここではこれ以上一つずつ詳しく述べない。
【０６９６】
上記から分かるように、本発明のこの実施形態は、リソース割り当てシステムを提供する。第１メッセージが受信され、第１メッセージにおけるＰＬＭＮ情報に従って、ユーザ機器がＤ２Ｄ通信（ＰｒｏＳｅ  Ｓｅｒｖｉｃｅｓ）の実行を許可されているかを決定する。このように、ユーザ機器は、セカンダリセルまたは非サービングセルのＤ２Ｄ通信リソースを用いて通信を実行し得て、それにより、従来技術における、ユーザ機器の通信リソースがユーザ機器のプライマリセルまたはサービングセルにおいて制限されている場合に生じるユーザ機器のプライマリセルの増大する負荷といった問題を回避する。
【０６９７】
上記から分かるように、本発明のこの実施形態は、リソース割り当てシステムを提供する。第１セルのＤ２Ｄ通信リソースが、ユーザ機器に提供され、ここで、第１セルは、セカンダリセルまたは非サービングセルであり、これにより、ユーザ機器は、セカンダリセルまたは非サービングセルのＤ２Ｄ通信リソースを用いて通信を実行し得て、それにより、従来技術における、ユーザ機器の通信リソースがプライマリセルにおいて制限されている場合に生じるユーザ機器のプライマリセルの増大する負荷といった問題を回避する。
【０６９８】
簡便かつ簡潔な説明の目的のために、前述のユニットおよびシステムの詳細な動作工程について、前述の方法の実施形態において対応する工程を参照してよいことは、当業者により明確に理解され得て、詳細は、ここでは再び説明されない。
【０６９９】
本出願において提供されるいくつかの実施形態において、開示されるシステム、デバイス、および方法は、他の方式で実装され得ることは、理解されるべきである。例えば、説明されているデバイスの実施形態は、例に過ぎない。例えば、ユニットの分割は、論理的機能の分割に過ぎず、実際の実装においては、他の分割であってよい。例えば、複数のユニットまたは構成要素は、組み合わせられてよく、または別のシステム内に統合されてよく、または、いくつかの特徴は、無視されてよく、または実行されなくてよい。加えて、表示されているまたは説明されている相互連結、または直接連結、または通信接続は、いくつかのインターフェースを用いることにより実装されてよい。装置またはユニットの間の間接的な連結または通信接続は、電子的、機械的、または他の形式において実装され得る。
【０７００】
別個の部分として説明されているユニットは、物理的に離れてもよく、またはそうでなくてもよく、ユニットとして表示されている部分は、物理的ユニットであってもよく、またはそうでなくてもよく、１つの場所に位置されてよく、または複数のネットワークユニット上で分散されてもよい。実施形態の解決手段の目的を実現するよう、実際の必要性に従って、ユニットの一部または全部が選択されてよい。
【０７０１】
加えて、本発明の実施形態の機能ユニットが、１つの処理ユニット内に統合されてよい、または、それらのユニットの各々が、物理的に単独で存在してよい、または、２つまたはそれより多いユニットが１つのユニット内に統合される。統合型ユニットは、ハードウェアの形態で実装されてよい、または、ソフトウェア機能ユニットに加えて、ハードウェアの形態で実装されてよい。
【０７０２】
前述の統合型ユニットがソフトウェア機能ユニットの形態で実装された場合、統合型ユニットは、コンピュータ可読記憶媒体に格納されてよい。ソフトウェア機能ユニットは記憶媒体に格納され、（パーソナルコンピュータ、サーバ、またはネットワークデバイスであってよい）コンピュータデバイスに命令して、本発明の実施形態において説明された方法の段階の一部を実行させるためのいくつかの命令を含む。前述の記憶媒体は、プログラムコードを格納できる、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの任意の媒体を含む。
【０７０３】
当業者であれば、実施形態における方法の段階の全てまたは一部が、関連するハードウェアに命令するプログラムによって実装可能であることを理解し得る。プログラムは、コンピュータ可読記憶媒体に格納され得る。記憶媒体は、リードオンリメモリ、ランダムアクセスメモリ、磁気ディスク、または光ディスクを含み得る。
【０７０４】
最後に、前述の実施形態は、本発明の技術的解決手段を説明することを意図するものに過ぎず、本発明を限定するためのものではないことに留意すべきである。本発明は、前述の実施形態に関連して詳細に説明されているが、当業者は、本発明の実施形態の技術的解決手段の範囲から逸脱することなく、さらに前述の実施形態において説明された技術的解決手段に対して変更を施し得る、または、これらのいくつかの技術的特徴に対して同等の置換を施し得ることを当業者は理解すべきである。
［項目１］
基地局により送信される応答メッセージをユーザ機器により受信する段階であって、前記応答メッセージは、第１セルのＤ２Ｄ通信リソースを前記ユーザ機器に提供するために用いられ、前記第１セルは、前記ユーザ機器のセカンダリセルまたは非サービングセルである、段階と、
前記ユーザ機器により、前記第１セルにおいてＤ２Ｄ通信を実行する段階と
を備える
リソース割り当て方法。
［項目２］
基地局により送信される応答メッセージをユーザ機器により受信する前記段階の前に、
前記ユーザ機器により、前記基地局に要求メッセージを送信する段階であって、前記要求メッセージは、Ｄ２Ｄ通信を実行するために前記ユーザ機器により用いられるリソースを要求するために用いられる、段階をさらに備える、項目１に記載のリソース割り当て方法。
［項目３］
前記リソース割り当て方法は、
前記ユーザ機器により、前記基地局に隣接セル測定報告を報告する段階であって、これにより、前記基地局は、前記隣接セル測定報告に従って、前記ユーザ機器が前記第１セルにおいてＤ２Ｄ通信を実行できると決定し、前記隣接セル測定報告は、前記ユーザ機器により測定される前記第１セルにおける信号品質を含む、段階をさらに備える、項目２に記載のリソース割り当て方法。
［項目４］
前記基地局は第２セルおよび前記第１セルの基地局であり、前記第２セルは、前記ユーザ機器のサービングセルまたはプライマリセルであり、または、前記基地局は、第２セルの基地局であり、前記第２セルは、前記ユーザ機器のサービングセルまたはプライマリセルである、項目１から３の何れか一項に記載のリソース割り当て方法。
［項目５］
要求メッセージは、
候補セルのセル識別子ＥＣＧＩ、前記候補セルの物理セル識別子ＰＣＩおよび前記候補セルの周波数、または前記候補セルが属するＰＬＭＮのＩＤのうちの１つまたは複数、および、
前記ユーザ機器がＤ２Ｄ通信を実行するためのリソースの数量Ｍのうちの少なくとも１つを含み、Ｍは正の整数である、項目４に記載のリソース割り当て方法。
［項目６］
前記候補セルは、前記第１セルである、項目５に記載のリソース割り当て方法。
［項目７］
前記応答メッセージは、
前記第１セルのセル識別子、前記第１セルの物理セル識別子ＰＣＩおよび前記第１セルの周波数、または前記第１セルが属するＰＬＭＮのＩＤのうちの１つまたは複数、および、
前記ユーザ機器がＤ２Ｄ通信を実行するためのリソースの数量Ｌのうちの少なくとも１つを含み、Ｌは正の整数である、項目１から６の何れか一項に記載のリソース割り当て方法。
［項目８］
前記応答メッセージは、
第２セルのセル識別子、前記第２セルの物理セル識別子ＰＣＩおよび前記第２セルの周波数、または前記第２セルが属するＰＬＭＮのＩＤのうちの１つまたは複数、および、
前記ユーザ機器がＤ２Ｄ通信を実行するためのリソースの数量Ｌのうちの少なくとも１つをさらに含み、Ｌは正の整数である、項目７に記載のリソース割り当て方法。
［項目９］
前記応答メッセージは、セルインデックスＳｃｅｌｌｉｎｄｅｘをさらに含み、前記セルインデックスは、前記第１セルを示すために用いられる、項目１から８の何れか一項に記載のリソース割り当て方法。
［項目１０］
前記Ｄ２Ｄ通信（ＰｒｏＳｅ  ｓｅｒｖｉｃｅ）は、
Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む、項目１から９の何れか一項に記載のリソース割り当て方法。
［項目１１］
前記第１セルおよび第２セルは、異なるＰＬＭＮに属する、または、同じＰＬＭＮに属する、項目１０に記載のリソース割り当て方法。
［項目１２］
前記第１セルは、前記ユーザ機器の前記セカンダリセルまたは前記非サービングセルであり、前記ユーザ機器は、前記第１セルにおいてＤ２Ｄ通信の実行を許可されている、または、
前記第１セルは、前記ユーザ機器の前記セカンダリセルまたは前記非サービングセルであり、前記ユーザ機器は、前記第１セルのリソースを用いてＤ２Ｄ通信を実行することを許可されている、項目１１に記載のリソース割り当て方法。
［項目１３］
第１基地局により、ユーザ機器にシステムメッセージを送信する段階であって、前記システムメッセージは、第１セルにおいて発見メッセージを送信またはリッスンするリソース設定を含み、これにより、前記ユーザ機器は、前記リソース設定に従って、前記第１セルにおいて発見メッセージを送信またはリッスンし、前記第１セルは、前記ユーザ機器のセカンダリセルまたは非サービングセルである、段階
を備える
リソース割り当て方法。
［項目１４］
第１基地局により、ユーザ機器にシステムメッセージを送信する前記段階は、前記第１基地局により、第２セルにおいて前記ユーザ機器に前記システムメッセージを送信する段階を含む、項目１３に記載のリソース割り当て方法。
［項目１５］
前記リソース割り当て方法は、
第２基地局により送信されるリソース設定メッセージを前記第１基地局により受信する段階であって、前記リソース設定メッセージは、第１セルにおいてＤ２Ｄ発見メッセージを受信または送信するリソース設定を含み、前記第２基地局は、前記第１セルの基地局である、段階をさらに備える、項目１３または１４に記載のリソース割り当て方法。
［項目１６］
第１基地局により、ユーザ機器にシステムメッセージを送信する前記段階は、
前記第１基地局により、前記第１セルにおいて前記ユーザ機器にシステムメッセージを送信する段階を含む、項目１５に記載のリソース割り当て方法。
［項目１７］
基地局により送信される応答メッセージを受信する受信ユニットであって、前記応答メッセージは、第１セルのＤ２Ｄ通信リソースをユーザ機器に提供するために用いられ、前記第１セルは、前記ユーザ機器のセカンダリセルまたは非サービングセルである、受信ユニットと、
前記第１セルにおいてＤ２Ｄ通信を実行する送信ユニットと
を備える
ユーザ機器。
［項目１８］
前記送信ユニットはさらに、
前記ユーザ機器が前記基地局により送信される応答メッセージを受信する前に、前記基地局に要求メッセージを送信し、前記要求メッセージは、Ｄ２Ｄ通信を実行するために前記ユーザ機器により用いられるリソースを要求するために用いられる、項目１７に記載のユーザ機器。
［項目１９］
前記送信ユニットはさらに、前記基地局に隣接セル測定報告を報告し、これにより、前記基地局は、前記隣接セル測定報告に従って、前記ユーザ機器が前記第１セルにおいてＤ２Ｄ通信を実行できると決定し、前記隣接セル測定報告は、前記ユーザ機器により測定される前記第１セルにおける信号品質を含む、項目１８に記載のユーザ機器。
［項目２０］
前記基地局は、第２セルおよび前記第１セルの基地局であり、前記第２セルは、前記ユーザ機器のサービングセルまたはプライマリセルであり、または、
前記基地局は、第２セルの基地局であり、前記第２セルは、前記ユーザ機器のサービングセルまたはプライマリセルである、項目１７から１９の何れか一項に記載のユーザ機器。
［項目２１］
要求メッセージは、候補セルのセル識別子ＥＣＧＩ、前記候補セルの物理セル識別子ＰＣＩおよび前記候補セルの周波数、または前記候補セルが属するＰＬＭＮのＩＤのうちの１つまたは複数、および、
前記ユーザ機器がＤ２Ｄ通信を実行するためのリソースの数量Ｍのうちの少なくとも１つを含み、Ｍは正の整数である、項目２０に記載のユーザ機器。
［項目２２］
前記候補セルは、前記第１セルである、項目２１に記載のユーザ機器。
［項目２３］
前記応答メッセージは、
前記第１セルのセル識別子、前記第１セルの物理セル識別子ＰＣＩおよび前記第１セルの周波数、または前記第１セルが属するＰＬＭＮのＩＤのうちの１つまたは複数、および、
前記ユーザ機器がＤ２Ｄ通信を実行するためのリソースの数量Ｌのうちの少なくとも１つを含み、Ｌは正の整数である、項目１７から２２の何れか一項に記載のユーザ機器。
［項目２４］
前記応答メッセージは、
第２セルのセル識別子、前記第２セルの物理セル識別子ＰＣＩおよび前記第２セルの周波数、または前記第２セルが属するＰＬＭＮのＩＤのうちの１つまたは複数、および、
前記ユーザ機器がＤ２Ｄ通信を実行するためのリソースの数量Ｌのうちの少なくとも１つをさらに含み、Ｌは正の整数である、項目２３に記載のユーザ機器。
［項目２５］
前記応答メッセージは、セルインデックスＳｃｅｌｌｉｎｄｅｘをさらに含み、前記セルインデックスは、前記第１セルを示すために用いられる、項目１７から２４の何れか一項に記載のユーザ機器。
［項目２６］
前記Ｄ２Ｄ通信（ＰｒｏＳｅ  ｓｅｒｖｉｃｅ）は、
Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む、項目１７から２５の何れか一項に記載のユーザ機器。
［項目２７］
前記第１セルおよび第２セルは、異なるＰＬＭＮに属する、または、同じＰＬＭＮに属する、項目２６に記載のユーザ機器。
［項目２８］
前記第１セルは、前記ユーザ機器の前記セカンダリセルまたは前記非サービングセルであり、前記ユーザ機器は、前記第１セルにおいてＤ２Ｄ通信の実行を許可されている、または、
前記第１セルは、前記ユーザ機器の前記セカンダリセルまたは前記非サービングセルであり、前記ユーザ機器は、Ｄ２Ｄ通信を実行するために前記第１セルのリソースを用いることを許可されている、項目１７に記載のユーザ機器。
［項目２９］
第１基地局により、ユーザ機器が第１セルにおいてＤ２Ｄ通信を実行できるかを決定する段階であって、前記第１セルは、前記ユーザ機器のセカンダリセルまたは非サービングセルである、段階と、
前記ユーザ機器が前記第１セルにおいてＤ２Ｄ通信を実行できると前記第１基地局が決定したとき、前記ユーザ機器が前記第１セルにおいてＤ２Ｄ通信を実行できるように、前記第１基地局により、前記ユーザ機器に応答メッセージを送信する段階であって、前記応答メッセージは、前記ユーザ機器に前記第１セルのＤ２Ｄ通信リソースを提供するために用いられる、段階、または、
前記ユーザ機器が前記第１セルにおいてＤ２Ｄ通信を実行できないと前記第１基地局が決定したとき、前記ユーザ機器が前記第１セルにおいてＤ２Ｄ通信を実行できないことを通知するべく、前記第１基地局により、前記ユーザ機器に返信メッセージを送信する段階と
を備える
リソース割り当て方法。
［項目３０］
前記第１基地局は、第２セルの基地局であり、前記第２セルは、前記ユーザ機器のプライマリセルまたはサービングセルである、項目２９に記載のリソース割り当て方法。
［項目３１］
前記ユーザ機器が第１セルにおいてＤ２Ｄ通信を実行できるかを決定する前記段階は、
前記ユーザ機器が前記第１セルにおいてＤ２Ｄ通信の実行を許可されているかを前記第１基地局により決定する段階であって、前記ユーザ機器が前記第１セルにおいてＤ２Ｄ通信の実行を許可されていると決定された場合、前記ユーザ機器が前記第１セルにおいてＤ２Ｄ通信を実行できると決定する、または、前記ユーザ機器がＤ２Ｄ通信の実行を許可されていないと決定された場合、前記ユーザ機器が前記第１セルにおいてＤ２Ｄ通信を実行できないと決定する、段階、または、
前記第１セルにおいて前記ユーザ機器に割り当てられるべきリソースが存在するかを前記第１基地局により決定する段階であって、前記第１セルまたは第１キャリアにおいて前記ユーザ機器に割り当てられるべきリソースが存在すると決定された場合、前記ユーザ機器が前記第１セルにおいてＤ２Ｄ通信を実行できると決定する、または、前記第１セルまたは第１キャリアにおいて前記ユーザ機器に割り当てられるべきリソースが存在しないと決定された場合、前記ユーザ機器が前記第１セルにおいてＤ２Ｄ通信を実行できないと決定する、段階、または、
前記第１セルにおける前記ユーザ機器の信号品質が予め設定された閾値を満たすかを前記第１基地局により決定する段階であって、前記第１セルにおける前記ユーザ機器の前記信号品質が前記予め設定された閾値を満たすと決定された場合、前記ユーザ機器が前記第１セルにおいてＤ２Ｄ通信を実行できると決定する、または、前記第１セルにおける前記ユーザ機器の前記信号品質が前記予め設定された閾値を満たさないと決定された場合、前記ユーザ機器が前記第１セルにおいてＤ２Ｄ通信を実行できないと決定する、段階を含む、項目２９または３０に記載のリソース割り当て方法。
［項目３２］
前記ユーザ機器が前記第１セルにおいてＤ２Ｄ通信の実行を許可されているかを前記第１基地局により決定する前記段階は、
前記第１基地局により、第１セル情報およびＰＬＭＮ（Ｐｕｂｌｉｃ  Ｌａｎｄ  Ｍｏｂｉｌｅ  Ｎｅｔｗｏｒｋ、公衆陸上移動体ネットワーク）情報に従って、前記ユーザ機器が前記第１セルにおいてＤ２Ｄ通信の実行を許可されているかを決定する段階を含む、項目３１に記載のリソース割り当て方法。
［項目３３］
前記第１基地局により、第１セル情報およびＰＬＭＮ（Ｐｕｂｌｉｃ  Ｌａｎｄ  Ｍｏｂｉｌｅ  Ｎｅｔｗｏｒｋ、公衆陸上移動体ネットワーク）情報（ＰＬＭＮ情報）に従って、前記ユーザ機器が前記第１セルにおいてＤ２Ｄ通信の実行を許可されているかを決定する前記段階は、
前記ＰＬＭＮ情報において提供される許可されているＰＬＭＮ  ＩＤが前記第１セルに対応するＰＬＭＮ  ＩＤを含む場合、前記ユーザ機器がＤ２Ｄ通信の実行を許可されていると決定する、または、前記第１セルが、前記ユーザ機器がＤ２Ｄ通信の実行を許可され得るセルであると決定する段階、または、
前記ＰＬＭＮ情報において提供される許可されているＰＬＭＮ  ＩＤが前記第１セルに対応するＰＬＭＮ  ＩＤを含まない場合、前記ユーザ機器がＤ２Ｄ通信の実行を許可されていないと決定する、または、前記第１セルが、前記ユーザ機器がＤ２Ｄ通信の実行を許可され得るセルではないと決定する段階を含む、項目３２に記載のリソース割り当て方法。
［項目３４］
前記第１セルにおける前記ユーザ機器の信号品質が予め設定された閾値を満たすかを前記第１基地局により決定する前記段階の前に、前記リソース割り当て方法は、
前記ユーザ機器により報告される隣接セル測定報告を、前記第１基地局により受信する段階であって、前記隣接セル測定報告は、前記ユーザ機器により測定される前記第１セルにおける前記信号品質を含む、段階をさらに備える、項目３１に記載のリソース割り当て方法。
［項目３５］
前記リソース割り当て方法は、
前記ユーザ機器により送信される第１要求メッセージを前記第１基地局により受信する段階であって、前記第１要求メッセージは、Ｄ２Ｄ通信を実行するために前記ユーザ機器により用いられるリソースを決定するよう要求するために用いられ、前記リソースは、候補セルのセル識別子ＥＣＧＩ、前記候補セルの物理セル識別子ＰＣＩおよび前記候補セルの周波数、または前記候補セルが属するＰＬＭＮのＩＤのうちの１つまたは複数、および、前記ユーザ機器がＤ２Ｄ通信を実行するためのリソースの数量Ｍのうちの少なくとも１つを含み、Ｍは正の整数である、段階をさらに備える、項目２９から３４の何れか一項に記載のリソース割り当て方法。
［項目３６］
前記候補セルは、前記第１セルであり、前記第１セルの基地局は、前記第１基地局であり、または、前記第１セルの前記基地局は、第２基地局である、項目３５に記載のリソース割り当て方法。
［項目３７］
前記第１セルの前記基地局が前記第２基地局である場合、前記ユーザ機器により送信される要求メッセージを前記第１基地局により受信する前記段階の前に、前記リソース割り当て方法は、
前記第１基地局により、前記第２基地局に第２要求メッセージを送信する段階であって、前記第２要求メッセージは、Ｄ２Ｄ通信を実行するためのリソースを要求するために、または、Ｄ２Ｄ通信を実行するために用いられる前記第２基地局のセルリソースを提供することを要求するために用いられる、段階と、
前記第２基地局により送信される第１応答メッセージを前記第１基地局により受信する段階であって、前記応答メッセージは、前記第２基地局のセルのリソースを提供し、前記リソースは、Ｄ２Ｄ通信のために用いられ、または、前記応答メッセージは、前記第１セルにおける、Ｄ２Ｄ通信のために用いられるリソースを含む、段階、または、
前記第２基地局により送信される第１返信メッセージを前記第１基地局により受信する段階であって、前記返信メッセージは、Ｄ２Ｄ通信のために提供されるべきリソースが存在しないことを表すために用いられる、段階とをさらに備える、項目３６に記載のリソース割り当て方法。
［項目３８］
前記リソース割り当て方法は、
前記第１基地局により、前記第２基地局に第３要求メッセージを送信する段階であって、前記第３要求メッセージは、前記ユーザ機器がＤ２Ｄ通信を実行するためのリソースを要求するために用いられる、段階、
前記第２基地局により送信される応答メッセージを前記第１基地局により受信する段階であって、前記応答メッセージは、前記ユーザ機器が前記第１セルにおいてＤ２Ｄ通信を実行できると決定されたことを表すために用いられ、前記応答メッセージは、前記ユーザ機器が前記第１セルにおいてＤ２Ｄ通信を実行するためのリソースを含む、段階、または、
前記第２基地局により送信される返信メッセージを前記第１基地局により受信する段階であって、前記返信メッセージは、前記ユーザ機器が前記第１セルにおいてＤ２Ｄ通信を実行できないことを表すために用いられる、段階のうちの少なくとも１つをさらに備える、項目３６または３７に記載のリソース割り当て方法。
［項目３９］
前記応答メッセージは、
前記第１セルのセル識別子、前記第１セルの物理セル識別子ＰＣＩおよび前記第１セルの周波数、または前記第１セルが属するＰＬＭＮのＩＤのうちの１つまたは複数、
前記ユーザ機器がＤ２Ｄ通信を実行するためのリソースの数量Ｌであって、Ｌは正の整数である、数量Ｌ、および、
専用リソース設定およびリソースプール設定である、前記第１セルの前記Ｄ２Ｄ通信リソースの設定のうちの少なくとも１つを含む、項目２９から３８の何れか一項に記載のリソース割り当て方法。
［項目４０］
前記応答メッセージは、
第２セルのセル識別子、前記第２セルの物理セル識別子ＰＣＩおよび前記第２セルの周波数、または前記第２セルが属するＰＬＭＮのＩＤのうちの１つまたは複数、および、
前記ユーザ機器がＤ２Ｄ通信を実行するためのリソースの数量Ｌのうちの少なくとも１つをさらに含み、Ｌは正の整数である、項目３９に記載のリソース割り当て方法。
［項目４１］
前記応答メッセージは、セルインデックスＳｃｅｌｌｉｎｄｅｘを含み、前記セルインデックスは、前記第１セルを示すために用いられる、項目２９から４０の何れか一項に記載のリソース割り当て方法。
［項目４２］
前記Ｄ２Ｄ通信（ＰｒｏＳｅ  ｓｅｒｖｉｃｅ）は、
Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む、項目４１に記載のリソース割り当て方法。
［項目４３］
前記第１基地局は、第２セルおよび前記第１セルの基地局である、項目３２に記載のリソース割り当て方法。
［項目４４］
前記ユーザ機器により送信される第１要求メッセージを前記第１基地局により受信する前記段階は、
前記ユーザ機器により送信される第１要求メッセージを、前記第１基地局により第２セルにおいて受信する段階を含む、項目３５に記載のリソース割り当て方法。
［項目４５］
第２基地局により、ユーザ機器が第１セルにおいてＤ２Ｄ通信を実行できるかを決定する段階であって、前記第１セルは、前記ユーザ機器のセカンダリセルまたは非サービングセルであり、前記第２基地局は、前記第１セルの基地局である、段階と、
前記ユーザ機器が前記第１セルにおいてＤ２Ｄ通信を実行できると前記第２基地局が決定したとき、前記第２基地局により、第１基地局に応答メッセージを送信する段階であって、前記応答メッセージは、前記第１セルのＤ２Ｄ通信リソースを前記ユーザ機器に提供するために用いられ、前記第１基地局は、前記ユーザ機器の第２セルの基地局であり、前記第２セルは、前記ユーザ機器のプライマリセルまたはサービングセルである、段階、または、
前記ユーザ機器が前記第１セルにおいてＤ２Ｄ通信を実行できないと前記第２基地局が決定したとき、前記第２基地局により、前記第１基地局に返信メッセージを送信する段階であって、前記返信メッセージは、前記ユーザ機器が前記第１セルにおいてＤ２Ｄ通信を実行できないことを通知するために用いられる、段階、または、
前記ユーザ機器が前記第１セルにおいてＤ２Ｄ通信を実行できると前記第２基地局が決定したとき、前記ユーザ機器が前記第１セルにおいてＤ２Ｄ通信を実行することを前記第１基地局が通知するように、前記第２基地局により、前記第１基地局に応答メッセージを送信する段階であって、前記応答メッセージは、前記第１セルのＤ２Ｄ通信リソースを前記ユーザ機器に提供するために用いられ、前記第１基地局は、前記ユーザ機器の第２セルの基地局であり、前記第２セルは、前記ユーザ機器のプライマリセルまたはサービングセルである、段階、または、
前記ユーザ機器が前記第１セルにおいてＤ２Ｄ通信を実行できないと前記第２基地局が決定したとき、前記ユーザ機器が前記第１セルにおいてＤ２Ｄ通信を実行できないことを前記第１基地局及び前記第２基地局が通知するように、前記第２基地局により、前記第１基地局に返信メッセージを送信する段階と
を備える
リソース割り当て方法。
［項目４６］
前記ユーザ機器が第１セルにおいてＤ２Ｄ通信を実行できるかを決定する前記段階は、
前記第２基地局により、前記ユーザ機器が前記第１セルにおいてＤ２Ｄ通信の実行を許可されているかを決定する段階であって、前記ユーザ機器が前記第１セルにおいてＤ２Ｄ通信の実行を許可されていると決定された場合、前記ユーザ機器が前記第１セルにおいてＤ２Ｄ通信を実行できると決定する、または、前記ユーザ機器がＤ２Ｄ通信の実行を許可されていないと決定された場合、前記ユーザ機器が前記第１セルにおいてＤ２Ｄ通信を実行できないと決定する、段階、または、
前記第２基地局により、前記第１セルにおいて前記ユーザ機器に割り当てられるべきリソースが存在するかを決定する段階であって、前記第１セルまたは第１キャリアにおいて前記ユーザ機器に割り当てられるべきリソースが存在すると決定された場合、前記ユーザ機器が前記第１セルにおいてＤ２Ｄ通信を実行できると決定する、または、前記第１セルまたは第１キャリアにおいて前記ユーザ機器に割り当てられるべきリソースが存在しないと決定された場合、前記ユーザ機器が前記第１セルにおいてＤ２Ｄ通信を実行できないと決定する、段階、または、
前記第１セルにおける前記ユーザ機器の信号品質が予め設定された閾値を満たすかを決定する段階であって、前記第１セルにおける前記ユーザ機器の前記信号品質が前記予め設定された閾値を満たすと決定された場合、前記ユーザ機器が前記第１セルにおいてＤ２Ｄ通信を実行できると決定する、または、前記第１セルにおける前記ユーザ機器の前記信号品質が前記予め設定された閾値を満たさないと決定された場合、前記ユーザ機器が前記第１セルにおいてＤ２Ｄ通信を実行できないと決定する、段階を含む、項目４５に記載のリソース割り当て方法。
［項目４７］
前記第２基地局により、前記ユーザ機器が第１セルにおいてＤ２Ｄ通信を実行できるかを決定する前記段階の前に、前記リソース割り当て方法は、
前記第１基地局により送信される要求メッセージを前記第２基地局により受信する段階であって、前記要求メッセージは、Ｄ２Ｄ通信を実行するためのリソースを前記ユーザ機器に提供するよう要求するために用いられる、段階をさらに備える、項目４５または４６に記載のリソース割り当て方法。
［項目４８］
要求メッセージは、
候補セルのセル識別子ＥＣＧＩ、前記候補セルの物理セル識別子ＰＣＩおよび前記候補セルの周波数、または前記候補セルが属するＰＬＭＮのＩＤのうちの１つまたは複数、および、
前記ユーザ機器がＤ２Ｄ通信を実行するためのリソースの数量Ｍのうちの少なくとも１つを含み、Ｍは正の整数である、項目４６に記載のリソース割り当て方法。
［項目４９］
前記候補セルは、前記第１セルである、項目４８に記載のリソース割り当て方法。
［項目５０］
前記リソース割り当て方法は、
前記第１基地局により送信される第１要求メッセージを前記第２基地局により受信する段階であって、前記第１要求メッセージは、Ｄ２Ｄ通信を実行するためのリソースを要求するために、または、Ｄ２Ｄ通信を実行するために用いられる前記第２基地局のセルリソースを提供するよう要求するために用いられる、段階と、
前記第２基地局により、前記第１基地局に第１応答メッセージを送信する段階であって、前記応答メッセージは、前記第２基地局のセルのリソースを提供し、前記リソースは、Ｄ２Ｄ通信のために用いられ、または、前記応答メッセージは、前記第１セルにおける、Ｄ２Ｄ通信のために用いられるリソースを含む、段階、または、
前記第２基地局により、前記第１基地局に第１返信メッセージを送信する段階であって、前記返信メッセージは、Ｄ２Ｄ通信のために提供されるべきリソースが存在しないことを表すために用いられる、段階とをさらに備える、項目４５から４９の何れか一項に記載のリソース割り当て方法。
［項目５１］
前記Ｄ２Ｄ通信（ＰｒｏＳｅ  ｓｅｒｖｉｃｅ）は、
Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む、項目５０に記載のリソース割り当て方法。
［項目５２］
第１基地局により送信されるシステムメッセージをユーザ機器によりリッスンする段階であって、前記システムメッセージは、第１セルにおいて発見メッセージを送信またはリッスンするリソース設定を含み、前記第１セルは、前記ユーザ機器のセカンダリセルまたは非サービングセルである、段階と、
前記ユーザ機器により、発見メッセージを送信またはリッスンする前記リソース設定に従って、前記第１セルにおいて発見メッセージを送信またはリッスンする段階と
を備える
リソース割り当て方法。
［項目５３］
前記第１セルにおいて発見メッセージを送信またはリッスンする前記段階は、
前記ユーザ機器により、許可されている前記第１セルにおいて発見メッセージを送信またはリッスンする段階、または、前記ユーザ機器が前記第１セルにおいて発見メッセージを送信またはリッスンすることを許可されていると決定された後に、前記第１セルにおいて発見メッセージを送信またはリッスンする段階を含む、項目５２に記載のリソース割り当て方法。
［項目５４］
システムメッセージをユーザ機器によりリッスンする前記段階は、前記ユーザ機器により、前記第１セルまたは第２セルにおいて前記システムメッセージをリッスンする段階であって、前記第２セルは、前記ユーザ機器のプライマリセルまたはサービングセルである、段階を含む、項目５３に記載のリソース割り当て方法。
［項目５５］
ユーザ機器が第１セルにおいてＤ２Ｄ通信を実行できるかを決定する決定ユニットであって、前記第１セルは、前記ユーザ機器のセカンダリセルまたは非サービングセルである、決定ユニットと、
前記ユーザ機器が前記第１セルにおいてＤ２Ｄ通信を実行できると前記決定ユニットが決定したとき、第１基地局により、前記ユーザ機器に応答メッセージを送信する送信ユニットであって、これにより、前記ユーザ機器は、前記第１セルにおいてＤ２Ｄ通信を実行し、前記応答メッセージは、前記第１セルのＤ２Ｄ通信リソースを前記ユーザ機器に提供するために用いられる、送信ユニット、または、
前記ユーザ機器が前記第１セルにおいてＤ２Ｄ通信を実行できないと前記決定ユニットが決定したとき、前記ユーザ機器が前記第１セルにおいてＤ２Ｄ通信を実行できないことを通知するべく、前記第１基地局が前記ユーザ機器に返信メッセージを送信する送信ユニットと
を備える
基地局。
［項目５６］
前記基地局は、第２セルの基地局であり、前記第２セルは、前記ユーザ機器のプライマリセルまたはサービングセルである、項目５５に記載の基地局。
［項目５７］
前記決定ユニットは、
前記ユーザ機器が前記第１セルにおいてＤ２Ｄ通信の実行を許可されているかを決定し、前記ユーザ機器が前記第１セルにおいてＤ２Ｄ通信の実行を許可されていると決定された場合、前記ユーザ機器が前記第１セルにおいてＤ２Ｄ通信を実行できると決定する、または、前記ユーザ機器がＤ２Ｄ通信の実行を許可されていないと決定された場合、前記ユーザ機器が前記第１セルにおいてＤ２Ｄ通信を実行できないと決定する、または、
前記第１セルにおいて前記ユーザ機器に割り当てられるべきリソースが存在するかを決定し、前記第１セルまたは第１キャリアにおいて前記ユーザ機器に割り当てられるべきリソースが存在すると決定された場合、前記ユーザ機器が前記第１セルにおいてＤ２Ｄ通信を実行できると決定する、または、前記第１セルまたは第１キャリアにおいて前記ユーザ機器に割り当てられるべきリソースが存在しないと決定された場合、前記ユーザ機器が前記第１セルにおいてＤ２Ｄ通信を実行できないと決定する、または、
前記第１セルにおける前記ユーザ機器の信号品質が予め設定された閾値を満たすかを決定し、前記第１セルにおける前記ユーザ機器の前記信号品質が前記予め設定された閾値を満たすと決定された場合、前記ユーザ機器が前記第１セルにおいてＤ２Ｄ通信を実行できると決定する、または、前記第１セルにおける前記ユーザ機器の前記信号品質が前記予め設定された閾値を満たさないと決定された場合、前記ユーザ機器が前記第１セルにおいてＤ２Ｄ通信を実行できないと決定する、項目５５に記載の基地局。
［項目５８］
前記基地局は、受信ユニットをさらに備え、
前記受信ユニットは、前記第１セルにおける前記ユーザ機器の信号品質が予め設定された閾値を満たすかを決定する前に、前記ユーザ機器により報告される隣接セル測定報告を受信し、前記隣接セル測定報告は、前記ユーザ機器により測定される前記第１セルにおける前記信号品質を含む、項目５７に記載の基地局。
［項目５９］
前記受信ユニットはさらに、
前記ユーザ機器により送信される第１要求メッセージを受信し、
前記第１要求メッセージは、Ｄ２Ｄ通信を実行するために前記ユーザ機器により用いられるリソースを決定するよう要求するために用いられ、前記リソースは、候補セルのセル識別子ＥＣＧＩ、前記候補セルの物理セル識別子ＰＣＩおよび前記候補セルの周波数、または前記候補セルが属するＰＬＭＮのＩＤのうちの１つまたは複数、および、
前記ユーザ機器がＤ２Ｄ通信を実行するためのリソースの数量Ｍのうちの少なくとも１つを含み、Ｍは正の整数である、項目５８に記載の基地局。
［項目６０］
前記候補セルは、前記第１セルであり、前記第１セルの基地局は、前記第１基地局であり、または、前記第１セルの前記基地局は、第２基地局である、項目５９に記載の基地局。
［項目６１］
前記第１セルの前記基地局が前記第２基地局であるとき、前記送信ユニットはさらに、
前記ユーザ機器により送信される前記要求メッセージを前記第１基地局が受信する前に、前記第２基地局に第２要求メッセージを送信し、前記第２要求メッセージは、Ｄ２Ｄ通信を実行するためのリソースを要求するために、または、Ｄ２Ｄ通信を実行するために用いられる前記第２基地局のセルリソースを提供するよう要求するために用いられ、
前記受信ユニットはさらに、
前記第２基地局により送信される第１応答メッセージを受信し、前記応答メッセージは、前記第２基地局のセルのリソースを提供し、前記リソースは、Ｄ２Ｄ通信のために用いられ、または、前記応答メッセージは、前記第１セルにおける、Ｄ２Ｄ通信のために用いられるリソースを含む、または、
前記第２基地局により送信される第１返信メッセージを受信し、前記返信メッセージは、Ｄ２Ｄ通信のために提供されるべきリソースが存在しないことを表すために用いられる、項目６０に記載の基地局。
［項目６２］
前記送信ユニットはさらに、前記第２基地局に第３要求メッセージを送信し、前記第３要求メッセージは、前記ユーザ機器がＤ２Ｄ通信を実行するためのリソースを要求するために用いられること、および、
前記受信ユニットはさらに、前記第２基地局により送信される応答メッセージを受信し、前記応答メッセージは、前記ユーザ機器が前記第１セルにおいてＤ２Ｄ通信を実行できると決定されたことを表すために用いられ、前記応答メッセージは、前記ユーザ機器が前記第１セルにおいてＤ２Ｄ通信を実行するためのリソースを含む、または、前記第２基地局により送信される返信メッセージを受信し、前記返信メッセージは、前記ユーザ機器が前記第１セルにおいてＤ２Ｄ通信を実行できないことを表すために用いられることのうちの少なくとも１つが含まれる、項目６０または６１に記載の基地局。
［項目６３］
前記応答メッセージは、前記第１セルのセル識別子、前記第１セルの物理セル識別子ＰＣＩおよび前記第１セルの周波数、または前記第１セルが属するＰＬＭＮのＩＤのうちの１つまたは複数、
前記ユーザ機器がＤ２Ｄ通信を実行するためのリソースの数量Ｌであって、Ｌは正の整数である、数量Ｌ、および、
専用リソース設定およびリソースプール設定である、前記第１セルの前記Ｄ２Ｄ通信のリソースの設定のうちの少なくとも１つを含む、項目６２に記載の基地局。
［項目６４］
前記応答メッセージは、第２セルのセル識別子、前記第２セルの物理セル識別子ＰＣＩおよび前記第２セルの周波数、または前記第２セルが属するＰＬＭＮのＩＤのうちの１つまたは複数、および、
前記ユーザ機器がＤ２Ｄ通信を実行するためのリソースの数量Ｌのうちの少なくとも１つをさらに含み、Ｌは正の整数である、項目６３に記載の基地局。
［項目６５］
前記応答メッセージは、セルインデックスＳｃｅｌｌｉｎｄｅｘを含み、前記セルインデックスは、前記第１セルを示すために用いられる、項目６４に記載の基地局。
［項目６６］
前記Ｄ２Ｄ通信（ＰｒｏＳｅ  ｓｅｒｖｉｃｅ）は、
Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む、項目６５に記載の基地局。
［項目６７］
前記第１基地局は、前記第２セルおよび前記第１セルの基地局である、項目６６に記載の基地局。
［項目６８］
前記受信ユニットは、前記第２セルにおいて、前記ユーザ機器により送信される前記第１要求メッセージを受信する、項目６７に記載の基地局。
［項目６９］
ユーザ機器が第１セルにおいてＤ２Ｄ通信を実行できるかを決定する決定ユニットであって、前記第１セルは、前記ユーザ機器のセカンダリセルまたは非サービングセルであり、第２基地局は、前記第１セルの基地局である、決定ユニットと、
前記ユーザ機器が前記第１セルにおいてＤ２Ｄ通信を実行できると前記決定ユニットが決定したとき、第１基地局に応答メッセージを送信する送信ユニットであって、前記応答メッセージは、前記第１セルのＤ２Ｄ通信リソースを前記ユーザ機器に提供するために用いられ、前記第１基地局は、前記ユーザ機器の第２セルの基地局であり、前記第２セルは、前記ユーザ機器のプライマリセルまたはサービングセルである、送信ユニット、または、
前記ユーザ機器が前記第１セルにおいてＤ２Ｄ通信を実行できないと前記決定ユニットが決定したとき、前記第１基地局に返信メッセージを送信する送信ユニットであって、前記返信メッセージは、前記ユーザ機器が前記第１セルにおいてＤ２Ｄ通信を実行できないことを通知するために用いられる、送信ユニット、または、
前記ユーザ機器が前記第１セルにおいてＤ２Ｄ通信を実行できると前記決定ユニットが決定したとき、前記ユーザ機器が前記第１セルにおいてＤ２Ｄ通信を実行することを前記第１基地局が通知するように、前記第１基地局に応答メッセージを送信する送信ユニットであって、前記応答メッセージは、前記第１セルのＤ２Ｄ通信リソースを前記ユーザ機器に提供するために用いられ、前記第１基地局は、前記ユーザ機器の第２セルの基地局であり、前記第２セルは、前記ユーザ機器のプライマリセルまたはサービングセルである、送信ユニット、または、
前記ユーザ機器が前記第１セルにおいてＤ２Ｄ通信を実行できないと前記決定ユニットが決定したとき、前記ユーザ機器が前記第１セルにおいてＤ２Ｄ通信を実行できないことを前記第１基地局および前記第２基地局が通知するように、前記第１基地局に返信メッセージを送信する送信ユニットと
を備える
基地局。
［項目７０］
前記決定ユニットは、
前記ユーザ機器が前記第１セルにおいてＤ２Ｄ通信の実行を許可されているかを決定し、前記ユーザ機器が前記第１セルにおいてＤ２Ｄ通信の実行を許可されていると決定された場合、前記ユーザ機器が前記第１セルにおいてＤ２Ｄ通信を実行できると決定する、または、前記ユーザ機器がＤ２Ｄ通信の実行を許可されていないと決定された場合、前記ユーザ機器が前記第１セルにおいてＤ２Ｄ通信を実行できないと決定する、または、
前記第１セルにおいて前記ユーザ機器に割り当てられるべきリソースが存在するかを決定し、前記第１セルまたは第１キャリアにおいて前記ユーザ機器に割り当てられるべきリソースが存在すると決定された場合、前記ユーザ機器が前記第１セルにおいてＤ２Ｄ通信を実行できると決定する、または、前記第１セルまたは第１キャリアにおいて前記ユーザ機器に割り当てられるべきリソースが存在しないと決定された場合、前記ユーザ機器が前記第１セルにおいてＤ２Ｄ通信を実行できないと決定する、または、
前記第１セルにおける前記ユーザ機器の信号品質が予め設定された閾値を満たすかを決定し、前記第１セルにおける前記ユーザ機器の前記信号品質が前記予め設定された閾値を満たすと決定された場合、前記ユーザ機器が前記第１セルにおいてＤ２Ｄ通信を実行できると決定する、または、前記第１セルにおける前記ユーザ機器の前記信号品質が前記予め設定された閾値を満たさないと決定された場合、前記ユーザ機器が前記第１セルにおいてＤ２Ｄ通信を実行できないと決定する、項目６９に記載の基地局。
［項目７１］
前記基地局は、
前記ユーザ機器が前記第１セルにおいてＤ２Ｄ通信を実行できるかを前記第２基地局が決定する前に、前記第１基地局により送信される要求メッセージを受信する受信ユニットであって、前記要求メッセージは、Ｄ２Ｄ通信を実行するためのリソースを前記ユーザ機器に提供するよう要求するために用いられる、受信ユニットをさらに備える、項目６９または７０に記載の基地局。
［項目７２］
前記要求メッセージは、候補セルのセル識別子ＥＣＧＩ、前記候補セルの物理セル識別子ＰＣＩおよび前記候補セルの周波数、または前記候補セルが属するＰＬＭＮのＩＤのうちの１つまたは複数、および、前記ユーザ機器がＤ２Ｄ通信を実行するためのリソースの数量Ｍのうちの少なくとも１つを含み、Ｍは正の整数である、項目７１に記載の基地局。
［項目７３］
前記候補セルは、前記第１セルである、項目７２に記載の基地局。
［項目７４］
前記受信ユニットはさらに、前記第１基地局により送信される第１要求メッセージを受信し、前記第１要求メッセージは、Ｄ２Ｄ通信を実行するためのリソースを要求するために、または、Ｄ２Ｄ通信を実行するために用いられる前記第２基地局のセルリソースを提供するよう要求するために用いられ、
前記送信ユニットはさらに、
前記第１基地局に第１応答メッセージを送信し、前記応答メッセージは、前記第２基地局のセルのリソースを提供し、前記リソースは、Ｄ２Ｄ通信のために用いられ、または、前記応答メッセージは、前記第１セルにおける、Ｄ２Ｄ通信のために用いられるリソースを含む、または、
前記第１基地局に第１返信メッセージを送信し、前記返信メッセージは、Ｄ２Ｄ通信のために提供されるべきリソースが存在しないことを表すために用いられる、項目７１に記載の基地局。
［項目７５］
前記Ｄ２Ｄ通信（ＰｒｏＳｅ  ｓｅｒｖｉｃｅ）は、
Ｄ２Ｄ発見（ＰｒｏＳｅ  Ｄｉｒｅｃｔ  Ｄｉｓｃｏｖｅｒｙ）、Ｄ２Ｄ中継通信（ＰｒｏＳｅ  ｒｅｌａｙ  Ｃｏｍｍｕｎｉｃａｔｉｏｎ）、Ｄ２Ｄ通信（ＰｒｏＳｅ  Ｄｉｒｅｃｔ  Ｃｏｍｍｕｎｉｃａｔｉｏｎ）、Ｄ２Ｄ発見（ＰｒｏＳｅ  Ｄｉｒｅｃｔ  Ｄｉｓｃｏｖｅｒｙ）メッセージの送信、Ｄ２Ｄ中継通信（ＰｒｏＳｅ  ｒｅｌａｙ  Ｃｏｍｍｕｎｉｃａｔｉｏｎ）メッセージの送信、Ｄ２Ｄ通信（ＰｒｏＳｅ  Ｄｉｒｅｃｔ  Ｃｏｍｍｕｎｉｃａｔｉｏｎ）メッセージの送信、Ｄ２Ｄ発見メッセージの受信、Ｄ２Ｄ遅延中継通信メッセージの受信、Ｄ２Ｄ発見メッセージのリッスン、またはＤ２Ｄ中継通信メッセージのリッスンのうちの１つまたは複数を含む、項目７４に記載の基地局。
［項目７６］
ユーザ機器にシステムメッセージを送信する送信ユニットであって、前記システムメッセージは、第１セルにおいて発見メッセージを送信またはリッスンするリソース設定を含み、これにより、前記ユーザ機器は、前記リソース設定に従って、前記第１セルにおいて発見メッセージを送信またはリッスンし、前記第１セルは、前記ユーザ機器のセカンダリセルまたは非サービングセルである、送信ユニット
を備える
基地局。
［項目７７］
前記送信ユニットは、第２セルにおいて前記ユーザ機器に前記システムメッセージを送信する、項目７６に記載の基地局。
［項目７８］
前記基地局は、受信ユニットをさらに備え、
前記受信ユニットは、第２基地局により送信されるリソース設定メッセージを受信し、前記リソース設定メッセージは、前記第１セルにおいてＤ２Ｄ発見メッセージを受信または送信するリソース設定を含み、前記第２基地局は、前記第１セルの基地局である、項目７６または７７に記載の基地局。
［項目７９］
前記送信ユニットは、前記第１セルにおいて前記ユーザ機器に前記システムメッセージを送信する、項目７８に記載の基地局。
［項目８０］
ユーザ機器であって、
第１基地局により送信されるシステムメッセージをリッスンするリッスンユニットであって、前記システムメッセージは、第１セルにおいて発見メッセージを送信またはリッスンするリソース設定を含み、前記第１セルは、前記ユーザ機器のセカンダリセルまたは非サービングセルである、リッスンユニットと、
発見メッセージを送信またはリッスンする前記リソース設定に従って、前記第１セルにおいて発見メッセージを送信またはリッスンする送信ユニットと
を備える
ユーザ機器。
［項目８１］
前記送信ユニットは、
許可されている前記第１セルにおいて発見メッセージを送信またはリッスンする、または、
前記ユーザ機器が前記第１セルにおいて発見メッセージを送信またはリッスンすることを許可されていると決定された後に、前記第１セルにおいて発見メッセージを送信またはリッスンする、項目８０に記載のユーザ機器。
［項目８２］
前記リッスンユニットは、前記第１セルまたは第２セルにおいて前記システムメッセージをリッスンし、前記第２セルは、前記ユーザ機器のプライマリセルまたはサービングセルである、項目８１に記載のユーザ機器。
【図１】
0006524254.tif 000005
【図２】
0006524254.tif 000006
【図３】
0006524254.tif 000007
【図４】
0006524254.tif 000008
【図５】
0006524254.tif 000009
【図６】
0006524254.tif 000010
【図７】
0006524254.tif 000011
【図８】
0006524254.tif 000012
【図９】
0006524254.tif 000013
【図１０】
0006524254.tif 000014
【図１１】
0006524254.tif 000015
【図１２】
0006524254.tif 000016
【図１３】
0006524254.tif 000017
【図１３Ａ】
0006524254.tif 000018
【図１４】
0006524254.tif 000019
【図１４Ａ】
0006524254.tif 000020
【図１５】
0006524254.tif 000021
【図１６】
0006524254.tif 000022
【図１７】
0006524254.tif 000023
【図１７Ａ】
0006524254.tif 000024
【図１８】
0006524254.tif 000025
【図１９】
0006524254.tif 000026
【図２０】
0006524254.tif 000027
【図２０Ａ】
0006524254.tif 000028
【図２１】
0006524254.tif 000029
【図２１Ａ】
0006524254.tif 000030
【図２２】
0006524254.tif 000031
【図２３】
0006524254.tif 000032
【図２４】
0006524254.tif 000033
【図２５】
0006524254.tif 000034
【図２６】
0006524254.tif 000035
【図２７】
0006524254.tif 000036
【図２８】
0006524254.tif 000037
【図２９】
0006524254.tif 000038
【図３０】
0006524254.tif 000039
【図３１】
0006524254.tif 000040
【図３２】
0006524254.tif 000041